(57)【要約】  スペース内の聴衆に情報を提示するためのプレゼンテーションシステムであって、該システムは制御インターフェース、マスタースペースを備えるフラットパネルディスプレイスクリーンおよびプロセッサを含むマスタープレゼンテーションユニット、およびスレーブプレゼンテーション面を含むスレーブプレゼンテーションアセンブリ、および該スレーブプレゼンテーション面に画像を投影するための第１のプロジェクタを含み、該マスターユニットプロセッサはコマンドを受け取るために該インターフェースへ接続でき、該プロセッサは該マスタースペースから該スレーブスペースへ画像を切り替える（フリップする）ための該インターフェースからのコマンドをモニターするようにプログラムされ、画像を切り替えるためのコマンドが受け取られると、該マスタースペースからの該画像を該スレーブスペース中に提示させる。
2008546101.tif 000002
【特許請求の範囲】
【請求項１】
１組のセッション画像を提示するプレゼンテーションシステムにおいて、
制御インターフェースと；
マスタースペースを含むマスタープレゼンテーションユニットと；
スレーブプレゼンテーションスペースを含むスレーブプレゼンテーションユニットと；
プロセッサと；
前記プロセッサ、前記インターフェース、前記マスターユニットおよび前記スレーブユニットを接続するネットワークと；を備え、
前記プロセッサは、
前記マスタースペースに複数のセッション画像のためのセッション画像表現を同時に提示するように；
前記スレーブプレゼンテーションユニットに前記少なくとも１つのセッション画像を提示するように；かつ
前記スレーブプレゼンテーションユニットに提示された前記画像に関連付けられた前記セッション画像表現と前記マスタースペースのその他のセッション画像表現とを視覚的に区別するようにプログラムされた、
プレゼンテーションシステム。
【請求項２】
請求項１のシステムにおいて、前記スレーブプレゼンテーションユニットは、複数のスレーブプレゼンテーションスペースを含み、前記プロセッサは、前記スレーブプレゼンテーションスペースに異なるセッション画像を提示し、かつ前記マスタースペースの前記スレーブプレゼンテーションスペースに提示された前記画像に関連付けられた前記セッション画像表現を視覚的に区別するようにプログラムされた、請求項１記載のシステム。
【請求項３】
請求項２のシステムにおいて、マーカーアイコンを前記各画像表現と空間的に関連付けることにより、前記プロセッサが視覚的に前記セッション画像表現を区別する、請求項２記載のシステム。
【請求項４】
請求項３のシステムにおいて、前記インターフェースは、ユーザーが前記マーカーアイコンを異なる画像表現に移動させることを可能にし、前記プロセッサは、マーカーアイコンが第１の画像表現から第２の画像表現に移動したとき、前記スレーブプレゼンテーションユニットが、前記第２の表現に関連付けられた前記画像を、前記マーカーに関連付けられた前記スレーブプレゼンテーションスペースに表示するようプログラムされた、請求項３記載のシステム。
【請求項５】
請求項４のシステムにおいて、前記マスターユニットはさらに作業スペース領域に前記セッション画像の１つを提示し、かつ前記セッション画像表現は前記作業スペース領域に提示された前記セッション画像に対応する画像表現を含む、請求項４記載のシステム。
【請求項６】
請求項５のシステムにおいて、前記作業スペース領域に提示された前記セッション画像に対応する前記画像表現は、前記マスタープレゼンテーションスペースの他の画像表現と視覚的に区別されている、請求項５記載のシステム。
【請求項７】
請求項４のシステムにおいて、前記インターフェースは、ユーザーが１つのインターフェース装置を介して１つのマーカーアイコンを選択し第１画像表現から第２の画像表現に前記マーカーアイコンをドラッグすることにより、前記マーカーアイコンを異なる画像表現に移動できる、請求項４記載のシステム。
【請求項８】
請求項１のシステムにおいて、前記プロセッサは、スレーブ画像に関連付けられた前記マスタースペースのスレーブ表現領域内の前記スレーブプレゼンテーションユニットに提示された前記画像に関連付けられた前記セッション画像表現を表示することにより、前記スレーブプレゼンテーションユニットに提示された画像に関連付けられた前記セッション画像表現とその他のセッション画像表現とを視覚的に区別する、請求項１記載のシステム。
【請求項９】
請求項８のシステムにおいて、スレーブ画像に関連付けられた前記マスタースペースの前記スレーブ表現領域は、前記マスタースペースの他の部分と視覚的に区別される、請求項８記載のシステム。
【請求項１０】
請求項９のシステムにおいて、スレーブ画像に関連付けられた前記マスタースペースの前記スレーブ表現領域は、前記スレーブ表現領域を囲むフィールド境界で視覚的に区別される、請求項９記載のシステム。
【請求項１１】
請求項２のシステムにおいて、前記プロセッサは、スレーブ画像に関連付けられた前記マスタースペースのスレーブ表現領域内の前記スレーブプレゼンテーションユニットに提示された前記画像に関連付けられた前記セッション画像表現を表示することにより、前記スレーブプレゼンテーションユニットに提示された前記画像に関連付けられた前記セッション画像表現とその他のセッション画像表現とを視覚的に区別する、請求項２記載のシステム。
【請求項１２】
請求項１１のシステムにおいて、スレーブ画像に関連付けられた前記マスタースペースの前記スレーブ表現領域は、前記マスタースペースの他の部分とを視覚的に区別される、請求項１１記載のシステム。
【請求項１３】
請求項１２のシステムにおいて、スレーブ画像に関連付けられた前記マスタースペースの前記スレーブ表現領域は、前記スレーブ表現領域を囲むフィールド境界で視覚的に区別される、請求項１２記載のシステム。
【請求項１４】
請求項１１のシステムにおいて、前記インターフェースは、前記スレーブ表現領域の外側に存在するセッション画像表現を選択して前記スレーブ表現領域の中にドラッグし、前記スレーブプレゼンテーションユニットに表示される画像の変更を示すのに使用可能である、請求項１１記載のシステム。
【請求項１５】
請求項１４のシステムにおいて、前記マスター表示領域内の前記スレーブ表現領域は、前記スレーブプレゼンテーションユニットに関連付けられた各スレーブプレゼンテーションスペース毎に個別のスレーブ表現フィールドを含み、前記スレーブ表現領域内の前記スレーブ表現フィールドの相対的な並置関係は、前記関連付けられたスレーブプレゼンテーションスペースの相対的な並置関係と同様である、請求項１４記載のシステム。
【請求項１６】
請求項１５のシステムにおいて、移動されたセッション画像表現が特定のスレーブ表現フィールドにドラッグされ解放されると、前記移動された画像表現は、前記特定のスレーブ表現フィールドに提示され、前記移動されたセッション画像表現に関連付けられた前記画像は、前記特定のスレーブ表現フィールドに関連付けられた前記スレーブプレゼンテーションスペースに表示される、請求項１５記載のシステム。
【請求項１７】
請求項１６のシステムにおいて、前記移動された画像セッション表現が前記特定のスレーブ表現フィールドにドラッグされるのに先立ち最初のセッション画像表現が前記特定のスレーブ表現フィールドに提示されるとき、前記移動された画像セッション表現が解放されると、前記最初のセッション画像表現は前記スレーブ表現領域の外側に提示され、前記最初のセッション画像表現に関連付けられた画像は前記スレーブプレゼンテーションスペースから取り除かれる、請求項１６記載のシステム。
【請求項１８】
請求項１５のシステムにおいて、前記スレーブプレゼンテーションスペースは第１ないし第ｎのスペースを含み、前記スレーブ表現フィールドは第１ないし第ｎのフィールドを含み、移動されたセッション画像表現が第Ｍのスレーブ表現フィールドに提示されるときに最初のセッション画像表現が前記第Ｍのスレーブ表現フィールドに存在すると、前記最初のセッション画像表現は第（Ｍ＋１）のフィールドに移動され、前記最初のセッション画像表現に関連付けられた前記画像は前記第（Ｍ＋１）のスレーブプレゼンテーションスペース内に提示される、請求項１５記載のシステム。
【請求項１９】
請求項１６のシステムにおいて、前記移動された画像セッション表現が前記特定のスレーブ表現フィールドに近接して続く位置にドラッグされているのに先立ち最初のセッション画像表現が前記特定のスレーブ表現フィールドに提示されるとき、前記移動された画像セッション表現が解放されると、前記最初のセッション画像表現は隣接したスレーブ表現フィールドに提示され、前記最初のセッション画像表現に関連付けられた前記画像は前記隣接したスレーブ表現フィールドに関連付けられた前記スレーブプレゼンテーションスペースに提示される、請求項１６記載のシステム。
【請求項２０】
請求項１１のシステムにおいて、前記マスター表示領域内の前記スレーブ表現領域は、前記スレーブプレゼンテーションユニットに関連付けられた各スレーブプレゼンテーションスペース毎に個別のスレーブ表現フィールドを含み、前記スレーブ表現領域内の前記スレーブ表現フィールドの相対的な並置関係は、前記関連付けられたスレーブプレゼンテーションスペースの相対的な並置関係と同様である、請求項１１記載のシステム。
【請求項２１】
請求項２０のシステムにおいて、前記インターフェースは、前記スレーブ表現領域の内側に存在するセッション画像表現を前記スレーブ表現領域から取り除くために選択し、前記スレーブプレゼンテーションユニットに表示する画像の変更を示すのに使用することができる、請求項２０記載のシステム。
【請求項２２】
請求項２１のシステムにおいて、セッション画像表現が前記スレーブ表現領域から取り除くために選択されると、前記選択されたセッション画像表現は前記スレーブ表現領域から取り除かれて前記スレーブ表現領域の外側に提示され、前記選択されたセッション画像表現に関連付けられた前記画像は前記スレーブプレゼンテーションスペースから取り除かれる、請求項２１記載のシステム。
【請求項２３】
マスタープレゼンテーションスペースおよび複数のスレーブプレゼンテーションスペースを含むプレゼンテーションシステムと、前記マスターおよびスレーブプレゼンテーションスペースに画像を提示するプレゼンテーションシステムと、を使用する方法において、
複数のセッション画像のためのセッション画像表現をマスタースペース内に同時に提示するステップと；
前記スレーブプレゼンテーションスペースに少なくとも１つのセッション画像を提示するステップと；
前記スレーブプレゼンテーションスペースに提示された少なくとも１つのセッション画像に関連付けられた前記セッション画像表現と前記マスタースペース内のその他のセッション画像表現とを視覚的に区別するステップと、を含む方法。
【請求項２４】
請求項２３の方法において、前記少なくとも１つのセッション画像を提示するステップは前記スレーブプレゼンテーションスペースに複数の画像を提示することを含み、前記視覚的に区別するステップは前記マスタースペース内の前記スレーブプレゼンテーションスペースに提示された前記画像に関連付けられた前記セッション画像表現のすべてを視覚的に区別することを含む、請求項２３記載の方法。
【請求項２５】
請求項２４の方法において、前記視覚的に区別するステップは、前記スレーブプレゼンテーションスペースに提示された画像に関連付けられた各セッション画像表現に対し、空間的にマーカーアイコンを関連付けることを含む、請求項２４記載の方法。
【請求項２６】
請求項２５の方法において、異なる画像表現に前記マーカーアイコンを移動させるコマンドを受信するステップと、１つのマーカーアイコンが第１の画像表現から第２の画像表現に移動されるとき、前記スレーブプレゼンテーションユニットに、前記マーカーに関連付けられた前記スレーブプレゼンテーションスペースに第２の表現に関連付けられた画像を表示させるステップと、をさらに含む請求項２５記載の方法。
【請求項２７】
請求項２４の方法において、前記視覚的に区別するステップは、前記スレーブプレゼンテーションユニットに提示された前記画像に関連付けられた前記セッション画像表現を、スレーブ画像に関連付けられた前記マスタースペースの１つのスレーブ表現領域内に表示することを含む、請求項２４記載の方法。
【請求項２８】
請求項２７の方法において、スレーブ画像に関連付けられた前記マスタースペースの前記スレーブ表現領域と前記マスタースペースの他の部分とを視覚的に区別することをさらに含む、請求項２７記載の方法。
【請求項２９】
請求項２８の方法の方法において、前記スレーブ表現領域を前記視覚的に区別するステップは、前記スレーブ表現領域を囲むフィールド境界を提示することを含む、請求項２８記載の方法。
【請求項３０】
請求項２７の方法において、１つのセッション画像を前記スレーブ表現領域の外側から前記スレーブ表現領域の中に移動させるコマンドを受信して、前記スレーブプレゼンテーションユニットに表示する画像の変更を示すステップをさらに含む、請求項２７記載の方法。
【請求項３１】
請求項３０の方法において、前記スレーブプレゼンテーションユニットに関連付けられた各スレーブプレゼンテーションスペース毎に個別のスレーブ表現フィールドを前記スレーブ表現領域内に提示するステップをさらに含み、前記スレーブ表現領域に提示された前記スレーブ表現フィールドの相対的な並置関係は、前記関連付けられたスレーブプレゼンテーションスペースの相対的な並置関係と同様である、請求項３０記載の方法。
【請求項３２】
請求項３１の方法において、移動されたセッション画像表現を特定のスレーブ表現フィールドに移動させるコマンドを受信したとき、前記移動されたセッション画像表現を前記特定のスレーブ表現フィールドに提示するステップと、前記移動されたセッション画像表現に関連付けられた前記画像を、前記特定のスレーブ表現フィールドに関連付けられた前記スレーブプレゼンテーションスペースに提示するステップと、をさらに含む請求項３１記載の方法。
【請求項３３】
請求項３２の方法において、移動された画像セッション表現を前記特定のスレーブ表現フィールドに移動させる前記コマンドに先立ち最初のセッション画像表現を前記特定のスレーブ表現フィールドに提示するとき、前記移動するコマンドを受信すると、前記最初のセッション画像表現を前記スレーブ表現領域の外側に提示するステップと、前記最初のセッション画像表現に関連付けられた前記画像を前記スレーブプレゼンテーションスペースから取り除くステップと、をさらに含む請求項３２記載の方法。
【請求項３４】
請求項３１の方法において、前記スレーブプレゼンテーションスペースは第１ないし第ｎのスペースを含み、前記スレーブ表現フィールドは第１ないし第ｎのフィールドを含み、最初のセッション画像表現が第Ｍのスレーブ表現フィールドに存在するときに、移動されたセッション画像表現を前記第Ｍのスレーブ表現フィールドに移動させるコマンドを受信すると、前記最初のセッション画像表現を第（Ｍ＋１）のフィールドに提示し、および前記最初のセッション画像表現に関連付けられた画像を第（Ｍ＋１）のスレーブプレゼンテーションスペースに提示することをさらに含む、請求項３１記載の方法。
【請求項３５】
請求項２７の方法において、前記スレーブ表現領域内の個別のスレーブ表現フィールドを前記スレーブプレゼンテーションユニットに関連付けられた各スレーブプレゼンテーションスペース毎に提示するステップをさらに含み、前記スレーブ表現領域に提示された前記スレーブ表現フィールドの相対的な並置関係は前記関連付けられたスレーブプレゼンテーションスペースの相対的な並置関係と同様である、請求項２７記載の方法。
【請求項３６】
請求項３５の方法において、前記スレーブ表現領域の内側に存在するセッション画像表現をスレーブ表現領域から取り除くために選択するコマンドを受信し、前記スレーブプレゼンテーションユニットに表示する前記画像内の変更を示すステップをさらに含む、請求項３５記載の方法。
【請求項３７】
請求項３６の方法において、前記スレーブ表現領域からセッション画像表現を取り除くコマンドを受信すると、前記スレーブ表現領域から前記選択されたセッション画像表現を取り除くステップと、前記選択されたセッション画像表現を前記スレーブ表現領域の外側に提示するステップと、前記選択されたセッション画像表現に関連付けられた前記画像を前記スレーブプレゼンテーションスペースから取り除くステップと、をさらに含む、請求項３６記載の方法。
【請求項３８】
少なくとも第１と第２のプロセッサおよび少なくとも１つのインターフェースを含むシステムであって、それぞれ前記第１のプロセッサは少なくとも第１の受信装置、少なくとも第１のプレゼンテーションユニットおよびインターフェース装置に関連付けられ、前記第２のプロセッサは少なくとも第２の受信装置および少なくとも第２のプレゼンテーションユニットに関連付けられているシステムを使用する方法において、前記方法は会議セッション中に生成されるセッション画像を配信する方法であって、
セッション参加者を識別するステップと；
少なくとも１つの参加者のサブセットに関してそのサブセットに関連付けられた受信装置を識別するステップと；
前記識別された受信装置のそれぞれに対しアドレス指定するのに使用可能な情報を保存するステップと；
少なくとも前記第１のプレゼンテーションユニットを用いてセッション画像を生成するステップと；
前記インターフェースを介して前記受信装置の少なくとも１つのサブセットにセッション画像を配信するコマンドを受信するステップと；
前記受信装置のサブセットに前記セッション画像を配信するステップと、を含む方法。
【請求項３９】
前記受信装置がプリンタである、請求項３８記載の方法。
【請求項４０】
前記受信装置が電子メールアカウントである、請求項３８記載の方法。
【請求項４１】
前記受信装置がファクシミリおよびデータ記憶装置のいずれかである、請求項３８記載の方法。
【請求項４２】
請求項３８の方法において、前記サブセットに関連付けられた受信装置を識別するステップは、参加者の１人が会議参加の招待を受諾して会議出席を試みたとき、参加者に関連付けられた前記プロセッサに問い合わせて関連付けられた受信装置を識別すること、を含む、請求項３８記載の方法。
【請求項４３】
請求項３８の方法において、配信コマンドを受信する前記ステップは、前記識別された受信装置のそれぞれにアドレス指定するのに使用可能な前記情報にアクセスすること、および前記第１のプレゼンテーションスペースに前記受信装置のリストを提示すること、を含む、請求項３８記載の方法。
【請求項４４】
請求項４３の方法において、コマンドを受信する前記ステップはさらに、受信装置の前記リストのサブセットを選択する選択コマンドを受信することを含む、請求項４３記載の方法。
【請求項４５】
複数のプロセッサを含み、各プロセッサがそれぞれ少なくとも１つの受信装置と１つのプレゼンテーションユニットに関連付けられ、各プレゼンテーションユニットは少なくとも１つのプレゼンテーションスペースに関連付けられているシステムを使用する方法において、前記方法は会議セッション中に生成されるセッション画像を配信する方法であって、
少なくとも２つのプロセッサ間の会議セッションを確立するステップと；
セッション参加者を識別するステップと；
セッション参加者の少なくとも１つのサブセットに関してそのサブセットに関連付けられた受信装置を識別するステップと；
前記識別された受信装置のそれぞれにアドレス指定するのに使用可能な情報を保存するステップと；
少なくとも第１のプレゼンテーションユニットを用いてセッション画像を作成するステップと；
配信イベントの発生を識別するステップと；
配信イベントが識別されたとき、前記受信装置のサブセットにセッション画像を配信するステップと、を含む方法。
【請求項４６】
セッション画像を作成し、セッションの終了を示し、およびセッション画像を配信すべきことを示す、少なくとも１つの第１のインターフェース装置を使用するためでもある請求項４５の方法において、前記配信イベントの発生を識別するステップは、セッションの終了を示す前記少なくとも１つのインターフェース装置を介してコマンドを受信すること、およびセッション画像を配信すべきであることを示す前記少なくとも１つのインターフェース装置を介してコマンドを受信することの少なくとも１つを含む請求項４５記載の方法。
【請求項４７】
前記受信装置がプリンタである、請求項４５記載の方法。
【請求項４８】
前記受信装置が電子メールアカウントである、請求項４５記載の方法。
【請求項４９】
前記受信装置がファクシミリとデータ記憶装置のうちの１つである、請求項４５記載の方法。
【請求項５０】
請求項４５の方法において、前記サブセットに関連付けられた受信装置を識別するステップは、参加者の１人が会議参加への招待を受諾して会議出席を試みたとき、参加者に関連付けられたプロセッサに問い合わせて関連付けられた受信装置を識別することを含む、請求項４５記載の方法。
【請求項５１】
請求項４５の方法において、前記配信イベントの発生を識別するステップは、前記識別された受信装置のそれぞれにアドレス指定するのに使用可能な情報にアクセスすること、および第１のプレゼンテーションスペースに前記受信装置のリストを提示すること、を含む、請求項４５記載の方法。
【請求項５２】
請求項５１の方法において、前記コマンドを受信するステップは、受信装置の前記リストのサブセットを選択する選択コマンドを受信することをさらに含む、請求項５１記載の方法。
【請求項５３】
少なくとも第１と第２のセッション参加者プロセッサを含み、前記第１のプロセッサが少なくとも第１の受信装置に関連付けられ、前記第２のプロセッサが少なくとも第２の受信装置に関連付けられたシステムを使用するための装置において、前記方法は会議セッション中に生成されるセッション画像を配信する方法であって、前記装置は、
セッション画像を提示および作成するためのプレゼンテーションスペースを含む少なくとも第１のプレゼンテーションユニットを含み、
少なくとも２人のセッション参加者間の会議セッションを確立するステップと；
セッション参加者を識別するステップと；
少なくとも参加者の１つのサブセットに関してそのサブセットに関連付けられた受信装置を識別するステップと；
前記識別された受信装置のそれぞれにアドレス指定するのに使用可能な情報を保存するステップと；
配信イベントの発生を識別するステップと；
配信イベントの発生に際して前記受信装置のサブセットにセッション画像を配信するステップとを
実施するためソフトウェアを実行する少なくとも第１のプロセッサを含む、装置。
【請求項５４】
配信イベントはセッションの終了を含む、請求項５３記載の装置。
【請求項５５】
請求項５３の装置において、プレゼンテーションスペースにセッション画像を作成し、コマンドを受信して受信装置の少なくとも１つのサブセットにセッション画像を配信する、少なくとも１つのインターフェース装置をさらに含み、配信コマンドの受信は配信イベントである、請求項５３記載の装置。
【請求項５６】
請求項５５の装置において、前記インターフェース装置は前記識別された受信装置のそれぞれにアドレス指定するのに使用可能な情報にアクセスし、前記プレゼンテーションユニットに受信装置のリストを提示して前記受信装置のサブセットの選択を容易にする、請求項５５記載の装置。
【請求項５７】
請求項５３の装置において、前記各受信装置がプリンタ、電子メールアカウント、ファクシミリおよびデータ記憶装置のうちの１つである、請求項５３記載の装置。
【請求項５８】
請求項５３の装置において、前記プロセッサは、参加者の１人が会議参加の招待を受諾して会議出席を試みたとき、前記サブセットに関連付けられた受信装置を前記参加者に関連付けられたプロセッサに問い合わせることにより識別する、請求項５３記載の装置。
【請求項５９】
会議画像を表示するための装置において、
筐体と；
前記筐体を支持するキャスターと；
前記筐体内に位置するプロセッサと；
前記筐体に支持されたマスタープレゼンテーションスペースと；
前記筐体に支持された少なくとも１つの第１のスレーブプレゼンテーションスペースと；
前記プレゼンテーションスペース内に画像を提示するために前記筐体内に位置する少なくとも１つの第１のプレゼンテーションユニットと；
前記マスタープレゼンテーションスペースに提示された画像を作成し編集して、前記少なくとも１つの第１のスレーブプレゼンテーションスペースに提示された画像を選択する、少なくとも１つの第１のインターフェース装置とを含む装置。
【請求項６０】
請求項５９の装置において、前記少なくとも１つの第１のインターフェース装置は、前記マスタープレゼンテーションスペースとの対話を感知するセンサを含む、請求項５９記載の装置。
【請求項６１】
請求項５９の装置において、少なくとも前記マスタープレゼンテーションスペースを形成する第１のフラットパネルディスプレイをさらに含む、請求項５９記載の装置。
【請求項６２】
少なくとも１つの第１のスレーブプレゼンテーションスペースを形成する少なくとも１つの第２のフラットパネルディスプレイをさらに含む、請求項６１記載の装置。
【請求項６３】
少なくとも１つの第２のスレーブプレゼンテーションスペースをさらに含む、請求項５９記載の装置。
【請求項６４】
請求項６３の装置において、前記少なくとも１つのインターフェースは前記マスタープレゼンテーションスペースを含み、画面上で選択可能なアイコンを、前記スレーブプレゼンテーションスペースに提示された画像を制御するために、前記マスター表示領域に提供する、請求項６３記載の装置。
【請求項６５】
前記プレゼンテーションスペースの各々の寸法を幅２フィート×高さ３フィート超とする、請求項６３記載の装置。
【請求項６６】
前記プレゼンテーションスペースの各々の寸法を実質的に幅３フィート×高さ４フィートとする、請求項６５記載の装置。
【請求項６７】
前記プレゼンテーションユニットがプロジェクタを含む、請求項６３記載の装置。
【請求項６８】
請求項６７の装置において、前記プロジェクタは前記スレーブプレゼンテーションスペースにスレーブ画像を提示するために使用され、前記装置はさらに平面パネルディスプレイの形で第２のプレゼンテーションユニットを含む、請求項６７記載の装置。
【請求項６９】
マスタープレゼンテーションユニット、少なくとも１つのスレーブプレゼンテーションユニットおよびヘルプデータベースを含み、前記マスターおよびスレーブユニットは互いに接続され、前記マスターユニットはマスタープレゼンテーションスペースを含み、前記スレーブユニットは少なくとも１つの第１のスレーブプレゼンテーションスペースを含み、前記プレゼンテーションスペースの各々はシステムユーザーに画像を提示する会議システムを使用する方法において、前記方法はシステムユーザーに視覚的にヘルプ情報を提示する方法であって、
前記マスターユニットにユーザーからの前記会議システムの操作に関連するヘルプリクエストを受信するステップと；
前記ヘルプリクエストに関する前記ヘルプデータベース内のヘルプ情報にアクセスするステップと；
前記少なくとも１つの第１のスレーブプレゼンテーションスペースに前記ヘルプ情報を提示するステップと、を含む方法。
【請求項７０】
前記提示するステップが前記少なくとも１つの第１のスレーブプレゼンテーションスペースにテキストを提供することを含む、請求項６９記載の方法。
【請求項７１】
前記提示するステップが前記ヘルプリクエストに関連付けられた会議動作を案内するビデオクリップを提供する、請求項６９記載の方法。
【請求項７２】
請求項６９の方法において、ヘルプトピックスのリストを提示して、前記マスタープレゼンテーションスペースを介した前記ヘルプトピックスの１つの選択を容易にするステップをさらに含む、請求項６９の方法。
【請求項７３】
複数のスレーブプレゼンテーションスペースを含むスレーブプレゼンテーションユニットを使用する請求項６９に記載の方法であって、前記ヘルプ情報を提示する前記ステップは、前記スレーブプレゼンテーションスペースの前記少なくとも１つのサブセットに前記ヘルプ情報を提示することを含む方法。
【請求項７４】
請求項７３の方法において、前記スレーブプレゼンテーションスペース内に提示された前記ヘルプ情報を制御するため、前記マスタープレゼンテーションスペース内に画面上で選択可能なアイコンを提示するステップをさらに含む、請求項７３記載の方法。
【請求項７５】
請求項７３の方法において、前記プロセッサはさらに、前記マスタープレゼンテーションスペースを介して前記ヘルプリクエストに関連付けられた動作をシミュレートするようにプログラムされた、請求項７３記載の方法。
【請求項７６】
請求項７５の方法において、前記シミュレートされた動作は、前記マスタープレゼンテーションスペースおよび少なくとも１つのスレーブプレゼンテーションスペースに係り、前記プロセッサは、他のスレーブプレゼンテーションスペースにヘルプ情報を提供しながら、前記マスタープレゼンテーションスペースおよび前記少なくとも１つのスレーブプレゼンテーションスペースの両方を用いて前記シミュレーションを行なう、請求項７５記載の方法。
【請求項７７】
マスタープレゼンテーションユニット、少なくとも１つのスレーブプレゼンテーションユニットおよびヘルプデータベースを含み、前記マスターおよびスレーブユニットは互いに接続され、前記マスターユニットはマスタープレゼンテーションスペースを含み、かつ前記スレーブユニットは少なくとも１つの第１のスレーブプレゼンテーションスペースを含み、前記プレゼンテーションスペースの各々はシステムユーザーに画像を提示する会議システムを使用する装置において、前記装置はシステムユーザーに視覚的にヘルプ情報を提示する装置であって、
前記マスターユニットを介してユーザーから前記会議システムの操作に関連したヘルプリクエストを受信するように；
前記ヘルプリクエストに関する前記ヘルプデータベース内のヘルプ情報にアクセスするように；
前記少なくとも１つの第１のスレーブプレゼンテーションスペースに前記ヘルプ情報を提示するようにプログラムされたプロセッサを含む、会議システムを使用する装置。
【請求項７８】
前記プロセッサは、少なくとも１つの第１のスレーブプレゼンテーションスペースにテキストを提供することによりヘルプ情報を提示する、請求項７５記載の装置。
【請求項７９】
前記プロセッサは、前記ヘルプリクエストに関連付けられた会議動作を案内するビデオクリップを提供することによりヘルプ情報を提示する、請求項６９記載の装置。
【請求項８０】
前記プロセッサはさらに、ヘルプトピックスのリストを提示して前記マスタープレゼンテーションスペースを介した前記ヘルプトピックスの１つの選択を容易にするようプログラムされている、請求項６９記載の装置。
【請求項８１】
複数のスレーブプレゼンテーションスペースを含むスレーブプレゼンテーションユニットを使用する請求項６９の装置において、前記プロセッサは、前記スレーブプレゼンテーションスペースの少なくとも１つのサブセットにヘルプ情報を提示するようにプログラムされている、請求項６９記載の装置。
【請求項８２】
請求項７３の装置において、前記プロセッサはさらに、前記スレーブプレゼンテーションスペースに提示された前記ヘルプ情報を制御するために、前記マスタープレゼンテーションスペース内に画面上で選択可能なアイコンを提示するようにプログラムされている、請求項７３記載の装置。
【請求項８３】
少なくとも１つのリモート追跡プロセッサ、ローカル追跡プロセッサ、少なくとも１つの第１のマスタープレゼンテーションユニットおよび複数のリモートプレゼンテーションユニットを含み、前記ローカル追跡プロセッサは前記マスターユニットに関連付けられ、前記ユニットおよび追跡プロセッサは少なくとも第１のネットワークを介して接続することができるシステムを使用する方法において、前記方法は前記マスターユニットとスレーブユニット間の接続を追跡する方法であって、
前記マスターユニットを用いて会議セッションを開始するステップと；
リモートプレゼンテーションユニットのマスターユニットに対する接続に関してローカル追跡プロセッサを介して前記ネットワークをモニターするステップと；
リモートプレゼンテーションユニットのマスターユニットに対する接続の継続時間を示す信号をローカル追跡プロセッサからリモート追跡プロセッサに送信するステップと、を含む方法。
【請求項８４】
請求項８３の方法において、前記信号を送信するステップは、第１のリモートプレゼンテーションユニットが前記マスターユニットに接続するとき接続信号を送信することと、また前記第１のリモートプレゼンテーションユニットが前記マスターユニットの接続を切り離すとき切断信号を送信することとを含む、請求項８３記載の方法。
【請求項８５】
請求項８３の方法において、第１のリモートプレゼンテーションユニットの前記マスターユニットに対する接続の継続時間を判断するステップをさらに含み、前記信号を送信するステップは、前記第１リモートプレゼンテーションユニットが前記マスターユニットから切り離された後に前記リモート追跡プロセッサに前記継続時間を送信することを含む、請求項８３記載の方法。
【請求項８６】
少なくとも第１と第２のプロジェクタおよび制御プロセッサを含み、前記第１と第２のプロジェクタは第１と第２のプレゼンテーションスペース内に少なくとも第１と第２の画像をそれぞれ投影する会議システムを使用する方法において、前記方法は知覚された画像の輝度を調節する方法であって、
第１および第２のプロジェクタ各々の少なくとも１つの第１の設定を単独で調節することができ、前記少なくとも１つの設定が知覚される画像輝度を生じさせる、１つの入力装置を提供するステップと；
前記第１と第２のプレゼンテーションスペースに前記第１と第２のプロジェクタを用いてそれぞれ画像を表示するステップと；
前記第１のプロジェクタが投影する画像の知覚される画像輝度が前記第２のプロジェクタが投影する画像の知覚される画像輝度と実質的に同様となるまで、前記入力装置を用いて前記第１と第２のプロジェクタの少なくとも１つの前記少なくとも１つの第１の設定を調節するステップと、を含む方法。
【請求項８７】
前記第１の設定が画像色である、請求項８６記載の方法。
【請求項８８】
白板アプリケーションと対話するインターフェース装置として使用可能な表示画面を使用する方法において、前記方法は前記画面の向きに応じて前記表示画面に関するインターフェース情報を再配置する方法であって、
幅寸法が高さ寸法より小さい縦長の向きの作業スペース領域を前記画面に提示するステップと；
前記作業スペースの向きを横長の向きに変更する指示を受信するステップと；
前記指示を受信した後、幅寸法が高さ寸法より大きい横長の向きの前記作業スペース領域を前記画面に提示するステップと、を含む方法。
【請求項８９】
請求項８８の方法において、前記作業スペース領域が縦長の向きであるときの前記作業スペース領域の幅対長さの縦横比を実質的に２：３と３：４の間とし、前記作業スペース領域が横長の向きであるときの前記作業スペース領域の幅対長さの縦横比を実質的に３：２と４：３の間とする方法。
【請求項９０】
前記表示画面が１６：９の縦横比を有する、請求項８９記載の方法。
【請求項９１】
作業スペース領域に隣接した、画面上で選択可能なツールアイコンを含むツール領域を提示するステップをさらに含む、請求項９０記載の方法。
【請求項９２】
請求項９１の方法において、前記ツール領域を提示するステップは、前記作業スペース領域が縦長の向きで提示されるとき、前記表示画面の上端および下端の少なくとも１つに沿った少なくとも１つのセクションを含むツール領域を提示し、前記作業スペース領域が横長の向きで提示されるとき、表示画面の左側端および右側端の少なくとも１つに沿った少なくとも１つのセクションを含むツール領域を提示することを含む、請求項９１記載の方法。
【請求項９３】
請求項９２の方法において、前記ツール領域を提示するステップは、前記作業スペース領域が縦長の向きで提示されるとき、前記表示画面の上端に沿って１つのツール領域を提示し、前記作業スペース領域が横長の向きで提示されるとき、前記表示画面の前記側端の１つに沿って１つのツール領域を提示することとを含む、請求項９２記載の方法。
【請求項９４】
請求項９２の方法において、前記ツール領域は、異なる画像の少なくとも１つのサブセット用に個別のパネルアイコンを含むパネルセクションを含み、ツールセクションを提示するステップは、前記作業スペース領域が横長の向きであるとき、横長のパネルアイコンを提示し、また前記作業スペース領域が縦長の向きであるときに縦長のパネルアイコンを提示することを含む、請求項９２記載の方法。
【請求項９５】
請求項８８の方法において、前記表示画面は横長の向きと縦長の向きに位置付けることができ、指示を受信するステップは、前記表示画面の向きがいつ縦長から横長に変更されたかを識別することを含む、請求項８８記載の方法。
【請求項９６】
請求項８８の方法において、前記表示画面はマスタープレゼンテーションユニットの一部であり、前記方法はさらに、２次プレゼンテーション面上に少なくとも１つの２次画像を提示する２次プレゼンテーションシステムを使用する方法であって、前記方法はさらに、前記作業スペース領域が前記縦長の向きで提示されているときは縦長の向きで前記少なくとも１つの２次画像を提示するステップと、前記作業スペース領域が前記横長の向きで提示されているときは横長の向きで前記少なくとも１つの２次画像を提示するステップと、を含む方法。
【請求項９７】
請求項９６の方法において、縦長の向きで前記少なくとも１つの２次画像を提示するステップは、前記縦長の向きで第１の数の２次画像を提示することを含み、かつ横長の向きで前記少なくとも１つの２次画像を提示するステップは、前記横長の向きで第２の数の２次画像を提示することを含み、第２の数は第１の数より小さい、請求項９６記載の方法。
【請求項９８】
第２の数が第１の数の半分である、請求項９７記載の方法。
【請求項９９】
請求項９７の方法において、前記２次プレゼンテーションシステムがマスタープレゼンテーションユニットに近接するスレーブプレゼンテーション面を含むスレーブプレゼンテーションシステムを含む、請求項９７記載の方法。
【請求項１００】
請求項９７の方法において、前記２次プレゼンテーションシステムは、インターフェース装置のディスプレイを含む個人用インターフェース装置を含み、前記少なくとも１つの２次画像は、前記インターフェース装置のディスプレイの別々のウィンドウに提供される、請求項９７記載の方法。
【請求項１０１】
請求項９７の方法において、前記２次のプレゼンテーションシステムは、前記マスターユニットから遠隔に位置する少なくとも１つのプレゼンテーション面を含み、前記少なくとも１つの２次画像は、前記プレゼンテーション面に提供される、請求項９７記載の方法。
【請求項１０２】
支持床構造を含むスペース内で使用するプロジェクタアセンブリにおいて、
向かい合う上面と下面および後端を有するガラステーブル天板部材と；
床構造の上方に実質的に水平方向で前記天板部材を支持し、これによりスレーブプレゼンテーションスペースが天板部材の後端に隣接して上方に実質的に垂直に伸びるようになる、支持構造体と；
前記プロジェクタが投影する画像が天板部材を通過して天板部材の後端に隣接する第１のスペースの中に入るように天板部材の下方に支持され並置されるプロジェクタと、を含むプロジェクタアセンブリ。
【請求項１０３】
ガラス天板部材は不透明度を制御可能なガラスを含む、請求項１０２記載のアセンブリ。
【請求項１０４】
請求項１０３のアセンブリにおいて、前記プロジェクタのスイッチが投入されたとき、ガラスは実質的に透明に制御され、前記プロジェクタのスイッチが遮断されたとき、ガラスは実質的に不透明に制御される、請求項１０３記載のアセンブリ。
【請求項１０５】
前記支持構造体は前記プロジェクタを収容するキャビネット構造を含む、請求項１０２記載のアセンブリ。
【請求項１０６】
請求項１０５のアセンブリにおいて、天板部材の下方に支持され、第２のプロジェクタが投影する画像が前記天板部材を通過して天板部材の後端に隣接する第２のスペースに入るように並置された前記第２のプロジェクタをさらに含む、請求項１０５記載のアセンブリ。
【請求項１０７】
境界を含むディスプレイの作業スペースに提示する第１の画像のサイズを変更する方法において、
（ａ）前記作業スペースの少なくとも１つの第１端に沿ってフレーム境界を提供するステップと；
（ｂ）作業スペース内およびフレーム境界の外側に前記第１の画像を表示するステップと；
（ｃ）フレーム境界内の動作をモニターするステップと；
（ｄ）動作がフレーム境界内に発生すると画像のサイズを縮小するステップと；
（ｅ）前記作業スペース内に縮小されたサイズの画像を提示するステップと、を含む方法。
【請求項１０８】
請求項１０７の方法において、前記フレーム境界を提供するステップが目に見えないフレーム境界を提供することを含む、請求項１０７記載の方法。
【請求項１０９】
請求項１０７の方法において、前記フレーム境界を提供するステップが前記作業スペースの全縁に沿って前記フレーム境界を提供することを含む、請求項１０７記載の方法。
【請求項１１０】
請求項１０７の方法において、前記縮小されたサイズの画像を提示するステップが縮小されたサイズの画像を前記作業スペース内の前記第１の画像の元の位置から移動することを含む、請求項１０７記載の方法。
【請求項１１１】
前記移動するステップが縮小されたサイズの画像を前記作業スペースの中心に移動することを含む、請求項１１０記載の方法。
【請求項１１２】
前記移動するステップが前記作業スペースの一辺に前記縮小されたサイズの画像を移動することを含む請求項１１０記載の方法。
【請求項１１３】
請求項１０７の方法において、動作が前記フレーム境界内に発生したときに前記サイズを縮小するステップは、動作の終了をモニターし、動作が終了したときに前記画像のサイズを縮小する、請求項１０７記載の方法。
【発明の詳細な説明】
【技術分野】
【０００１】
本発明は、大規模プレゼンテーションシステムのためのインターフェース、より具体的には会議出席者が会議スペース内および／または遠隔の場所で容易かつ直観的に情報を共有することを可能にするインターフェースの特徴に関する。
【背景技術】
【０００２】
上に参照され、参照文献としてここに組込まれている本出願の親出願は、複数の会議システムを教示している。少なくともそれらのうちのいくつかは、情報を共有する会議スペース（つまり会議室）内に設置することができる１台のマスタープレゼンテーションユニットおよび１つ以上のスレーブプレゼンテーションユニットを含む。
【０００３】
少なくとも実施形態のうちのいくつかでは、マスターユニットは大規模フラットパネルディスプレイ、センサーシステムおよび表示プロセッサを含んでいる。プロセッサは、ソフトウェアアプリケーション用インターフェース、写真、ビデオ、電子白板画像などのようなディスプレイによって情報を提示する。隣接するユーザーの活動を示す情報を表示画面上で受け取るために、そして受け取った情報および活動の性質に関連した機能を遂行するために、プロセッサはセンサーシステムに接続される。例えば、システムオペレータ（つまり会議発表者）が、ペンデバイスとして機械的なスタイラスを使用してスクリーン上に描画するとき、プロセッサはスタイラス先端の動きを追う仮想インクマーキングを提供するようにプログラムされることもある。同様に、選択可能なボタンアイコンを含むスクリーン上でアプリケーションインターフェース提供される場合には、プロセッサは、いつスタイラスが使用されてボタンアイコンに対応する場所でスクリーンに接触するかを感知するようにプログラムされ、さらにアイコンの選択に関連する活動を行わせることもある。
【０００４】
スレーブプレゼンテーションユニットもまた、マスターユニットのディスプレイ画面と同じくらい大きいかそれより大きいタイプのプレゼンテーション表面を含む、大規模ユニットである。スレーブユニットは、会議スペース内の人が見ることができるように、マスターユニットのすぐそばに置かれるようになっている。少なくともいくつかの発明の実施形態では、マスターユニットオペレータは、マスターユニットを使用して、マスターユニットに提示された情報をスレーブユニットのうちの１つによって表示することを指示することができる。マスターユニット情報がスレーブユニットのうちの１つによって表示されるべきであることをオペレータが指示する場合、マスターユニット情報はそのように表示される。したがって、マスター・スレーブシステムは、マスターユニットは画像を作成し修正するのに使用でき、そして、スレーブユニットは画像が作成された後興味のある画像を表示するのに使用できる、従来の紙に基づくフリップチャートと少なくともいくつかの点で同種である。
【０００５】
少なくともいくつかの実施形態では、スレーブユニットは１つ以上のプロジェクタを含み、各プロジェクタは１つ以上のスレーブ画像をスレーブプレゼンテーション面に投影する。少なくともいくつかの実施形態では、離れた場所の会議出席者がすべて同時に同じ画像を見ることができるように、２つ以上のマスター／スレーブ・サブシステムがネットワークによって接続され得る。
【０００６】
本発明は、上記および本出願の親出願に記載のマスター・スレーブシステムで使用可能な、有用なインターフェースの特徴を含んでいる。
【発明を実施するための最良の形態】
【０００７】
本発明はいくつかの異なる態様のうちのいずれかで具体化されることができる、本発明の記述は、この開示は本発明の典型的な実施形態を説明するものとして理解されるべきであり、それら実施形態は本発明を図示された特定の実施形態に限定することを企図するものではない、という理解の下になされる。
【０００８】
図面を参照するに当たり、同じ参照文字は数枚の図面を通じて同様の要素を表す。具体的に図１を参照すると、以下に記述されるシステム構成要素は聴衆に情報を提示するために、および／またはシステムオペレータと聴衆の間の共同作業を容易にするために任意のスペースの中で使用されていてもよいが、この説明を単純化するため、システムと構成要素は一般に会議室１１の前端に位置するプレゼンテーション壁面１２、会議室１１に出入りするためのドア１４、複数の会議用テーブルまたはデスク（そのうちの２個は数字１６および１８によって識別される）を含む典型的な会議室１１に関して説明する。テーブル１６および１８は、会議室１１の壁面１２上において聴衆に提示された情報が見やすい向きに聴衆を向かせるように、座席（不図示）と同様会議室１１内に配列されている。
【０００９】
少なくとも本発明のいくつかの実施形態では、一時的にあるいは永久的にマスターおよびスレーブプレゼンテーションユニットを壁１２に隣接して支持するために、長く伸びた水平のレール４０を会議室１１内の床のおよそ６から７フィート上で壁１２に取り付ける。さらに図３を参照すると、レール４０は、レール４０の長さ方向に垂直に高さＨ１および幅Ｗ１を有し、水平の上面４１を形成する。レール４０はボルトなどを含む任意の確実な方法で壁面１２に取り付けることができ、またプレゼンテーションユニット取り付け部材の末端（例えば図３中の７４）が壁面とレール４０の裏面の間に入りこめるよう、壁１２の表面から離して保持される。プレゼンテーションユニット取り付け部材については以下でより詳しく記述される。
【００１０】
さらに図１を参照すると、典型的な第一システム１０はマスタープレゼンテーションユニット２８、および第１と第２のスレーブプレゼンテーションユニット２２ａ、２２ｂを含む。図１が示すように、プレゼンテーションユニット２８、２２ａ、２２ｂなどのそれぞれは壁１２に隣接してレール４０に取り付けられて吊り下げられ、正面のプレゼンテーション面（一般に数字４８あるいは英小文字が後続する数字４８によって識別される）を会議室１１内の聴衆が容易に見ることができるようになっている。さらに図２と図３を参照すると、マスタープレゼンテーションユニット２８は、電子画像生成デバイスであり、図示された実施形態の中では、硬く、一般に直線的で、比較的薄いプラスチックあるいは金属製の筐体アセンブリ５２内に取り付けられた平面プラズマまたは液晶式の表示画面４８、トランシーバー２０、および第１と第２の取り付けフックあるいは部材７２、７４をそれぞれ含む。
【００１１】
さらに図３を見ると、筐体５２は互いに反対の方向を向く前面および裏面５３および５５をそれぞれ含む。前面５３は開口５７を形成し、その中にスクリーン４８が取り付けられ、幅Ｗ２および高さＨ２を持つその前面５４が見えるようになっている。取り付け部材７２および７４は裏面５５の水平方向上部の両隅から伸び、またその末端で下方へ伸び、裏面５５とこれに対向する該末端の対向面（この対向面の１つは図３の中の数字５９によって識別されている）の間にチャンネル１７および１９を形成する。各チャンネル１７、１９はレール４０（図３参照）の幅Ｗ１と実質的に類似する凹部寸法Ｒ１を持っている。
【００１２】
マスターユニット２８をレール４０に取り付けるには、図１と図３で最も良く分かるように、ユニット２８を持ち上げ、レール４０に関して部材７２および７４によって形成されたチャンネルがレール４０の上方にあるように位置決めする。その後、レール４０の一部が部材７２および７４によって形成されたチャンネル内に入るまでユニット２８を下降させ、部材７２および７４がレール上面４１上に支持されるようにする（図３参照）。図示されていないが、裏面５５の下端に近い部分から伸びる１つ以上の追加の伸張部材を用意して壁１２表面と接触させ、ユニット２８を実質的に垂直方向に安定させるようにしてもよい。
【００１３】
再度図３を参照すると、上記の構成要素に加えて、典型的なマスタープレゼンテーションユニット２８は、プロセッサ８０、キーボードあるいは他の形式の制御インターフェース３０（すなわち、対話機能が選択可能なスクリーン上のアイコン等のような他の手段によって提供される場合、キーボードは必要ではない）、およびディジタルメモリ８８を含む。プロセッサ８０およびメモリ８８は筐体５２により形成された空間６１内に取り付けられ、キーボード３０は筐体構造体に支持されたキーを含む。プロセッサ８０は、複数のデータバス（ラベルは付けてない）を介して、トランシーバー２０、表示画面４８、キーボード３０およびメモリ８８の各々に接続される。一般に、トランシーバー２０は、トランシーバー２０の近辺で（例えば会議室１１によって定義されたスペース内で）いくつかの異なる無線技術（例えばＲＦ、赤外線等）、およびいくつかの異なる無線通信プロトコル（例えば８０２．１１ｂ、Ｂｌｕｅｔｏｏｔｈなど）のうちのどれによっても情報を送受信できる。
【００１４】
メモリ８８はディジタルメモリデバイスであり、様々な方法を実行するためにプロセッサ８０によって使用できる複数の異なるタイプの情報を含んでいる。一般に、メモリ８８に保存された情報は、プロセッサ８０によって実行されるプログラム、および表示画面４８によって提示される画像のようなデータを含む、２つの形式を取る。プロセッサ８０によって実行されるプログラムは、少なくともいくつかの場合に、スクリーン４８に情報を加え、またそれから情報を削除するために使用される仮想インクペンおよび仮想インク式イレーサーデバイスの位置を検出するための位置検出プログラム、およびディスプレイ４８によって情報を提示するためのディスプレイドライバプログラムを含む。
【００１５】
さらに、メモリ８８は、ディスプレイ４８を通して提示される画像を管理するために使用されるプログラムを含む。例えば、少なくとも本発明のいくつかの実施形態では、メモリ８８内のプログラムは、ユニット２８からスレーブプレゼンテーションユニットのうちの１つに切り替えられた各画像に独自の識別番号などを割り当て、後のアクセスのために各切り替えられた画像および対応する識別番号をメモリ８８内に保存する。別の例を挙げれば、ある画像がスレーブプレゼンテーションユニットの特定の１つに切り替えられる場合、マスターユニットプロセッサ８０は切り替えられた画像を、その画像の切り替え先のスレーブユニットを独自に識別するユニット識別子と関連させて保存するようにプログラムされる。識別子と画像がメモリ８８に保存された後、画像は独自の識別子を参照することによってアクセスすることができる。
【００１６】
さらに、少なくとも本発明のいくつかの実施形態の中で、パワーポイント、各種スプレッドシートアプリケーション、ＣＡＤアプリケーション、ワードプロセッサアプリケーション、インターネットブラウザアプリケーションなどの従来のソフトウェアアプリケーションのコピーがプロセッサ８０によるアクセスおよび実行のためにメモリ８８内に保存される。なお、少なくとも本発明のいくつかの実施形態では、従来のソフトウェアアプリケーションがシステム１０で使用できない場合もある。その場合、従来のソフトウェアアプリケーションのコピーはメモリ８８に保存されない。さらに、少なくとも本発明のいくつかの実施形態では、パワーポイント、スプレッドシートなどのソフトウェアアプリケーションが、マスタープレゼンテーションユニット２８とともに使用可能なパームまたはラップトップ型のコンピューターに保存されるか、アクセスされる可能性もある。その場合、プロセッサ８０は従来のソフトウェアアプリケーションに対応する画像を表示するために使用される一方、プロセッサ８０自体はそのソフトウェアアプリケーションを実行しない。ここでは、コンピューターがプログラムを実行し、ディスプレイ４８を駆動するためにプロセッサ８０に情報を提供することになる。
【００１７】
図３をさらに参照すると、制御インターフェース３０は様々なタイプの入力装置を含むことができる。例えば、少なくとも本発明のいくつかの実施形態では、図２に図示されたキーのような機械的なハードウェア式ボタンを筐体５２の前面５３内に設け、フリップコマンド（つまり現在ディスプレイ４８上の画像がスレーブプレゼンテーションユニットに送信され、次に、ディスプレイ４８から消去されるべきであることを示すコマンド）などプロセッサ８０に提供されるコマンド、および他のデータアクセスおよびプログラム制御コマンドを提供することも考えられる。代替案では、あるいはハードウェア式ボタンに加えて、少なくとも発明のいくつかの実施形態では、タッチ選択可能なアイコンを、システムオペレータによる選択のために表示画面４８上に用意して、選択された時にプロセスを実行するためにコマンド信号をプロセッサ８０に供給する、ということも考えうる。入力装置３０が画像増加能力（一部は増加インターフェース）を含み、スクリーン４８上の画像にマークを加えたり削除したりすることができる場合もある。この目的のためには、「電子ホワイトボード」と題して、２００３年６月２日に申請され、その全体が参照文献としてここに組み入れられている米国特許出願第１０／４５２，１７８号を参照のこと。代替案では、少なくとも発明のいくつかの実施形態において、マスターユニット２８への入力は、プロセッサ８０へのコマンドがトランシーバー２０経由で受け取られるパームまたはラップトップ型の計算装置（例えばポータブルの制御インターフェース）を常に経由してもよい。
【００１８】
以下、別途指示しない限り、説明を単純化するために、マスターユニット２８は機械式キーボード３０を含むものとする。さらに、別途指示しない限り、パームおよびラップトップコンピューターおよび制御装置は、一般にハンドヘルドデバイス（ＨＨＤ）として引用されるだろう。さらに、ユニット―装置間通信は有線でもなしうるが、ここではユニット―装置間通信はすべて無線プロトコルおよびトランシーバー経由（例えば図２中の２０）と仮定する。
【００１９】
図１および図２をもう一度参照すると、典型的なマスターユニットキーボードのキーは再開キー５６、送信またはフリップキー５８、保存キー６０、回収キー６２、左送信キー６８、右送信キー７０およびテンキー６７を含む。ここに記述され図示された選択可能なキーは単に例示のためのものであり、また、多くの場合に、追加の選択可能キーあるいはここに記述されたキーのサブセットが、ディスプレイ４８によって提供されうる。選択可能なキーセットはシステム１０がサポートする機能および、少なくともいくつかの場合には、システム構成要素の相対的な並置に依存する。さらに、従来のソフトウエアプログラムがプロセッサ８０によって実行されるか、ディスプレイ４８が従来のソフトウエアプログラムを実行するＨＨＤのために大型ディスプレイとして使用された場合、ソフトウェアアプリケーションをサポートするために必要とされるマウスあるいはタッチ選択可能なアイコンが、ディスプレイ４８上に出現してもよい。
【００２０】
さらに図１と図２を参照すると、少なくともいくつかの場合では、マスタープレゼンテーションユニット２８は、会議室１１内のユニットを見る聴衆に対してスレーブプレゼンテーションユニット２２ａ、２２ｂなどの片側に位置すると考えられる。この場合、ディスプレイ４８からスレーブプレゼンテーションユニット２２ａ、２２ｂなどの１つに画像を切り替えるために、切り替えられる画像を受け取るスレーブユニットを特定的に識別する方法がなければならない。ここに記述した典型的な実施形態中では、独自のスレーブユニット識別子「１」および「２」はスレーブユニット２２ａ、２２ｂ等のそれぞれに提供され、システムオペレータがマスターユニット２８との対話により共同作業を容易にすることができる立場にある場合、そのオペレータはそれら識別子を容易に見ることができる。図１では、ユニット識別子「１」および「２」は個々のユニット収容アセンブリの一端に永久的に印刷されている。
【００２１】
本例において、プロセッサ８０は、ディスプレイ４８上の画像がユニット２２ａあるいは２２ｂのうちの１つに切り替えられることを示すためにキーボード３０をモニターするようにプログラムされる。この場合、画像をユニット２２ａあるいは２２ｂのうちの１つへ切り替えるために、システムオペレータは、パッド６７を使用して、画像が切り替えられることになっているユニットに対応するユニット識別子番号を選択し、続いて送信キー５８を選択する、と考えられる。例えばディスプレイ４８からユニット２２ａに画像を切り替えるには、オペレータはパッド６７を用いて番号「１」を選択し、次にキー５８を選択する。同様に、ユニット２２ｂへ画像を切り替えるためには、オペレータはパッド６７から番号「２」を選択し、続いて、送信キー５８を選択する。
【００２２】
ここで、別々にアドレス指定可能な各々のスレーブユニットが、そしていくつかの実施形態ではマスターユニット２８が、それにデータを送信するために使用できる固有のネットワークアドレスを持っていると仮定される。例えば図１では、スレーブユニット２２ａおよび２２ｂには固有の無線アドレス「ＸＰ４５５１９７８４」および「ＱＺ１４３３２１７」がそれぞれ割り当てられ、マスターユニット２８にはアドレス「ＡＭ７９６６１４２」が割り当てられる。スレーブスクリーンのアドレスは、独自のスレーブユニット識別子（例えば本例における「１」および「２」）と関連付けられ、その関連付けられたアドレスと識別子はマスターユニットメモリ８８に保存される。さらに個々のスレーブユニット２２ａ、２２ｂなどのプロセッサは、それぞれのネットワークアドレスに送られた無線信号をモニターし受け取るようにプログラムされている。あるスレーブユニットが、切り替えられる画像のターゲットとして選択されている場合、プロセッサ８０はターゲットスレーブユニットに関連したネットワークアドレスを識別し、画像およびターゲットであるスレーブユニットのアドレスを含む画像データパケットを生成し、そのデータパケットを選択されたスレーブユニットに送信する。そしてその後、多い場合でも数個の形態の中で、ディスプレイ４８から画像を消去するか（つまり、ディスプレイ４８をブランクにする）、さもなければ画像をディスプレイ４８によって見えなくして、従来の紙パッド式フリップチャートを模倣する方法でクリーンで明瞭な表面４８を提供する。他の実施例では、マスター画像を見えなくするために第２の積極的ステップが必要な場合もある。
【００２３】
少なくとも本発明のいくつかの実施形態では、マスタープレゼンテーションユニット２８はスレーブプレゼンテーションユニット２２ａ、２２ｂなどによって提示された画像を回収するためにも使用可能であり、その結果、それらの画像は編集され、次に編集された形でスレーブユニットによって提示されることができる。この目的のために図１から図３をさらに参照すると、画像がマスターユニット２８からスレーブユニット２２ａ、２２ｂなどのうちの１つに切り替えられる場合、少なくともいくつかの発明の実施形態中で、スレーブユニットによって受け取られた画像データは一時的にスレーブユニットメモリ（図５の１１９を参照）に保存される。
【００２４】
画像がスレーブユニットによって提示された後、システムオペレータがその画像を編集したければ、上述のユニット２２ｂへ画像を切り替えるための方法と同様のやり方で、システムオペレータは、スレーブユニットに対応する識別子番号を選択するためにテンキー６７を使用し、次に回収キー６２を選択する。回収キー６２が選択されている場合、マスタープロセッサ８０は画像回収要求およびそこから画像が回収されるスレーブユニットのアドレスを含む回収データパケットを形成し、その回収データパケットをスレーブユニットに無線で送信する。これを受けて、スレーブユニットは、スレーブ画像およびマスターユニットのネットワークアドレスを含む画像データパケットを生成し、その画像データパケットをマスターユニット２８に送り返す。画像パケットを受け取ると、マスターユニット２８はさらに協同表示／編集のためにディスプレイ４８によって画像を再び提示する。
【００２５】
上に記述されるようにスレーブユニットメモリからスレーブ画像にアクセスする代わりに、少なくともいくつかの発明の実施形態の中では、マスターユニット２８がスレーブユニットへ画像を切り替える場合、画像は独自のスレーブユニット識別子と関連付けられ、その識別子とともにマスターユニットメモリ８８に保存される。その後、オペレータが編集などのためにスレーブ画像をマスターユニット２８に提示したい場合、オペレータはテンキー６７によって適切なスレーブユニット識別子（つまり再アクセスされる画像を提示するスレーブユニットに関連した識別子番号）を選択することができ、続いて回収キー６２を選択して、プロセッサ８０が以前にメモリ８８の中に保存された画像にアクセスして、ディスプレイ４８上に画像を提示させることができる。
【００２６】
さらに再び図１から図３を参照すると、本発明の少なくとも１つの態様によれば、プレゼンテーションまたは協同作業中、プレゼンテーションユニット２８、２２ａ、２２ｂなどの１つ以上によって画像が示された後で、オペレータが後刻プレゼンテーションを継続する意図でプレゼンテーションを止めたい場合、１つの機能を用意して、それによってオペレータがプレゼンテーションユニットに現在提示されているすべての画像を迅速に保存できるようにし、その結果、プレゼンテーションまたは協同作業が再開されたときに、現在提示されている画像のすべてが同じ相対的並置でプレゼンテーションユニットに迅速かつ直ちに再提示することができるようにする。この目的のためにプロセッサ８０は、保存キー６０をモニターするようにプログラムされてもよく、アイコン６０が選択された場合には、各々の独自のプレゼンテーションユニット識別子（例えば「１」、「２」など、マスターユニット２８等に独自に関連付けた識別子）を、対応するプレゼンテーションユニットに現在表示されている画像と画像―ユニットセットとして関連付け、そして該画像―ユニットセットをメモリ８８に保存するようにしてもよい。それから、マスターおよびスレーブユニットに画像を後刻再提示するために、オペレータは再開キー５６を選択する可能性があり、その後にプロセッサ８０は画像―ユニットセットにアクセスし、マスターおよびスレーブユニットにそれらの画像を再提示する。
【００２７】
ここで、画像―ユニットセットが保存されるかあるいは再アクセスされるとき、プロセッサ８０は、特定の画像―ユニットセットを認識するのに使用可能な名前を用意することにより、オペレータが画像―ユニットセットを一義的に識別することを可能にするようにプログラムされてもよい。この場合、１つ以上の画像―ユニットセットはメモリ８８に保存され、続いてプレゼンテーションを再開するために曖昧性なしに回収される。
【００２８】
画像はユニット識別子と共に保存することができるが、記憶キー６０が選択されている場合には、ネットワークアドレスと共に画像を保存することにより、同様の結果を達成することもできる。ここで、会議が再開されたとき、プロセッサ８０は、ユニット識別子およびアドレスを関連付ける中間的ステップを行う必要なしに、単に記憶画像とアドレスにアクセスし、関連アドレスに画像を切り替える。
【００２９】
少なくともいくつかの実施形態では、マスターユニットと共に使用されるスレーブユニットの数は変わらず、また、特定のスレーブユニットおよび機能の専用のキーはキーボード３０上に用意されるようになっている。例えば、システム１０が１台のマスターユニット２８と２台のスレーブユニット２２ａおよび２２ｂのみを含むとき、スレーブユニット２２ａおよび２２ｂのそれぞれのための別々の送信および回収キーが用意され、単一のキー選択によってフリッピング／回収を行うことができる。同様に、図１をもう一度参照すると、少なくともいくつかの場合では、マスターユニット２８は、２台のスレーブユニットの間に置かれる可能性がある（つまり、ユニット２８がスレーブユニット２２ａと２２ｂの間にあるように、マスターユニット２８とスレーブユニット２２ａを交換する）ことも考えられる。この場合、単純な左右の送信アイコン６８と７０は、それぞれ、マスターユニット２８からマスターユニットの左右のスレーブユニットに画像を切り替えるために使用される。図示されていないが、アイコン６８および７０に似た単純な左右回収矢印アイコンを用意して、スレーブユニットから画像を回収してスクリーン４８上で再提示することもできるだろう。
【００３０】
図１をもう一度参照すると、少なくとも本発明のいくつかの実施形態では、各スレーブプレゼンテーションユニット２２ａおよび２２ｂは同様の構成および同様の働きを持つので、本説明を単純にするために、ここではユニット２２ａだけを詳細に説明する。図４と図５をさらに参照すると、スレーブプレゼンテーションユニット２２ａは引き出し式のローラー日除け式のユニットであり、筐体アセンブリ１００（以下筐体１００）、トランシーバー３４ａ、巻き取りおよび引き出し可能なプレゼンテーションスクリーン３８ａ、それぞれ第１と第２の取り付け部材あるいはフック１０２と１０４、プロセッサ１１０、モーター１１２、動力付きスクリーンスピンドル１１４、スレーブ提示装置／印刷アプリケーター（本例ではプリンタ１１６の形をとる）、イレーサー１１８およびメモリ１１９を含む。筐体１００は一般に硬い箱形のアセンブリであり、上下壁１０７と１０９の間に空間１０５、前後壁１１１および１１３を形成している。前部壁１１１および後部壁１１３は互いに反対の方向を向く表裏面１０１および１０３を形成する。下部壁１０９は一般に筐体１００の長さ方向に沿ってスリットまたは開口１２２を形成し、これを通ってスクリーン３８ａの下端が伸張する。各々の取り付け部材１０２および１０４は、マスターユニット筐体５２に固定された取り付け部材７２および７４と同様、筐体１００の後部壁１１３から後方へ伸張するように取り付けられ、筐体１００の両端から伸張している。各部材の末端１０２と１０４は下方に伸張していて、部材１０２がチャンネル１１７を、部材１０４がチャンネル１１５を形成し、各チャンネルはレール４０の幅寸法Ｗ１と同様のチャンネル寸法Ｒ２を有する。したがって、メインユニット２８の場合と同様に、スレーブユニット２２ａは、レール４０がチャンネル１１５および１１７内に受容されるように部材１０２および１０４をレール４０上に載置することによって、レール４０に取り付けることができる。
【００３１】
トランシーバー３４ａは上部壁１０７に取り付けられ、そこから上方に伸びている。スクリーン３８ａは、少なくとも本発明のいくつかの実施形態中で、柔軟で巻き取り可能な一般に直線形の部材であり、引き出されたとき開口１２２を通してその下方に伸張し、筐体１００の表面１０１と同方向を向くプレゼンテーション面４８ａを提供する。少なくともいくつかの実施形態中で、プレゼンテーション面４８ａはマイラー（Ｄｕ
Ｐｏｎｔによって開発販売されているポリエステル材料の商標名）等の書き込み／消去可能な面であり、その上に消去可能なインキが印刷されるかプロットされ、その後消去することができる。ある場合には、重みのある棒１０６をスクリーン３８ａの下端に取り付け、スクリーン３８ａが広げられ、筐体１００の下方に伸張する場合に、スクリーン３８ａを実質上平らに保つのを助けてもよい。
【００３２】
図示の実施形態では、プロセッサ１１０、モーター１１２、スピンドル１１４、プリンタ１１６およびイレーサー１１８のそれぞれは、ハウジング空間１０５の内部に取り付けられる。プロセッサ１１０はモーター１１２、プリンタ１１６およびイレーサー１１８に接続され、これら構成要素のそれぞれをコントロールする。プロセッサ１１０はメモリ１１９にも接続されてその中の情報にアクセスし、またトランシーバー３４ａに接続されてデータパケットを送受信する。モーター１１２はスピンドル１１４に結合され、上端がスピンドル１１４に付けられているスレーブスクリーン３８ａを巻き上げたり広げたりする。
【００３３】
プロセッサ１１０はプリンタ１１６を制御し、画像がマスターユニット２８からスレーブユニット２２ａに切り替えられる場合、スクリーン３８ａが広げられつつある時にプレゼンテーション面４８ａ上の画像を印刷し、そうでなければ、スピンドルによってスクリーン３８ａを上下に移動させながら表面４８ａに隣接している１つ以上のプリンタヘッドを移動させることによりプリントする。いずれにせよ、プロセッサ１１０は、マスターユニット２８からユニット２２ａに切り替えられた画像を提示するようにプリンタ１１６をコントロールする。ある場合には提示はカラーであり、他の場合には白黒であり得る。さらに別の場合には、ユーザーには、カラーあるいは白黒で印刷するオプションがあってもよい。
【００３４】
イレーサー１１８はプロセッサ１１０によってコントロールされ、プリンタ１１６によってプレゼンテーション面４８ａに被着されたインクを消去する。この目的のために、イレーサー１１８は、スクリーンスピンドル１１４がスクリーン３８ａを巻き上げるとき、表面４８ａの上でイレーサーパッドを保持しながら筐体１００の長さ方向に沿って単に前後に移動する。代替案では、プロセッサ１１０はイレーサー１１８をコントロールして、表面４８ａからある情報を消しながら他の情報は表面４８ａ上に残すことができる可能性もある。ここで例えば、システムオペレータがスレーブユニット２２ａからの画像に再アクセスしてマスターユニット２８で編集しようとするとき、編集が単にユニット２８によって画像のうちはっきりと区別された部分を消し、次にユニット２２ａに修正済の画像を再切り替えすることである場合、修正済の画像は、表面４８ａから適当な情報を消し、修正済の画像が表面４８ａ上で見えるようにスクリーン３８ａを広げることにより、ユニット２２ａに提示することができる。
【００３５】
したがって、図１〜図５の中に示された実施形態中で、オペレータがマスタースクリーンディスプレイ４８上の画像がユニット２２ａに切り替えられるべきことを示す場合、画像データパケットは、トランシーバー３４ａによってトランシーバー２２経由でプロセッサ１１０に送信される。その後プロセッサ１１０はモーター１１２とプリンタ１１６を制御して、スクリーン３８ａを広げ、同時に表面４８ａにインクを被着して表面４８ａ上に切り替えられた画像を形成する。画像が表面４８ａ上に形成された後、システムオペレータがユニット２２ａに別の画像を切り替えると、プロセッサ１１０は、まずモーター１１２とイレーサー１１８を制御してスクリーン３８ａを巻き上げ、同時にその上に印刷されたインクを消去する。表面４８ａがきれいになった後、プロセッサ１１０は次にモーター１１２およびプリンタ１１６を制御して再び表面４８ａにインクを被着し、聴衆が見られるように表面４８ａ上に新しく切り替えられた画像を用意する。
【００３６】
スレーブユニット２２ａか２２ｂのうちの１つで既存の画像を消去し、かつ表面４８ａ上に新しい画像を形成するインクを被着するためにある程度の時間（例えば３０秒以上）がかかる可能性がある一方、画像がマスターユニット２８から切り替えられた後、ディスプレイ４８は直ちにクリアされ、協同プロセスを継続するために使用できるようになる。したがって、上に記述された方法で画像を生成する際の遅れは、協同作業を遅らせることはない。
【００３７】
図１において、マスター表示画面４８の寸法と、広げられ画像を示すために使用されるスレーブスクリーン３８ａの部分の寸法が類似していて、スクリーン３８ａに切り替えられかつ提示された画像は、ディスプレイ４８に提示された画像のスケールに本質的に似たスケールを持っていることは認識すべきである。
【００３８】
さらに図１から図５を参照するとき、マスターおよびスレーブユニット２８および２２ａ、２２ｂ等がレール４０から取外し可能であると、上述のシステム全体は容易に１つの会議室１１から他の会議室へ運ぶことができ、レール４０と同様のレール上にユニットの裏面から伸張する取り付け部材を載置することにより容易にセットアップすることができる、ということを認識するべきである。輸送中には、スレーブユニットのスクリーン（例えば３８ａ）は保護のため、また構成をコンパクトにするために完全に巻き上げることができる。
【００３９】
図６は、上部ヘッダー１２２、筐体１２４、トランシーバー１３０、スクリーン１２６、第１と第２の取り付け部材１３２および１３４を含む、スレーブプレゼンテーションユニット１２０の別の実施形態を示す。取り付け部材１３２および１３４は上述の取り付け部材１０２および１０４に構造と動作が類似しているので、ここでは詳細に述べない。ここでは、ユニット１２０を上述のレール４０のようなレールに取り付けるためにヘッダー１２２の裏面から部材１３２および１３４が伸張していることを言えば十分である。
【００４０】
この第２の実施形態では、スクリーン１２６は、ヘッダー１２２の底面に堅く固定され、そして下部筐体１２４には開口（不図示）が形成され、それを通してスクリーン１２６の下部末端が伸張し、そしてその中に、図５に関して上に記述されたスピンドル１１４に類似したスクリーンスピンドルが取り付けられる。さらに、この実施形態においても、図５に関して上に記述されたプロセッサ１１０、モーター１１２、プリンタ１１６、メモリ１１９、およびイレーサー１１８が、筐体１２４内に取り付けられ、またトランシーバー１３０が筐体１２４から上方へ伸びる。ここで、画像がマスターユニット２８からスレーブユニット１２０に切り替えられる場合、送信された画像データパケットはトランシーバー１３０によって受け取られる。そして、筐体１２４中のプロセッサはその中のモーターとプリンタを制御して、スクリーン１２６を広げ、かつ筐体１２４がヘッダー１２２の下方に下降（矢印１２８を参照）するとともに、インクを面１２６に被着して切り替えられた画像をその上に形成する。この場合の利点は、画像を上から下へとプリントできるということである。同様に、表面１２６上の画像が消去されることになっている場合、筐体１２４内部のプロセッサは筐体１２４中のモーターとイレーサーを同時にコントロールし、スクリーン１２６を巻き取り、かつ表面１２６からインクを消去する。
【００４１】
今、図７、図８および図９を参照すると、図５に図示されたスレーブユニットに類似したスレーブユニットの追加の３つの実施形態１７１、１７３および１７５が示されている。図７から図９では、各スレーブユニットは図５に関して上に記述されたものに似ているプロセッサ１１０、あるタイプのモーターか動力１１２、プリンタ１１８、イレーサー１１６、メモリ（不図示）、取り付け部材（例えば１０４）、およびトランシーバー３４ａを含み、したがって、この説明の単純化のために、それらの構成要素はここで再び個々には述べない。図７、図８および図９の実施形態と図５の実施形態の間の主要な差は、プレゼンテーションスクリーンがどのように伸長され収納されるかにある。
【００４２】
図７の実施形態は一般に引き出し無限ループ式ユニットで、動力付きスピンドル１５１および自由回転スピンドル１４８の両方を含んでいる。動力付きスピンドル１５１は、プロセッサ１１０の管理下でモーター１１２によって駆動される。図７では、スクリーン１４４は筐体１００内の動力付きスピンドル１５１を囲む連続的なベルトまたはループ式スクリーンであり、下方に伸張して、また筐体１００の下方の自由回転スピンドル１４８に巻きつき、正面のスクリーン部分は正面のプレゼンテーション面１５５を形成し、裏面のスクリーン部分は表面１５５方向の反対方向を向く裏面１５９を形成する。少なくともいくつかの実施形態では、筐体１００は一般に筐体１００の全長に沿って伸びる２つのスリット状開口１４０および１４２を形成し、スクリーン１４５がそれを通って通過することを可能にする。
【００４３】
少なくともいくつかの実施形態では、スクリーン１４４が矢印１４６によって示されるごとく上方あるいは下方へ動くことができるように、そして自由回転スピンドル１４８が矢印１５０によって示されるごとく時計方向または反時計方向に回転できるように、動力が時計方向または反時計方向にスピンドル１５１に供給される。ここで、少なくとも本発明のいくつかの実施形態では、画像がユニット１７１に切り替えられる場合、プロセッサ１１０はモーター１１２およびプリンタ１１６を同時に制御して、スピンドル１５１が時計回り方向で回転するとともに、スクリーン１４４上に画像を形成するためにインクを被着させる。画像が形成された後、画像は筐体１００と自由回転スピンドル１４８の間の前面１５５上に見ることができる。この場合、画像を消去するために、スピンドル１５１は反時計回りに回転され、その一方でイレーサー１１８はスクリーン１４４からインクを除去する。別の実施形態では、前面１５５から画像を消すために、スピンドル１５１は時計回り方向に回転し、画像が自由回転スピンドル１４８を中心に回転し、動力付きスピンドル１５１に向かって戻ってそのまわりを回り、そして再び下降してイレーサー１１８を通過し、イレーサー１１８は、スクリーン上のインクを消去する。図７に図示されないさらに他の実施形態においては、イレーサー１１８は筐体１００内のスクリーン１４４の反対側に置かれ、そして、セクション１５５が開口１４０を通って上昇するとともに、スクリーン１４４上でそれに示された画像を消去するために使用されることも可能である。
【００４４】
図８では、典型的なスレーブプレゼンテーションユニット１７３は引き出し下降ループ式ユニットで、自由回転スピンドル１６７のみならず、両方とも筐体１００内に取り付けられた第１の動力付きスピンドル１６３および第２の動力付きスピンドル１６５を含んでいる。ここに、プレゼンテーションスクリーン１８１の第一と第二の終端は、それぞれスピンドル１６３および１６５に取り付けられそれらの周りを回る。そしてスクリーン１８１の中央部は、筐体１００の下方に懸垂されている自由回転スピンドル１６７に巻きついている。この場合、動力付きスピンドル１６３および１６５は、スクリーン１８１のプレゼンテーション面１８３を矢印１４６によって示されるように上方または下方に動かすために、そして矢印１８７によって示されるようにスピンドル１６７を回ってどの方向にも動かすのに使用される。上記のスレーブユニットの実施形態のように、プリンタ１１６およびイレーサー１１８は、マスターユニット２８とのやりとりによって生じた画像フリップ動作を反映させるために、プレゼンテーション面にインクを被着させるかそこから除去するように制御されてもよい。
【００４５】
図９を見ると、ユニット１７５は、図５、図７および図８に関して上述したユニットに類似の引き出し式アコーディオン型ユニットであるが、次の点で異なる。すなわち、スピンドルは取り込み／繰り出しアセンブリ１７４で置き換えられ、スクリーンは、巻き取り式スクリーン部材である代わりに、細長い水平スクリーン部材を含み、区分されたアコーディオン式スクリーン１７２である。スクリーン部材のうちの２つを、番号１８９によって一括して示すが、それらは水平方向に伸びるエッジに沿って結合されている。ここで、動力１１２は、矢印１７０によって示されるように、プロセッサ１１０によってプリンタ１１６に隣接したスクリーン１７２を繰り出し、またイレーサー１１８に隣接したスクリーン１７２を取り込むように制御される。
【００４６】
いま図１、図１０ａおよび図１０ｂを参照すると、典型的なＨＨＤインターフェースユニット２００は、プロセッサ２０３、ディスプレイ２０４、キーボード２０９およびトランシーバー２１１を含む他のユニット構成要素を保護し支持する、一般に直線状で硬質のプラスチックまたは金属の筐体１９９を含んでいる。プロセッサ２０３は、トランシーバー２１１、スクリーン２０４、メモリ２０７およびキーボード２０９の各々に接続され、適切なときにそれらから情報を受け取るかあるいはそれらに情報を提供する。プロセッサ２０３はメモリ２０７に保存された様々なプログラムを実行する。さらに、少なくとも本発明のいくつかの実施形態では、プロセッサ２０３は、会議室１１内あるいはその近くに取り付けられたアクセスポイントとの無線通信によって、従来のコンピューターネットワーク（例えばローカルエリアネットワーク、広域ネットワーク、インターネット等）にアクセスすることができる。ユニット２００のような無線デバイスとネットワークサーバー間のアクセスポイント経由の通信は無線通信技術において周知であり、したがってこの説明の単純化のためにここでは詳述しない。
【００４７】
キーボード２０９は、図２に関して上述したキーボードキーと同種のハードウェアキーを含んでいる。具体的には、メカニカルキー２０８、２１０、２１６および２２０は、上述のキー５６、６０、６２および５８と同種であり、プレゼンテーションを再開し、プレゼンテーションに関連した画像を保存し、マスターユニット２８によってそれらを再提示することができるようにスレーブユニットによって示された画像を回収し、またマスターユニット２８からスレーブユニットのうちの任意の１つにそれぞれ画像を送るために使用することができる。テンキー２１４は、図２に関して上述したテンキー６７に似た方法で使用される。例えば、画像が切り替えられるべき識別子番号「２」のスレーブユニットを示すために、オペレータはキーボード２０９から「２」キーを選び、それから送信キー２２０を押下する。
【００４８】
左方向矢印キー２２２はそのラベルが意味するように左送信キーであり、マスターユニット２８によって現在提示された画像は、マスターユニット２８の左側のスレーブユニットに送られるべきであることを指示する。同様に右方向矢印キー２２８は右送信キーであり、マスターユニット２８によって現在提示された画像は、マスターユニット２８の右側のスレーブユニットに送られるべきであることを指示する。右向き矢印キー２２３は左側回収キーであり、マスターユニット２８の左側のスレーブユニット上で現在提示されている画像がマスターユニットに回収されそれによって表示されるべきであることを示す。同様に、左向き矢印キー２２６は、右側回収キーであり、マスターユニット２８の右側のスレーブユニット上で現在提示されている画像がマスターユニットに回収されそれによって表示されるべきであることを示す。
【００４９】
上述のキーに加えて、ユニット２００には入力キー２１２が用意され、他のキーボードキーによって入力された情報を処理することを指示するために使用することができる。例えば、プレゼンテーションが再開されることになっており、以前に保存された特定の画像―ユニットセットにアクセスするために特定の７桁のナンバーコードを入力しなければならない時には、再開ボタン２０８が選択された後、プロセッサ２０３は、画像―ユニットセットに関連する画像にアクセスしかつプレゼンテーションユニットによって画像を示すために、特定の７個の数の配列を入力しなければならないセッション識別番号フィールドをディスプレイ２０４上に示す。少なくとも発明のいくつかの実施例では、ユニット２００はコンピューターキーボード上で典型的に見られる文字、数字、およびファンクションキーを含むフルキーボード表現を含み、ユニット２００が事実上完全なラップトップコンピューターとして使用することができ、様々なソフトウェアアプリケーション（例えばパワーポイント、スプレッドシートアプリケーション、ワードプロセッサアプリケーション等）とやりとりできると考えられる。
【００５０】
さらに図１と図１０ａを参照すると、少なくともいくつかの実施例では、スクリーン２０４は完全に機能的なタッチ感知式フラットパネルディスプレイスクリーンであり、それはソフトウェアアプリケーションに対応する画像、スタイラス２０２あるいは他の同様のタイプのインターフェースツールによりスクリーン２０４に入力された情報の対応画像、そして、少なくともいくつかの場合、ソフトウェアが生成した画像と応用情報を結合する画像を含む任意のタイプの可視映像を事実上表示するために使用することができる。したがって、例えば、一枚のパワーポイントスライドがディスプレイ２０４上に提示される場合、少なくともいくつかの場合にシステムオペレータは、ディスプレイ２０４上にマーク（例えば図１０ａの中の２２９）を付けるためにスタイラス２０２を使用し、プロセッサ２０３はそれを追跡してマークが表現されるようにディスプレイ２０４上の画像を変更する。ここで、マークは現実のインクがスクリーン２０４の表面に被着されないにもかかわらずディスプレイ２０４に現われるので、仮想インクマークと呼ばれる。
【００５１】
重要な点は、本発明の１つの態様によれば、制御インターフェース２００のディスプレイ２０４によって示された情報は、ユニット２８のマスターディスプレイ４８上で直ちに更新されることである。したがって、ＨＨＤ２００を使用する場合、システムオペレータは会議室１１内のどの場所にいても、ディスプレイ４８上に表示された画像をリアルタイムかつ協同的なフリップチャートのような形で修正するためにＨＨＤ２００を使用することができる。ディスプレイ４８上の画像が完成したのちオペレータがユニット２８から図１のスレーブユニット２２ａか２２ｂの１つに画像を切り替えたい場合、オペレータは適切なスレーブユニットへ画像を切り替えるためにＨＨＤ２００を使用する。例えば、図１に図示された例において、マスターユニット２８からスレーブユニット２２ａへと画像を切り替えるには、オペレータは、ＨＨＤ２００の上の「１」キーを選択し、次に送信キー２２０を選択する。送信キー２２０が選択された後、プロセッサ２０３は選択されたスレーブユニットへの画像切り替えを命じる、マスターユニットネットワークアドレスを含むフリップ指令データパケットを形成し、そのフリップ指令データパケットをトランシーバー２１１および２０を通じてプロセッサ８０（再び図３を参照）に送信する。フリップコマンドを受け取ると、プロセッサ８０は、現在表示されている画像を含む画像データパケットを形成し、ＨＨＤ２００によって選択されたスレーブユニットに画像データパケットを送信する。
【００５２】
図１０ａおよび図１０ｂおよび図１を依然として参照すると、ユニット２００はスタンドアローン型ラップトップコンピューターであってよく、またマスターユニット２８が単に入出力装置であるような完全なデータ処理プラットホームを提供してもよい。ここで、例えば、ディスプレイ２０との対話機能を追跡するプログラムはユニット２００によって実行されてよく、また、ユニット２００は、単にマスターユニットプロセッサ８０にディスプレイ駆動データを提供するだけでもよい。
【００５３】
さらに、この場合、ユニット２００は完全に画像プレゼンテーションを組み立てることができ、マスターユニット２８は切り替えと回収処理を行わない可能性もある。ここで、例えば、ユニット２００は、マスターおよびスレーブユニットによって表示された画像を含む画像をすべて保存することができる。マスター画像がスレーブユニットに切り替えられることを発表者がマスターユニット２８に示す場合、コマンドはユニット２００によって受け取られ、それが今度はマスター画像を指定のスレーブユニットへ送信することによって切り替えを生じさせる。さらに、ここで、ユニット２００はさらに切り替えられた画像を消去するためにマスターユニットに自動的にコマンドを送信してもよい。回収コマンドも、マスタープロセッサ８０によってではなくユニット２００によって行なわれる。
【００５４】
図１１は、少なくとも本発明のいくつかの態様による第２の典型的なシステム２３０を示す。システム２３０は、図１に関して上述した会議室１１のような会議室に関して示されている。ここではプレゼンテーションユニット４８および２３２は、聴衆が関連するプレゼンテーション面を容易に見られるように、その室内のレール４０上に取り付けられる。ここで、マスターユニット２８は図１に関連して上述したマスターユニット２８に類似していて、わずかの相違しかない。その相違に関して再び図３を参照すると、図１１の実施形態中のマスターユニットプロセッサ８０は、図１に関して上述のプロセッサとはわずかに異なってプログラムされる。より具体的に言えば、システム２３０にはただ１つのスレーブユニット２３２だけしかないので、プロセッサ８０は、送信コマンドが受信されたとき、すべての画像を単一のスレーブユニット２３２に切り替えるようにプログラムされる。
【００５５】
次に、スレーブユニット２３２へ画像を切り替える前に、プロセッサ８０は、切り替えられた画像に画像識別子番号を加えるようにプログラムされる。その番号は、この例において、切り替えられた画像の左上隅に加えられる。例えば、図１１では、画像識別子番号「６」および「７」は、それぞれ表面２５０および２４８上に示された画像に対応付けられ、したがって、後で各画像を一義的に識別することができるように、識別子番号６および７は画像の各々に加えられる。
【００５６】
第３に、スレーブユニット２３２へ画像を切り替える前に、プロセッサ８０は、後のアクセス用にマスターユニットメモリ８８中の画像と画像識別子番号とを関連付けて保存する。図１１に示された上記の例において、それらの画像の各々がスレーブユニット２３２に切り替えられたとき、マスターユニットプロセッサ８０（再度図３を参照）は、表面２５０上の画像を識別子番号６で保存し、同様に表面２４８上の画像を識別子番号７で保存する。
【００５７】
図１１をさらに参照すると、スレーブプレゼンテーションユニット２３２は、図５に図示された構成要素と同種の構成要素のサブセットあるいは１セットの構成要素を含む大フォーマットプリンタあるいはプロッタである。この目的のために、ユニット２３２はプロセッサ３３６、モーター３３８、プリンタ３４０および紙３４２の大きなロール、およびトランシーバー２４０を含む。ユニット２３２の場合、プロセッサ３３６はモーター３３８、トランシーバー２４０およびプリンタ３４０に接続され、また、画像がユニット２３２に切り替えられる場合、プロセッサ３３６は、モーター３３８およびプリンタ３４０を同時に制御してペーパーロールの一部を広げ、広げられた部分が下降するにつれその前面２５０にインクを被着させる。表面２５０への画像の被着に加えて、プリンタ３４０は画像の左上隅に画像識別子番号（例えば図１１中の「６」）を付加する。
【００５８】
画像が印刷された後、ユニット２３２から引き出されたロール部分は切り離して、常に見られるように隣接ユニット２３２に貼り付けることができる。この目的のために、少なくともいくつかの実施形態では、レール４０は、切り離したシートを貼り付けるための画びょうを使用することができるようにコルク板前面を含んでいてもよい。図１１では、識別子番号として番号「７」を有する典型的な切り離されたシート２３４がレール４０の隣接ユニット２３２に貼り付けられたものとして図示されている。シートをきれいに切り離すことができるように、ペーパーロールの長さに沿って一定間隔でミシン目を設けてもよい。
【００５９】
図１１に図示された実施形態中で、スレーブユニット２３２によって印刷された画像のうちの１つをマスターユニット２８によって再提示するために、図２と図１１を参照すると、システムオペレータは、再提示するべき画像に関連した番号を選択するためにテンキー６７を使用し、次に回収キー６２を選択する。例えば、図１１中のシート２３４上の画像を再提示するために、オペレータは番号「７」および回収キー６２を選択する。図３をもう一度参照すると、キー６２が選択された後、マスターユニットプロセッサ８０は画像識別子番号「７」に対応する、メモリ８８に保存された画像にアクセスし、その画像をディスプレイ４８に再提示する。一旦画像が再提示されると、画像を修正したり、印刷と貼り付けのためにスレーブユニット２３２に再切り替えしたりすることができる。
【００６０】
図１２は、本発明によるさらに１つの追加的システム２５１を示す。ここで、システム２５１はマスタープレゼンテーションユニット４８および第１と第２のスレーブユニット２５２ａおよび２５２ｂを含む。図示の実施形態では、マスターユニット４８はスレーブユニット２５２ａと２５２ｂの間でレール４０に取り付けられ、聴衆から見た時、ユニット２５２ａはマスターユニット４８の左側にあり、ユニット２５２ｂはマスターユニット４８の右側にある。
【００６１】
マスターユニット４８は上述されたマスターユニットに似ているので、ここでは詳細に述べない。各々のスレーブユニット２５２ａおよび２５２ｂは同様に構築され同様に作動するので、説明の単純化のためにユニット２５２ａだけを詳細に記述する。ユニット２５２ａは一般に硬く、直線的なプラスチックあるいは金属の筐体２５８ａ、トランシーバー２５４ａ、大型の薄型プラズマ、ＬＣＤあるいは他の薄型表示画面２５６ａを含んでいる。さらに、ユニット２５２ａはプロセッサとこれに接続したメモリも含んでいるが、プロセッサもメモリも図示されていない。スレーブプロセッサは、ディスプレイ２５６ａとスレーブトランシーバー２５４ａのほか、スレーブメモリにも接続されている。
【００６２】
さらに図１２に関していえば、画像がユニット４８からスレーブユニット２５２ａに切り替えられる場合、画像はユニット２５２ａに無線で送信され、ディスプレイ２５６ａに直ちに示される。上記の例のように、画像がユニット２８から切り替えられる場合、ユニット２８は、従来の紙パッド式フリップチャート上のシートをめくるのと同じように、何も表示されていない状態になる。ここで、画像がマスターユニット２８から切り替えられる場合、画像と画像が切り替えられたスレーブユニットは関係付けられ、マスターユニットメモリ８８あるいはスレーブユニットメモリに保存される。
【００６３】
スレーブユニットのうちの１つに表示された画像がマスターユニット２８によって回収され再び表示される場合、ユニット２８上のキーボードは、画像を回収するスレーブユニットを識別し、さらに回収プロセスを行うのに使用することができる。この場合も、回収プロセスは完全にユニット２８内で行われ、スレーブユニットによって提示された画像がマスターユニットメモリ８８に保存される。代替案において、スレーブ画像がスレーブユニットのメモリに保存される場合、回収プロセスは画像を回収するためにマスターユニット２８からスレーブユニット（例えば図１２の２５２ａ）への回収要求パケット、そして次にスレーブユニットからマスターユニット２８へ戻すパケット送信を要求することになる。
【００６４】
図１８は、本発明の少なくともいくつかの態様と一致する１つの追加のシステム４７０を示す。システム４７０は、堅固な筐体アセンブリ４７２内に取り付けられたディスプレイ４７４を含む単一のプレゼンテーションユニット（これも番号４７０によって表される）を含んでいて、ディスプレイ面４７５が聴衆に見えるようになっている。ここで、面４７５は、一般にプレゼンテーション目的のために隣接するスペース４７６、４７８および４８０を含む多くのサブスペースに分割されている。少なくともいくつかの実施形態では、プレゼンテーションスペース４７６、４７８および４８０の間には機械的な枠取りはなく、その代わりに情報が面４７５上に示される時だけそれらの個別のスペースは認識可能になる。したがって、例えば、さらに図２３を参照すると、システム４７０は、個々のプレゼンテーション面スペース４７６、４７８および４８０に画像を投影する正面のプロジェクタユニット４７１と、ディスプレイ面４７５上のアクティビティを検知するセンサーアセンブリ４７３とを含む。代替案では、ユニット４７０は、個別の画像が各々のスペース４７６、４７８および４８０によって提示される、フラットパネルプラズマ、ＬＣＤタイプディスプレイあるいは他の薄型ディスプレイとすることができる。
【００６５】
さらに図１８を参照すると、４個のタッチ感知可能な方向矢印アイコン４８２、４８４、４８６および４８８がプレゼンテーション面４７８の下方に備えられている。切り替えアイコン４８４は、矢印４９０によって示されるように、面４７８に提示された画像を左方の面４７６に切り替えるよう指示するために選択することができる。切り替えアイコン４８６は、矢印４９２によって示されるように、面４７８に提示された画像を右方の面４８０に切り替えるよう指示するために選択することができる。同様に、矢印アイコン４８２は、矢印４９４によって示されるように、左方の面４７６上で示された画像を回収し、面４７８上に表示されるよう指示するために選択することができ、矢印アイコン４８８は、矢印４９６によって示されるように、右方の面４８０上で示された画像を回収し、中央の面４７８上に表示するよう指示するために選択することができる。この場合、中央のプレゼンテーション面４７８は、上述のマスターユニットが使用可能であるのと同じように画像を編集し、スレーブユニットに画像を切り替え、スレーブユニットから画像を回収するのに使用できる。
【００６６】
図１９には、図１８のシステムに類似するシステム５２０が図示されている。システム５２０は、画面５２６を形成するプレゼンテーションスクリーン５２４を備えた電子フラットパネルユニットである１つのプレゼンテーションユニット５２２を含む。図１８の実施形態の場合のように、図１９では、システムオペレータによって（例えば、スタイラス、ユーザーの指等で）選択されたか指示された表面５２６上の場所を識別するために、あるタイプのセンサー構成要素（不図示）が用意されていると仮定する。システム５２０の場合、マスタープレゼンテーションスペース５３０は、境界またはアウトラインをその周りに置くなどによって、面５２６上では視覚的にはっきりした方法で表わされると考えられる。図１９では、マスタースペース５３０は一般に面５２６の中央部に置かれるとして図示されている。ある場合には、マスタースペース５３０を区別するためにより精巧な視覚的なグラフィックスを用意してよい。例えば、フリップチャートと同じようにしたいときには、スペース５３０をフリップチャートに似たグラフィックスによって区別してもよい。
【００６７】
さらに図１９を参照すると、ある場合には、マスタースペース５３０から面５２６上の他のスペースに画像を切り替えるのに使用できるコントロールアイコン５３６が、マスタースペース５３０内に備えられている。
【００６８】
図示の実施形態中で、画像がマスタースペース５３０中に形成された後、システムオペレータはスタイラスの先端をアイコン５３６に置いて画像を表面５２６上の別の場所にドラッグすることができる。ここで、画像がマスタースペース５３０からドラッグされる時、マスタースペースおよびその視覚的に目立つ特徴は面５２６上のそれらの原位置に留まると考えられる。図１９で、以前にマスタースペース５３０から切り替えられたかドラッグされたある画像は５２８というラベルで示され、そして、矢印５４０で示されるようにスペース５３０から切り替えられつつある第２の画像は、５３２というラベルで示されている。矢印５４２は、ドラッギングプロセスを行うためにオペレータによって使用されるスタイラスの先端を表わす。
【００６９】
少なくともいくつかの場合には、画像がスペース５３０からドラッグされる場合、切り替えられた画像を表面５２６内で動かすことができるように、コントロールアイコンも一緒に移動する。さらに、少なくともいくつかの実施形態では、以前に切り替えられた画像は切り替えられた画像上のコントロールアイコンを選択し、選択されたアイコンをマスタースペース５３０にドラッグして戻すことにより、マスタースペース５３０に回収されることになる。ここで、以前に記述された実施形態と同様に、マスタースペース編集のためのソフトウェアおよびソフトウェアスクリーンショットの表示が考えられる。
【００７０】
図２０は、マスターユニットおよび２台のスレーブユニットを含む別の発明の実施形態５５０を示す。マスターユニットはマスター表示画面またはアセンブリ５５４、およびマスター正面プロジェクタユニット５６０を含む。一方、第１、第２スレーブユニットはそれぞれスレーブスクリーン５５２および第１のスレーブプロジェクタユニット５５８、第２のスレーブスクリーン５５６および第２のスレーブプロジェクタユニット５６２を含む。スクリーン５５２、５５４および５５６はディスプレイ投影面５６４、５６６および５６８をそれぞれ含み、それらは同様の寸法を有し、聴衆あるいは協同作業に参加するグループによって同時に見ることができるように各々並べて設置されている。さらに、マスターアセンブリ５５４は、表面５６６の上または近傍においてスタイラス、ペン、イレーサーなどの位置を検知するためにスクリーン５５４の上端に沿って取り付けられたレーザセンサーユニット５７０を含んでいる。
【００７１】
図２０では、プロジェクタユニット５５８、５６０および５６２は、個々の面５６４、５６６および５６８に個別の画像を投影するように配置されている。マスターアセンブリ５５４は、一般に画像およびシステムソフトウェアを制御するために、そしてより具体的には画像切り替え動作および表示編集のためのマスター面５６６への画像の回収を制御するために、上述のプロセッサと同種のプロセッサに接続される（不図示）かそれを含んでいる。
【００７２】
図２１は、発明のある態様と一致する別のシステム６００を示す。システム６００はマスタープレゼンテーションユニット６１０および３台のスレーブユニット６０４、６０６および６０８を含む。スレーブユニット６０４、６０６および６０８の各々は図１、図４および図５に関して上述されたスレーブユニットに類似しているので、再びここで詳細に説明しない。ここでは、各スレーブユニット６０４、６０６および６０８は、壁６０１に取り付けられ、さらに具体的には壁に取り付けられたレール６０２を介して取り付けられ、またマスターユニット６１０から切り替えられた画像を受け取り、受けた画像をスレーブプレゼンテーション面（つまり面６２２、６２４および６２６）に提示することができる、ということを述べれば十分であろう。
【００７３】
各ユニット６０４、６０６および６０８は壁に取り付けられている一方、マスターユニット６１０は可搬の、床の上に置かれるイーゼル型アセンブリであり、内部スペース６１４および１つ以上の棚部材６１６を持つイーゼル構造（番号６１０によっても識別される）を含む。図示された実施形態では、設備内の移動を容易にするためにキャスター６１８（２個だけにラベルを付けた）がイーゼル構造６１０の底部に取り付けられている。コンピュータープロジェクタおよび他のシステムコンポーネントは、スペース６１４内の棚６１６に置くことができる。ユニット６１０は、マスター画像を提示し、画像を修正し、そして一般に協同作業を促進するためのマスタープレゼンテーション面６１２を含む。上記の実施形態のように、マスター画像をスレーブユニットへ切り替え、画像を回収し、かつ他の画像管理機能を実行するために、スクリーン上で選択可能なアイコンを面６１２に用意してもよい。ここで、スクリーン６１２は、プラズマスクリーン、リアプロジェクタがスペース６１４内にあるような背面投影スクリーン、前面投影スクリーンなどを含むいくつかの形式のうちのどれをとってもよい。
【００７４】
図２４は、本発明の他の態様と一致する別のシステム７００を示す。システム７００は複数の可搬プレゼンテーションユニット７０２、７０４、７０６、７０８、７１０および７１２を含む。各々のユニット７０２、７０４、７０６、７０８、７１０および７１２は、同様に構築され、同様の方法で動作するので、この説明を単純にするために、ユニット７０２だけを詳細に説明する。ユニット７０２は、可搬ディスプレイスタンド７１６の上部に取り付けたフラットパネル電子ディスプレイスクリーン７１４を含む。ユニット７０２の移動を容易にするため、スタンド７１６の下にキャスター７１８が設けられている。例えば、ユニット７０２はいくつかの異なる会議室のうちのどの中でも使用でき、時には個人用事務室内で、またほかの時には会議スペースなどの中で使用できる。図示はされていないが、ここで、電子ディスプレイ７１４は、ディスプレイ７１４の前面上又はその近傍で生ずる動きを追跡する追跡システムを含むことが考えられる。したがって例えば、上に記述されたように、ディスプレイ７１４に示された情報を修正したり選択したりするのにペン、イレーサーあるいは他の電子式デバイスが使用される時、ペンまたはイレーサーの動作が検知されて、ディスプレイ７１４に提示された情報が変更または選択される。さらに、ユニット７０２は他の実施形態に関して上に記述されたトランシーバーと同種の無線トランシーバー（不図示）を含み、ユニット７０２が他のユニット７０４、７０６、７０８、７１０および７１２へ情報を送信し、またそれら他のユニットから情報を得ることができるように想定されている。この実施形態では、ユニット７０２、７０４、７０６、７０８、７１０、７１２のいずれもマスターユニットとして使用でき、他のユニットまたはそれらのサブセットのいずれもスレーブユニットとして使用できる。
【００７５】
図２８は、本発明の少なくともいくつかの態様と一致する１つの追加のシステム８００を示す。システム８００は、比較的広い表示スクリーンあるいは面８０２と、２台のビデオ式プロジェクタ８０４および８０６、１台の可搬フラットパネルディスプレイプレゼンテーションユニット８０８、ラックに取り付けられたプロセッサ８１０、ローカルエリアネットワーク（ＬＡＮ）８１２、無線アクセスポイント８１４、ＤＶＤ／ＶＣＲ８１８およびスキャナ／プリンタ８１６を含んでいる。可搬プレゼンテーションユニット８０８は、図２４に関して上述されたプレゼンテーションユニットに類似しているので、ここで再び詳細に記述しない。ここでは、ユニット８０８が可搬カート式装置（ラベルは付けていない）の上に取り付けられるフラットパネルディスプレイスクリーン８３８を含み、またアクセスポイント８１４への情報送信およびそこからの情報受信用の無線トランシーバー８３６を含んでいることを述べれば十分であろう。
【００７６】
ラックに取り付けられたプロセッサ８１０はＬＡＮ８１２経由でアクセスポイント８１４に結合され、ユニット８０８への送信のためにそこから情報を得、かつそれに情報を提供する。さらに、プロセッサ８１０は、各プロジェクタ装置８０４および８０６のみならずＤＶＤ／ＶＣＲ８１８およびスキャナ／プリンタ８１６に有線で結合されている。プロジェクタユニット８０４は、一般に面８０２の左半分の上に情報を投影するように構成され、一方ユニット８０６は、一般に面８０２の右半分の上に情報を投影するように配置され構成されている。より具体的には、ユニット８０４は、面８０２の左半分の互いに隣接するスペース８２０および８２２の中に２画像を並べて投影するように構成され、ユニット８０６は、一般に面８０２の右半分上にあって互いに隣接する第３と第４のスペース８２４および８２６に画像を投影するように構成されている。スペース８２０および８２２に情報を含む画像か白紙画像のいずれかを投影する場合、ユニット８０４はさらに画像識別子を該スペースに投影する。図２８中の画像識別子は８２８と８３０というラベルを付けた識別子１および２をそれぞれ含む。同様に、ユニット８０６は、スペース８２４および８２６中に８３２および８３４とラベル付けされた識別子３および４を投影する。番号１、２、３および４は、システム動作中にスペース８２０、８２２、８２４および８２６をお互いに区別するために使用される。少なくともいくつかの構成では、プロセッサ８１０は、ユニット８０８およびプロジェクタ８０４と８０６のそれぞれを駆動し、したがって表示された／提示された画像すべてを制御する。これらの構成では、ユニット８０８は単にインターフェースであり、切り替え／回収プロセスはプロセッサ８１０によって行なわれる。例えば、画像がユニット８０８からスペース８２２へ切り替えられる場合、ユニット８０８はプロセッサ８１０に「切り替え」コマンドを送信し、プロセッサ８１０は次にプロジェクタ８０４にスクリーン８３８からの画像をスペース８２２に表示させる。スペース８２２からの画像が回収される場合、回収コマンドがプロセッサ８１０に送信され、次いでプロセッサ８１０は回収画像をユニット８０８に戻して表示する。
【００７７】
さらに図２８を参照すると、コントロールアイコンが可搬ユニット表示画面８３８の下部セクションの近くに示される。コントロールアイコンはスペース選択アイコン８４２、８４４、８４６および８４８、回収アイコン８４０、および送信または切り替えアイコン８５０を含む。スペース選択アイコン８４２、８４４、８４６および８４８の各々は、スペース８２０、８２２、８２４および８２６に関連した８２８、８３０、８３２および８３４になどのラベルのうちの１つと適合するスペースラベル１、２、３および４をそれぞれ含んでいる。操作にあたって、スクリーン８３８からスペース８２０、８２２、８２４および８３６のうちの１つに画像を切り替えるためには、ユーザーは単にアイコン８４２、８４４、８４６および８４８のうちの１つを選択し、次に切り替えアイコン８５０を選択すればよい。例えば、スクリーン８３８からの画像を面８０２上のスペース８２２に切り替えるためには、ユーザーは単にスペース選択アイコン８４４を選択し、次に切り替えアイコン８５０を選択すればよい。同様に、スペース８２０、８２２、８２４および８２６のうちの１つから画像を取り戻すためには、ユーザーは単にスペース選択アイコン８４２、８４４、８４６および８４８を選択し、つぎに回収アイコン８４０を選択すればよい。
【００７８】
さらに図２８を参照すると、画像がスクリーン８３８から切り替えられる場合、情報は可搬ユニット８０８からアクセスポイント８１４にトランシーバー８３６によって送信され、さらにＬＡＮ８１２を通してプロセッサ８１０に送信される。その後、プロセッサ８１０は投射投影ユニット８０４および８０６のうちの関連する１つを制御して、スペース８２０、８２２、８２４および８２６の対応する１つへ投影される画像を更新する。回収アイコン８４０がスクリーン８３８上で選択される場合、情報はアクセスポイント８１４およびＬＡＮ８１２経由でプロセッサ８１０に送信され、ユニット８０４および８０６の１つによって表示された画像のうちの関連する１つが回収されスクリーン８３８に提示されることを要求する。この実施形態では、会議中に以前に表示された画像は、プロセッサ８１０によって関連するメモリに保存される。また、少なくともいくつかの実施形態では、可搬ユニット８０８によって現在表示されている画像だけが、ユニット８０８のメモリに保存される。
【００７９】
図２８をもう一度参照すると、ユニット８０８によっておよびスペース８２０、８２２、８２４および８２６の中に画像を表示することに加えて、少なくともいくつかの実施形態では、ユニット８１８によって再生されたＤＶＤ、およびＶＣＲ画像がスクリーン８３８あるいは投影スペースの１つの上に示されることがあり得る。さらに、スクリーン８３８に画像が表示されている間に、スクリーン８３８上のスペース制御アイコンのすぐ上にある印刷アイコン８７０を選択することにより、プロセッサ８１０は現在スクリーン８３８に表示されている画像をスキャナ／プリンタ８１６を用いて印刷してもよい。ここで、情報は、スクリーン８３８による表示あるいは情報変更のために、スキャナ８１６によってスキャン入力することができる。画像がスキャン入力される場合、プロセッサ８１０は画像を表示するためにＬＡＮ８１２およびアクセスポイント８１４経由でユニット８０８に送信する。
【００８０】
図１３〜図１６を参照すると、本発明のある態様から成る様々な方法およびその下位の方法が記述されている。ここに記述された方法の各々は、上に記述されたシステムあるいはその変形の少なくとも１つ、そしていくつかの場合に２つ以上、あるいは全てにおいて、使用されてもよい。
【００８１】
特に図１３は、マスターユニット２８からスレーブユニットに画像を切り替える方法２７０を示す。さらに図１〜図５は、システム１０に関して方法２７０を説明する。まずブロック２７２では、システムオペレータは、会議室１１内の聴衆が見られるようにマスターユニット、スレーブプレゼンテーションユニットあるいは装置を配置する。ブロック２７４では、情報はマスターディスプレイ４８に提示される。ブロック２７６で、プロセッサ８０は現在ユニット２８に提示されている画像をスレーブプレゼンテーションユニット２２ａおよび２２ｂのうちの１つへ切り替えるためのコマンドに関して、キーボード３０のような入力装置、ＨＨＤ２００などによって生成された無線制御信号その他をモニターする。判定ブロック２７８で切り替えコマンドが受信されない場合、制御はブロック２７４に戻り、そこから上述の方法が繰り返される。ブロック２７８で切り替えコマンドが受信されると、制御は２８０に移り、マスターユニット４８はマスター画像を画像データパケットの一部として選択されたスレーブユニットに送信する。ブロック２８２では、選択されたスレーブユニットは、上述の方法のうちのいずれかで受信画像を提示する。
【００８２】
図１４は、図１３の中のブロック２８０および２８２の代わりとして使用できる下位の方法２８４を示す。この方法は切り替えられた画像を画像識別子と関連させ、マスターユニット２８があとで画像に再アクセスし、これを再提示、編集することができるようにする。この目的のために、サブプロセス２８４は、スレーブユニットによって生成された画像に対し特有な画像識別子を割り当てて、画像が生成される場合、スレーブユニットが画像と共に画像識別子を含むようにする（例えば印刷）システムと共に使用される。したがって、下位の方法２８４は図１１のシステム２３０に関連して記述される。
【００８３】
図２、図３、図１１、図１３および図１４を参照すると、ブロック２７８でマスターユニット２８からスレーブユニット２３２への切り替えが命じられた後、制御は図１４のブロック２８６に移る。ブロック２８６では、マスター画像は、独自の画像識別子番号（例えば、図１１中に図示されるような「６」あるい「７」）と関連付けられる。ブロック２８８では、マスタープロセッサ８０は関連画像および画像識別子番号をマスターメモリ８８に保存する。ブロック２９０では、マスターユニット２８はマスター画像を選択されたスレーブユニットに送信する。ブロック２９２では、選択されたスレーブユニットは、送信された画像を画像識別子番号と共に提示する。こうして例えば図１１では、スレーブユニット２３２は面２５０上に画像を生成し、左上隅に画像識別子番号「６」を加える。この時点で画像切り替えは完了する。
【００８４】
引き続きブロック２９４では、画像切り替えの完了後に、マスタープロセッサ８０は特定の識別子番号に関連した画像用の回収要求をモニターする。例えば、識別子番号「７」が図１１に示されたようにシート２３４上の画像に追加された場合、システムオペレータは、番号「７」の入力および回収キー６２の選択（再び図２参照）によってシート２３４上の画像の回収を要求する可能性がある。ブロック２９６で回収が要求されない場合、制御はブロック２９２および２９４に戻る。ブロック２９６で回収コマンドが受け取られると、制御はブロック２９８に移り、マスタープロセッサ８０は、オペレータによって入力された識別子番号と関連する画像にアクセスし、そしてブロック３００で、マスターユニット２８はマスターディスプレイ４８に関連画像を再提示する。
【００８５】
図１５は、図１の実施形態中でそうであるように、スレーブユニットの各々が独自のスレーブユニット識別子によって識別できるフリップチャート画像管理方法３３０を示す。この目的で、図１では、スレーブユニット２２ａは、番号「１」によって一義的に識別することができ、ユニット２２ｂは番号「２」によって識別できる。図１、図２、図３および図１５を参照すると、ブロック３３４では、スレーブ識別子（例えば２４ａ、２４ｂ等）が各スレーブ表示ユニットに対して付与され、またスレーブ識別子は何らかの方法でスレーブデバイスの識別子に対応する無線ネットワークアドレスに関連付けられる。関連付けられたスレーブ識別子およびネットワークアドレスは、マスターユニットメモリ８８に保存される。ブロック３３２では、マスターユニット２８、スレーブプレゼンテーションユニット２２ａおよび２２ｂは、聴衆によって見ることができるように会議室１１内に配置される。
【００８６】
ブロック３３６では、画像はマスターディスプレイ４８を介して提示されかつ／または操作される。ブロック３３８でマスターユニットプロセッサ８０は、現在表示されている画像をスレーブプレゼンテーションユニットのうちの１つに切り替えるよう指示する切り替えコマンドをモニターする。ブロック３４０では、切り替えが指示されない場合、制御は前に戻ってブロック３３６と３３８を経由する。切り替えがブロック３４０で指示されると、制御はブロック３４２に移り、マスター画像は、オペレータによって指定されたスレーブ識別子（即ち画像が切り替えられるべきスレーブユニットの属性）と関連付けられる。
【００８７】
ブロック３４４でマスタープロセッサ８０は関連付けられた画像およびスレーブ識別子番号をメモリ８８に保存し、ブロック３４６ではマスタープロセッサ８０がマスター画像をスレーブユニットに送信する。ブロック３４８でスレーブユニットは受信画像を提示する。
【００８８】
ブロック３５０で、マスタープロセッサ８０は、画像を回収するスレーブユニットに関連する特定のスレーブ識別子を指示する回収要求をモニターする。ブロック３５２で回収指令が受け取られない場合、制御は３４８に戻り、また、上述のループが繰り返される。ブロック３５２で回収指令が受け取られると、制御はブロック３５４に移り、プロセッサ８０はマスターメモリ８８中のスレーブ識別子に関連する画像にアクセスする。ブロック３５６では、プロセッサ８０はマスターディスプレイ４８に関連画像を再提示する。
【００８９】
図１６は、マスターユニットプロセッサ８０が図１３から図１５に関して上述した方法のうちのいずれかと同時に実行することができる方法３６０を示す。方法３６０は、セッション保存コマンドが受信された時点で提示された画像と特定のプレゼンテーションユニットを関連付け、後のアクセスのため、関連付けられた画像およびユニット識別子を保存し、その後、再開コマンドが受信された時、セッション保存コマンドが受信されたときに画像と関連付けられたプレゼンテーションユニットによって画像を再提示するための方法である。例えば図１において、協同的なセッション中に、保存キー６０が選択された場合、第１、第２、第３の画像がそれぞれユニット２２ａ、２２ｂおよびマスターユニット２８によって示されると仮定する。ここで、キー６０が選択されると、第１、第２および第３の画像は、ユニット２２ａ、２２ｂおよび２８に関連したユニット識別子とそれぞれ関連付けられ、関連付けられたデータは画像セットとしてマスターメモリ８８に保存され、またその後、ユニット２２ａ、２２ｂおよび２８のプレゼンテーション面はクリアされる。続いてオペレータが保存された画像セットに対応するセッションを再開すると、プロセッサ２８は、提示のために第１および第２画像をスレーブユニット２２ａおよび２２ｂにそれぞれ切り替え、そして、セッションが終わったところでセッションが継続できるように、第３の画像をディスプレイ４８に提示する。
【００９０】
図１、図２、図３および図１６を参照すると、ブロック３６２で、画像は、マスターディスプレイ４８、および各々のスレーブユニット２２ａおよび２２ｂに提示される。ブロック３６４では、プロセッサ８０は保存キー６０が選択されたかどうかモニターする。ブロック３６６で保存キー６０が選択されていない場合、制御はブロック３６２に戻る。ブロック３６６で保存キー６０が選択されると、制御はブロック３６８に移り、プロセッサ２８はマスターディスプレイ４８の表示をクリアし、各スレーブユニット（例えば２２ａ、２２ｂ等）に信号を送信して各スレーブユニットにそれぞれのプレゼンテーション画面をクリアさせる。ここで、プレゼンテーション画面はクリアされるが、プレゼンテーション面からの画像に対応するデータは、マスターメモリ８８あるいはマスターメモリ８８とスレーブメモリの組合せ（例えば図５中の１１９）に維持される。
【００９１】
引き続いてブロック１７１では、プロセッサ８０は、後でセッション画像にアクセスするために使用することができるセッション識別子をオペレータに要求する。例えば、プロセッサ８０は、マスターディスプレイ４８によってセッション画像セットを指定するようにオペレータを促すセッション識別子フィールドおよびクエリーを用意してもよい。テキストセッション識別子が好まれる場合、プロセッサ８０はさらに完全なアルファベットキーボードを含むタッチ選択可能なアイコンをディスプレイ４８に提供することができるし、代替案では、セッション識別子フィールド内の手書き文字を認識することもできる。ブロック１７１でセッション識別子を要求する代わりに、プロセッサ８０は、単にセッション画像セットにランダムアクセスコードを割り当て、一時的にそのコードをディスプレイ４８によってオペレータに提供してもよい。
【００９２】
ブロック３６９では、プロセッサ８０は、画像セット中の各画像を独自のプレゼンテーションユニット識別子（つまりマスターユニット２８あるいはスレーブユニット（例えば２２ａ、２２ｂ等）のうちの１つに独自の識別子）と関連させる。ブロック３７０では、マスタープロセッサ８０は、画像の各々がマスターメモリ８８中のマスターユニットおよびスレーブユニット識別子の特定の１つに関係付けられたセッション識別子付きセッション画像セットを保存する。ブロック３７０の後では、セッション画像はすべて将来の参照のためにアクセス可能なフォーマットで保存されている。
【００９３】
次にブロック３７４で、マスタープロセッサ８０は、先行の協同的なセッションを再開するよう、また再開のため、保存された画像セットに再アクセスしてこれを提示するよう指示する再開アイコン５６の選択をモニターする。ブロック３７６で再開コマンドが受信されない場合、制御はブロック３７４に戻る。ブロック３７６で再開コマンドが受信されると、制御はブロック３７７に移る。
【００９４】
ブロック３７７で、マスタープロセッサ８０は以前に保存された画像セットに対応するセッション識別子を提供するようにシステムオペレータを催促する要求を用意する。ここでこの催促は、識別子の指定のためのタッチ検知可能なアイコンの適切なセット（例えば数、英数字等）に加え、テキストクエリーおよびセッション識別子フィールドを含むことができる。
【００９５】
ブロック３７８で、入力されたセッション識別子に関連した画像セットはメモリ８８から回収され、また、ブロック３８０で、前のセッションをそれが終了したところから継続できるように、セット中の画像はマスターディスプレイおよびスレーブユニットに表示される。ブロック３８０の後に、制御は上述のプロセスが続くブロック３６２に戻る。
【００９６】
後のアクセス用にシステムプレゼンテーションユニットに同時に提示される画像のセットを保存することができることに加えて、さらに、少なくとも本発明のいくつかの実施形態では、個別の画像は、画像がスレーブユニットに切り替えられるかどうかと無関係に、保存のためおよび後のアクセスのために選択可能であると考えられている。例えばもう一度図２と３を参照すると、保存キー６０が一度選択された場合、プロセッサ８０はディスプレイ４８に現在提示されている画像を保存するように、またキー６０が立て続けに二度（例えばマウスのダブルクリックと同様に）選択された場合、セッション画像の全体を画像セットとして保存するようにプログラムされる。単一画像が後のアクセスのために保存される場合、ある場合にはそれらの画像は画像が保存される場合に生じる協同的なセッションに関連したセッションセットに加えられる可能性がある。代替案中で、ある場合には、単一画像が保存される場合、プロセッサ８０は、続いて画像を再アクセスするために使用することができる特定のテキストまたは数値の画像識別子をシステムオペレータに要求する、セッション画像セットの保存に関して上述されたものに似たプロセスを実行することもできる。
【００９７】
さらに図２および図３を参照すると、画像が別々に保存される場合、回収キー６２が選択されると、画像はマスターメモリあるいはスレーブプレゼンテーション装置のうちの１つから回収することができるので、プロセッサ８０は、画像を回収することができる可能なソースおよびそれらの画像へのアクセスにふさわしいツールを示すオプションのメニューを提供することもできる。
【００９８】
図１７には、図２のマスターユニット２８に似ているマスタープレゼンテーションユニット５２８が図示されている。このマスターユニット５２８の下部余白領域５３０にはタッチ感知アイコンセットが用意されている。ここに、再開アイコン５６、送信アイコン５８、保存アイコン６０、そして回収アイコン６２に加え左右の切り替えアイコン６８および７０はそれぞれ、図２で同じ番号が付けられたキーに関して上述された機能と同じ機能を持っているので、説明の単純化のために、ここでは再び詳述しない。ユニット５２８において提供されるアイコンセットと、ユニット２８において提供されるキーセットの間の主な相違は、図２の中のテンキー６７が図１７の中のサムネイルスケッチバー４５０によって置き替えられている点である。ここで、マスターユニット５２８からスレーブユニットのうちの１つに画像が切り替えられる場合は常に、切り替えられた画像のサムネイルがバー４５０に示されると考えられる。図１７では、２個の典型的なサムネイルスケッチが数字４５２および４５４によって識別されている。ここで、スレーブユニットのうちの１つによって提示されている画像をマスターディスプレイ４８に再提示するためには、特定のスレーブユニットあるいは画像にアクセスするためにその画像に適用された画像識別子を識別する代わりに、システムオペレータは、単にサムネイルスケッチ（例えば４５２、４５４等）のうちの１つおよび回収アイコン６２を選択してディスプレイ４８に画像を提示すればよい。
【００９９】
少なくともいくつかの場合では、マスターユニット５２８からスレーブユニットのいずれかに切り替えられた画像はすべてシステムオペレータが協同的なセッションを終了するまでマスターメモリ８８内に保存され維持され、また対応するサムネイルスケッチ（例えば４５２、４５４等）はバー４５０に付け加えられる。ここで、長い協同的なセッションでよく起こることだが、切り替えられた画像の数がスレーブプレゼンテーションユニットの数を超過する場合でも、システムオペレータは、画像が現在スレーブユニットに示されているかまたは単にマスターメモリに保存されているかどうかに関係なく、切り替えられた画像すべてに迅速かつ容易にアクセスすることができる。アイコン６４および６６は、オペレータが、再提示するべき特定画像の多数のサムネイルスケッチを図形で探索することを可能にする左右のスクローリングアイコンである。ある場合には、すべての切り替えられた画像および切り替えられないすべての保存画像はマスターメモリ８８に保存され、バー４５０に選択可能なサムネイルスケッチとして提示されると考えられる。
【０１００】
図２４をもう一度参照すると、少なくともいくつかの発明の実施形態中で、複数のプレゼンテーションユニットが利用可能で、かつプレゼンテーションユニットのうちのいずれもがマスターあるいはスレーブユニットのどちらかを務めるかもしれない場合、システムユーザーがユニットのうちの１つがマスターユニットであると識別しかつユニットのより大きなセットからスレーブユニットとして動作するべきユニットのサブセットを選択することを迅速に助け、マスターおよび選択されたスレーブユニットを関連させてマスターとスレーブユニット間で画像を切り替えるためのツールを提供する方法をソフトウェアの形で実行することができる。この目的のために、図２４をもう一度参照すると、この例において、プレゼンテーションユニット７０２、７０４、７０６、７０８、７１０および７１２は例えば私的オフィス、会議室、玄関あるいはカフェテリアなどの入り口のような公共スペースの中等の様々な目的に使用することができると推測できる。この目的のために、ユニットの各々は、１つの場所から他の場所へ容易にユニットを運ぶことができるキャスターつきのスタンド７１の頂部に取り付けられたフラットパネルディスプレイ７１４を含んでいる。ユニットのうちの１つがマスターユニットとして使用され、別のユニット（複数可）がスレーブユニットとして使用される会議プロセスにおいて、そのプロセスを容易にするために２つ以上のユニットがともに使用されることになっている場合、数台のユニットが会議スペース中に持ち込まれ、互いに連携してアプリケーションを実行して会議プロセスを容易にすることができると考えられる。
【０１０１】
図２５は、上述のプロセスと一致する方法７３０を示す。図２４もさらに参照すると、ブロック７３２では、各々が独自の無線アドレスを有する数台のディスプレイユニット（例えば７０２、７０４、７０６、７０８、７１０および７１２）が用意される。例えば、ディスプレイ装置７０２は無線アドレス００４２５Ａ１を、ユニット７０４は無線アドレス５４４７８Ｂ１を、ユニット７０６は無線アドレス８９９０８Ｂ１を持ちうる。プロセスブロック７３４では、ディスプレイユニットのいくつかが会議スペースに持ち込まれる（図２４を参照）。
【０１０２】
プロセスブロック７３６で、会議スペース中のユニットのそれぞれのスイッチを入れた状態で、システムオペレータはユニットのうちの１つをマスターユニットとして使用するよう指示する。この目的のために、図２４に図示されるように、少なくともいくつかの実施形態中では、ユニットのうちの１つ（例えば７０２）のスイッチが入れられた場合は常に、システムオペレータにそのユニットをマスターユニットとして選択する方法を教える情報（つまり最初のインターフェース）がそのユニットのディスプレイ（例えば７１４）に示される。これに関して、ユニット７０２をマスターユニットであると識別するために、選択可能なマスターアイコン７２２と共に指示７２０がディスプレイ７１４によって用意される。同様の指示およびマスターアイコン（例えば、７２４を参照）は個々のユニット７０４、７０６、７０８、７１０および７１２によっても用意される。オペレータがユニットのうちの１つがマスターユニットとなるよう指示すると、デフォルトによって、会議スペース中の他のユニットは可能なスレーブユニットとして識別される。本例では、オペレータはディスプレイ７１４上でマスターアイコン７２２を選択し、それによってユニット７０２がマスターユニットになるよう指示すると考えられる。
【０１０３】
さらにブロック７３６で、オペレータがマスターユニットとしてユニット７０２を選択した後、ユニット７０２は、スペース内の他のプレゼンテーションユニット７０４、７０６、７０８、７１０および７１２を識別するために無線で会議スペースをポーリングする。各々のユニット７０４、７０６、７０８、７１０、７１２は、自身がスレーブユニットになりうることを識別することを要求するポーリング信号を受け取ると、それぞれ、その独自の無線ネットワークアドレスによってスレーブユニットを識別する情報パケットをマスターユニット７０２に送り返す。例えば、上記の典型的なアドレスと一致して、ユニット７０４は、独自アドレス５４４７８Ｂ１を含む情報パケットを送信し、ユニット７０６は、独自アドレス８９９０８Ｂ１を含む情報パケットを送信する。ユニット７０２が可能なスレーブユニットから返信情報パケットを受け取ると、ユニット７０２は可能なスレーブユニットの各々を識別し、独自の簡易識別子を個々のスレーブユニットと関連させ、そして次にさらに構成プロセスを容易なものとする。この目的のために、本例において、マスターユニット７０２は５台の別々のスレーブユニット７０４、７０６、７０８、７１０および７１２を識別し、簡易識別子１、２、３、４および５をそれぞれそれらに関連させる。
【０１０４】
図２５、そしてさらに図２６をさらに参照すると、ブロック７３８で５台のスレーブユニットを識別した後、マスターユニット７０２は送信情報パケットを５台のスレーブユニット７０４、７０６、７０８、７１０および７１２のそれぞれに送り返し、各々に簡易識別子ラベルを割り当てる。現在の例において、識別子ラベルは、ユニット７０４、７０６、７０８、７１０および７１２にそれぞれ送信される番号１、２、３、４および５を含んでいる。スレーブユニットが簡易識別子ラベルを受け取ると、ユニットはその表示画面にラベルを表示する。図２６では、表示された簡易ラベルは、７５２、７５４、７５６、７５８および７６０に示される。
【０１０５】
さらに図２５および図２６を参照すると、ブロック７３８でマスターユニット７０２はその最上部の近くにマスターラベル７５０の指定を含む構成インターフェース、会議プロセスを容易にするためにマスターユニット７０２と共に使用される会議スペース内スレーブユニットのサブセットを選択するための指示７８０、および個々のスレーブユニット７０４、７０６、７０８等と関連する簡易ラベル（例えば７５２、７５４等）に対応するアイコンを提供する。例えば、アイコン７６２はラベル７５２に、したがってスレーブユニット７０４に関連している。同様に、アイコン７６６、７６８、７７０および７７２はラベル７５４、７５６、７５８および７６０に、したがってスレーブユニット７０６、７０８、７１０および７１２にそれぞれ関連している。Ｅｎｔｅｒアイコン７７４もマスターユニットディスプレイの最下部の近くに用意される。ここで、指示７８０にしたがって、スレーブユニット７０４〜７１２のサブセットは、アイコン７６２、７６６、７６８、７７０および７７２のサブセットを選択し、次にＥｎｔｅｒアイコン７７４を選択することにより、選択することができる。例えば、会議セッション中にマスターユニット７０２と共に使用されるユニットとして、スレーブユニット７０６、７０８および７１０を選択するために、オペレータはアイコン７６６、７６８および７７０を選択し、次にＥｎｔｅｒアイコン７７４を選択する。スレーブユニットのサブセットを指定する活動をモニターするこの過程は、図２５の中のブロック７４０および７４２によって表わされる。
【０１０６】
Ｅｎｔｅｒアイコン７７４が選択されると、プロセスブロック７４４では、マスターユニット７０２はマスターラベル７５０の指定を含む制御インターフェースを提供し、マスター画像を選択されたスレーブユニットのサブセットへ切り替え、またスレーブユニットの選択されたサブセットから画像を回収するのに適切なアイコンを提供する。この目的のために、図２７を参照すると、マスターユニット７０２は個々のスレーブユニット７０６、７０８および７１０の選択されたサブセットのそれぞれのために個別の切り替え／回収アイコン７８２、７８４および７８６を各々提供する。切り替え／回収アイコン７８２、７８４および７８６は類似していて、同様の方法で動作する。したがって、この説明を単純化するためにアイコン７８４だけをここで詳細に記述する。アイコン７８４は切り替え矢印アイコン７６９および回収矢印アイコン７７１を含んでいる。切り替えアイコン７６９が選択されると、マスターディスプレイに現在表示されている画像は、アイコン７８４に関連したスレーブユニット７０８（つまり簡易ラベル７５４に関連するユニット７０８）に切り替えまたは送信される。同様に、回収矢印アイコン７７１が選択されると、スレーブユニット７０８に現在表示されている画像はマスターディスプレイユニット７０２によって回収され表示される。現在の会議プロセスを終了するための終了アイコン７８８が提供される。
【０１０７】
なお、電子ディスプレイを複数使用することで、個々に使用したりつなげて使用したり多用な形の構成にすることができる。また、ディスプレイが無線通信のための装備を有する場合、ディスプレイが構成プロセスを合理化することを可能にするソフトウェアを用意することもできる。
【０１０８】
図２９は、少なくとも本発明のある実施形態のいくつかの態様と一致しているさらにもう１つのシステム８９０を示す。図２８も参照すると、システム８９０は、図２８に関連して上述したシステム８００と各々同種の第１と第２のサブシステム９００および９０１を含んでいる。したがって、システム９００および９０１の各々は可搬マスタープレゼンテーションユニット、第１と第２のプロジェクタユニット、表示画面、ラックに取り付けられたプロセッサ、ローカルエリアネットワークおよび無線アクセスポイントを含んでいるが、図２９では、それらのどれも別々にラベル付けされていない。図２８に図示された実施形態でのように、プロジェクタの各々は表示画面上に２つの別個の画像を投影するように構成されている。例えば図２９では、サブシステム９００中のプロジェクタの１台は第１と第２の個別の画像を第１と第２の個別のスペース９０４および９０６中に投影し、一方、サブシステム９０１中のプロジェクタのうちの１つは第１と第２の画像をそれぞれ第１と第２のスペース９０３および９０５中に投影する。図２９では、上述の構成要素に加えて、ローカルエリアネットワークが広域ネットワーク（ＷＡＮ）９２０によって接続されている。
【０１０９】
さらに図２９を参照すると、少なくともいくつかの構成ではシステム９０１はシステム９００から離れた場所にあり、そして、可搬プレゼンテーションユニットのどちらもがマスタープレゼンテーションユニットとして使用することができると想定される。さらに少なくともいくつかの応用で、システムユーザーがプレゼンテーションを行なうためにマスタープレゼンテーションユニットのうちの１つを使用する時、対応するサブシステムに生じる活動はすべて別のサブシステム中に複製されることが考えられる。例えば、システムユーザーがマスター表示画面９０２上の情報に変更を加える時、それらの変更は遠隔のマスタープレゼンテーションスクリーン９０７上に実質的にリアルタイムで複製されることになる。さらに、システムユーザーがマスタープレゼンテーションスペース９０２からスレーブプレゼンテーションスペース（例えば９０４、９０６等）のうちの１つに画像を切り替える時、切り替え動作もシステム９０１内に複製される。例えば、システム９００においてシステムユーザーがスペース９０２からスペース９０４に画像を切り替えれば、同じ画像がサブシステム９０１においてスペース９０７からスペース９０３に切り替えられる。同様に、システムユーザーが画像をスペース９０６からマスタープレゼンテーションスペース９０２に回収すれば、サブシステム９０１中でスペース９０５からの画像もマスタースペース９０７へ回収される。
【０１１０】
さらに、マスタープレゼンテーションスペース９０７中の画像を変更すると、少なくともいくつかの実施形態中では、自動的にかつ実質的にリアルタイムで、マスタープレゼンテーションスペース９０２中の同様の画像も変更される。同様に、スペース９０７により画像を切り替え回収すると、少なくともいくつかの実施例の中では、それはサブシステム９００に同様に反映される。
【０１１１】
図３０は、少なくとも本発明のいくつかの実施形態のいくつかの態様と一致する別の実施形態９５０を示す。さらに図２８も参照すると、システム９５０は、可搬マスタープレゼンテーションユニット９５１、表示画面９５３、第１と第２のプロジェクタ９６４および９６６を含んでいるという点でシステム８００に似ている。図２８に図示された他の構成要素は、この説明の単純化のために図３０には示されていない。図３０のシステムと、図２８に図示されたシステムの間の主要な差は、ユニット９５１が、図３０に図示されたような縦長画面から、矢印９５７によって示されるように図３１に図示された横長画面に回転できるフラットパネルディスプレイ９５５を含むということである。ここで、ディスプレイ９５５が縦長の向きから横長の向きへ回転される場合、少なくともいくつかの実施形態の中で、少なくとも２つの変更が自動的に生じると考えられる。第一に、投影されるスレーブ画像の数はユニット９５５の向きに依存しうる。この目的のために、少なくともいくつかの実施形態では、ディスプレイ９５５が図３０に図示されるような縦長の向きである場合、プロジェクタ９６４および９６６はそれぞれ２つの別個の隣接した画像を投影するようにプログラムされる可能性がある。例えば、図３０に図示されるように、プロジェクタ９６４は隣接スペース９５６および９５８へ第１および第２の画像を投影し、一方プロジェクタ９６６は隣接スペース９６０および９６２に第１および第２の画像を投影する。ここで各投影画像は縦型の形式を有する。図３１を参照すると、ユニット９５５が横長方向へと回転される場合に、プロジェクタを駆動するプロセッサは、自動的に再設定を行い、その結果各プロジェクタ９６４および９６６は１つの横長画像だけを投影するようにプログラムされる。図３１では、プロジェクタ９６４は第１の横長画像を横長スペース９８０の中に、一方プロジェクタ９６６は第２の画像を横長スペース９８２の中に投影する。
【０１１２】
次に、ディスプレイ９５５が縦長の向きから横長の向きへと回転される場合、ディスプレイ９５５によって示されたコントロールアイコン９５４は、第１にスレーブプレゼンテーションスペースに対して行なわれた変更に対応するように、そしてコントロールアイコン９５４は、ディスプレイ９５５の見る部分内においてよりよい向きになるよう変更される。この目的のために、図示されたように、図３０においては４個のスレーブスペース選択アイコンが図示されているが、図３１では２個のスレーブスペース選択アイコン、つまりスレーブスペース９８０および９８２の各１つに対応するスレーブスペース選択アイコンの１つだけが図示されている。上述したところから分かるように、本発明の新規な概念の真の精神および範囲から外れずに、多数の変更および変化を達成することができる。本開示は発明の例証として意図され、発明を図示された特定の実施形態に制限するように意図されるものではない。この開示は、請求項の範囲内に収まるような変更すべてを添付の請求項によってカバーするように意図される。例えば、マスターユニット２８は単にカメラを装備した従来の白板であって、画像がマスターユニットからスレーブユニットのうちの１つに切り替えられる場合、そのカメラがマスターユニットによって示された画像の写真を撮影し、その画像を提示するために選択されたスレーブユニットに送信してもよい。
【０１１３】
さらに、ここに記述されたプレゼンテーションユニットは、すべてプレゼンテーションユニットを壁に取り付けられたレールに取り付ける取り付け部材を含んでいるが、プレゼンテーションユニットのために他の形式の支持構造物も考えられる。例えば、マスターユニット２８はイーゼル式アセンブリに支持されてもよく、あるいは設備内でのユニットの移動を容易にするため、キャスターを含むカートに取り付けられたアセンブリであってもよい。
【０１１４】
さらに、単純なイレーサーおよびプリンタが上に記述されているが、様々なタイプのプリンタおよびイレーサーが考えられ、本発明の様々な実施形態と共に使用することができる。例えば、ある場合には、スレーブプレゼンテーション面は硬い白板部材として提供され、また、上に記述されたプリンタは、プレゼンテーション面に沿って、あるいはそれに対して相対的に移動するプロッタである場合もある（つまり、硬い白板は、プロッタに対して実際に動かされることもある）。また、イレーサーは同様の方法で支持され移動して、プレゼンテーション面上に画像を提供し、かつ画像をそこから消去するものであってもよい。
【０１１５】
更に、スレーブおよびマスタープレゼンテーションユニットはともに、永久的な壁への取り付け、移動を容易にするキャスター付きあるいはキャスターなしのイーゼル式支持構造物（図２４、２６および２７参照）、天井への取り付け、間仕切壁へユニットを固定する構造等を含むいかなる方法でも支持されてもよい。
【０１１６】
ここに記述されたシステムは２台のスレーブユニットしか含まないが、３台以上のスレーブユニットを含むシステムの場合もある。さらに、あるシステムは２つ以上の形式のスレーブユニットを含む可能性もある。例えば再び図１１および１２を参照すると、ユニット２３２のようなプリンタ式スレーブユニットを図１２のシステム２５１に加えて、このシステムがフラットパネルユニット２５２ａおよび２５２ｂと同様にプリンタ２３２も含むようにすることもできる。他のスレーブユニットの組合せも考えられる。
【０１１７】
少なくともいくつかの場合に、画像がユニットのうちのどれによっても編集され、ユニットのうちのどれからも切り替えられまたはどれからも回収できるように、システムユニット（例えばマスターとスレーブユニット）はすべて同一の構造および機能性を備えることができる。したがって例えば、マスターユニット２８のような３台のユニットがシステムを構成するとき、オペレータはユニット間を移動しながら強化された協同的方法で編集し、切り替え、回収することができる。
【０１１８】
さらに、１つの単純なレール４０の構成が上に記述されているが、本発明はフック式レールを引っ掛ける他のフック、マスターとスレーブユニットに取り付けられたホイールを受容するレール、その末端のみで取り付けができるレール（例えば、レールは、上向きか前進運動による取り付けユニットの取り外しを規制することもできる―これは、ユニットが比較的高価な時に特に重要となる）、およびユニットがそのユニットをより有効にレール部材４０に取り付ける安全構造を含む他のシステムを含む、様々なタイプのレール構成を想定している。
【０１１９】
図２８に図示されるように、上記の構成要素に加えて、本発明のシステムのいずれもが、標準サイズのプリンタ／スキャナ（例えば８
１／２” × １１”、リーガルサイズ等）を含み、会合中に使用するかあるいは会合からもって帰る目的でミーティングの出席者のために表示された画像のコピーを印刷したり、文書をそのシステムによって見て編集したりするために速くスキャンするようにする。
【０１２０】
さらに、図１および図２２を参照すると、少なくともいくつかの場合には、マスターおよびスレーブユニット２８、２２１、２２ｂの１台あるいはすべては、マスターおよびスレーブユニットおよびその上に示された画像を制御するラップトップまたはパーソナルコンピューターを使用する発表者から遠方７９８に位置することもありうる。ここで、例えば、シカゴの発表者がシカゴにあるユニット８００のディスプレイに印を付けると、その印はニューヨークの会議室にあるマスターユニット２８（再び図１を参照）上で即座に提供される。ここで、ユーザーがマスター画像は第１のスレーブユニット２２ａに切り替えられるよう指示すると、ニューヨークの画像はニューヨークの第１スレーブユニット２２ａに切り替えられる。同様に、ニューヨークに設置されたスレーブユニットからの画像は、マスターユニット２８に回収され、シカゴで入力されたコマンドによって編集される。上述の場合、図２２を参照すると、リモートコントロールユニット２００（再び図１０ａを参照）はネットワークリンク８１０（例えばインターネット）経由でマスターユニット２８と通信し、ニューヨークのプレゼンテーションを駆動する。
【０１２１】
場合により、ユニット８００は、発表者が遠隔のプレゼンテーションの経過を追うのを助けるために、マスターおよびスレーブユニットの各画像を表示するものを含んでもよい。この目的のために、図２２のディスプレイ８１２は、マスターユニット画像ボックス８１４および第１と第２スレーブユニット画像サムネイルスケッチ８１６および８１８を含んでいる。この場合、切り替えと回収は１つのボックスまたはスケッチから他方へ画像をドラッグするのと同じくらい単純になる。例えば、第１のスレーブユニット２２ａへの切り替えのためには、発表者は、単にボックス８１４の中のマスター画像をサムネイル８１６にドラッグすればよい。同様に、第２のスレーブユニット画像を回収するためには、ユーザーは、単に第２のスレーブユニットサムネイル８１８をマスターボックス８１４にドラッグすればよい。この特徴は、マスターおよびスレーブの画像をローカルに（つまりプレゼンテーションユニットと同じスペース内のユニット８００で）制御するために、ユニット８００に関して使用されてもよい。
【０１２２】
１台以上のスレーブユニットがニューヨークという遠方に位置している一方、マスターユニット２８、およびスレーブユニット２２ａ、２２ｂのサブセットが、シカゴにある場合もある。この場合、発表者は、上に記述されたのと類似の方法で異なるスレーブユニットへの切り替えプロセスを制御することができる。
【０１２３】
さらに、図２４を再び参照すると、少なくともいくつかの場合では、携帯型のインターフェース装置７３１を設けて、マスターおよびスレーブユニットを指定することができる。この目的のために、可能なマスターおよびスレーブユニットを識別し、かつディスプレイ７３３によって選択可能なアイコンを提供するため、ユニット７０２、７０４、７０６、７０８、７１０および７１２を無線でポーリングするよう、デバイス７３１をプログラムしてもよい。ここで、マスターユニットおよびスレーブユニットのサブセットが選択されると、デバイス７３１は対応するユニット７０２、７０４などに指定情報を送信し、適切な環境設定を行いマスターユニットからのおよびマスターユニットへの画像の切り替え／回収を容易にする。環境設定後、制御インターフェースツールが、マスターユニットあるいはデバイス７３１のいずれか、あるいは両方によって提供される。
【０１２４】
さらに、図２４のシステムは無線通信の状況について記述されているが、少なくともいくつかの場合では、コミュニケーションは配線接続によってなされる。
【０１２５】
更に、図２４〜図２７に関して上に記述された構成を援助するプロセスは、ロールダウンあるいは投影型ユニットなどのような他の形式のプレゼンテーションユニットで使用でき、また図２５のステップのすべては要求しない場合がある。例えば、マスターユニットは事前に定義されてもよく、他のユニット形式と共に使用された時、１つのユニット形式が常にマスターユニットであってもよい。例えば、１ユニットが電子フラットパネルタッチスクリーンで、他のユニットがロールダウン式ユニットである場合、タッチスクリーンユニットは常にマスターユニットであり、試運転中に会議室の他のユニットをポーリングすることができる。
【０１２６】
次に、発明の特徴をいくつか含む典型的なインターフェースを、図２９に図示されたシステム８９０に関連して記述する。この場合、情報発表者は、サブシステム９００を構築する構成要素が置かれた会議室内の会議出席者に、そしてサブシステム９０１の構成要素が置かれた遠隔の会議室中の出席者の別のグループに情報を提示するために、マスターユニット９０２を使用する。会議出席者のうち少なくとも数人は、会議に参加するために、例えばラップトップコンピューター９１１、９１３、９１５などを含む個人のインターフェース装置を持つか、または使用することができる。図２９では、ラップトップ９１５がＷＡＮ９２０によってサブシステム９００に接続されている一方、ラップトップ９１１および９１３はＬＡＮによってサブシステム９００に接続されている。図示された実施形態ではラップトップ９１１および９１３は、サブシステム９００を含む会議開催スペース内で使用され、ラップトップユーザーは彼らのラップトップディスプレイ、マスターユニット９０２によって示された画像、あるいはスレーブプレゼンテーションスペース９６９によって示されたスレーブ画像（例えば９０４、９０６等）を見ることができる。同様に、ラップトップの１つ以上がサブサブシステム９０１に関連した会議スペース内で使用されてもよい。さらに、図示された実施形態では、ラップトップ９１５は会議の活動を中継し、モニターする／参加するために遠隔使用される。以下、別途記載のない限り、ラップトップ９１１、９１３、９１５などを個人用インターフェース装置と呼ぶ。
【０１２７】
図２９、さらに図３２および図３３をさらに参照すると、本例において、プレゼンテーション中のあるポイントでは、マスターユニット９０２は発表者にスクリーンショット１０００と一致する特性を持つインターフェースを供給し、また発表者は、スレーブプレゼンテーション面９６９に４つの画像１０２２、１０２４、１０２６および１０２８の例を表示させるとする。したがって、サブシステム９００が置かれた会議室内の会議出席者は、図３３に図示された４つの画像と同様にマスターユニット９０２によって提示された画像をも見ることができる。
【０１２８】
再び図２９、図３２および図３３を参照すると、少なくとも同様のプレゼンテーション能力を持つ２台のサブシステム９００および９０１が接続されるいくつかの実施形態中で、サブシステムのうちの１つ（例えばサブシステム９００）に示される画像はすべて、別のサブシステム（例えばサブシステム９０１）の構成要素によって繰り返されるか再提示される。したがって、例えば図３２および３３中の画像がマスターユニット９０２およびスペース９６９に提示される場合、５つの同一画像が、ユニット９０７およびスレーブプレゼンテーションスペース９７１に同時に示される。同様に、少なくともいくつかの実施形態では、サブシステム９００の構成要素によって行なわれるどんな活動も、実質的にリアルタイムでサブシステム９０１の構成要素を介して繰り返され、サブシステム９００および９０１に関連した別々の会議スペースの出席者は、同時に画像の動作を見ることができる。したがって例えば、「２」とラベル付けされたスペース９６９のサブスペースに表示された画像が変更されると、「２」とラベル付けされたスペース９７１のサブスペースにより表示された画像は、同様に変更され、サブシステム９００によって示されるどんな画像もサブシステム９０１に同様に提示される。別の例として、マスターユニット９０２に示された画像が変更されると、ユニット９０７に示された同様の画像も同じ形で変更される。
【０１２９】
さらに図３２を参照すると、インターフェーススクリーンショット１０００は１６×９の縦横比表示画面を介してディスプレイにふさわしいフォーマットで示される。ここでは表示画面は、縦長（つまり、長い寸法１６は垂直であり、短い寸法９は水平である）の状態にある。図示されたように、１６×９のスクリーンが縦長向きになっている時、少なくともいくつかの実施形態では、典型的なスクリーンショット１０００はスクリーンの上辺に沿ったツール領域１００２およびその下方の作業スペース領域１００４を含んでいる。図３２に示される一般的な１６：９の縦長レイアウトに関して、多くの会議出席者が慣れている形状ファクタを維持するために、典型的な機械的フリップチャートパッドあるいは典型的なパソコン画面の寸法に似た寸法を持つ作業スペース領域１００４が提供されると便利だと認識されている。典型的なフリップチャートパッドは、幅およそ２単位、高さ３単位の縦横比を有する。一方、典型的なパーソナルコンピューター表示画面は幅およそ４単位、高さ３単位の縦横比を有する。ここで、少なくともいくつかの実施形態中で、マスターユニットが図３２に示されるような縦長の状態にある場合、領域１００４は２：３の縦横比（例えば、幅２、高さ３）を持っていて、残りのスペースはツール領域１００４を収容するために使用される。より詳細に下に記述されるように、マスターユニットが横長（図４０）の状態にある時、作業スペース領域１２１６は４：３の縦横比（つまり、幅４、高さ３）となり、残りのスペースはツール領域１２０２を収容するために使用される。
【０１３０】
図３２を再び参照すると、１６：９の縦横比スクリーンでは、ツール領域を上辺に沿って、あるいは少なくともいくつかの実施形態中ではスクリーンの底辺（不図示）に沿って用意することによって、最大寸法２：３の縦横比（つまり、幅２、高さ３）を設定することができる。ここで、２：３フォーマットの作業スペース領域１００４を提供するために、１８：５フォーマットのツール領域１００２を形成することができる。
【０１３１】
一般に、１６：９表示画面で得ることができる最大の２：３作業スペース領域１００４と両立できるという理由から、主として１８：５のツール領域フォーマットが選択される。なお、作業スペース領域１００４としては、２：３から３：４の範囲の寸法を持つべきという一般的な考え方と一致する他のスクリーンレイアウトも考えられる。この目的のために、図３２に関して、別の実施形態中では、ツール領域１００２をスクリーンの上辺に沿って置く代わりに、ツール領域１００２を底辺に沿って配置することもできる。同様に、ツール領域１００２をスクリーンの上辺と下辺に沿って位置する第１と第２の別々のツール領域に分割してもよい。このとき、各ツール領域は、組み合わせられた時、１８：５の比に帰着する３６：５の縦横比あるいは他のいくつかの比を有する。さらに別の実施形態では、作業スペース領域１００４は、１６：９のスクリーンにとって可能な最大寸法より小さいかもしれないが、まだ望ましい２：３から３：４の縦横比を持つようにできる。以下、縦長および横長向きの４：３縦横比の表示画面、および横長向きの１６：９縦横比の表示画面に対応する他の典型的なスクリーンショットを、図４０、４２および４３に関して記述する。
【０１３２】
さらに図３２を参照すると、ラベルが示すように、ツール領域１００２は、ユニット９０２上におよびスレーブプレゼンテーションスペース９６９上に表示された情報を変更するために発表者によって選択可能な、複数のスクリーン上アイコンを含む。スクリーン上アイコンはいくつかの異なる方法、例えば、タッチ、スタイラス、マウスにより制御されたポインティングアイコンを移動およびアクティブにすること、トラックボールなどのうちのいずれによっても選択できる。この説明のために、ユニット９０２は、別途記載のない限り、表示画面上の場所がいつ触れられたか、およびタッチ動作の位置を識別するためのセンサーを含むと仮定する。
【０１３３】
図２９および図３４を参照すると、図３４は、発明の実施例の少なくともいくつかにおいて、個人インターフェース装置９１１、９１３、９１５などのうちの１つのユーザーに対して提示され得る１つの典型的なスクリーンショット１０３０を示す。さらに図３２および３３を参照すると、図３４に図示されたように、遠隔ユーザーに提示された情報はサブシステム９００が置かれた会議スペース内の会議出席者に提示される情報をすべて含んでいる。したがって、図３４に図示されるように、典型的なスクリーンショット１０３０は５つのウィンドウ、すなわちマスターユニット９０２によって現在表示されている画像の各々に対応する独立のウィンドウ、およびスペース９６９に示されたスレーブ画像１０２２、１０２４、１０２６および１０２８を含んでいる。図３４では、ウィンドウ１０３２は、マスターユニット９０２によって表示された画像に対応する。その一方でウィンドウ１０３４、１０３６、１０３８および１０４０は図３３に図示されたスレーブ画像１０２２、１０２４、１０２６および１０２８にそれぞれ対応している。
【０１３４】
図３２および図３４、特に図３４の中のウィンドウ１０３２をもう一度参照すると、ツール領域１００２および作業スペース領域１００４を含むスクリーンショット１０００のように、マスターユニット９０２に対応するウィンドウ１０３２は、ツール領域１０３１のほか、セクション１００２および１００４と同じように配列される作業スペース領域１０３３も含んでいる。図示されているように、ツール領域１０３１は図３２に図示されたツールアイコンに対応するスクリーン選択可能なアイコンのすべてを含んでいる。
【０１３５】
発明の実施形態の少なくともいくつかにおいては、画像情報を修正することができるマスターユニット９０２を使用する発表者に加えて、どの会議出席者も作業スペースセクション１０３３経由で画像情報を修正することができる。また、画像がセクション１０３３を用いて修正される場合、その修正は、マスターユニット９０２によって提示された画像を修正しこれによりマスターユニット画像を再現する画像をすべて修正するために、実質的にリアルタイムで使用される。したがって、少なくともいくつかの実施形態では、出席者のすべてあるいは少なくとも一部はマスターユニット９０２を使用する発表者と同じ画像操作機能を実行することができる。同様に、少なくともいくつかの実施例の中で、個人用インターフェース装置９１１、９１３、９１５等を使用する任意の出席者は、マスターユニット９０２を使用する発表者によって使用されるのと同様の方法でツール領域１０３１のツールを使用して、スクリーン上のウィンドウ１０３２、１０３４、１０３６、１０３８および１０４０にどの画像が表示されるかを変えることができる。したがって、例えば、個人用インターフェース装置９１１を使用する出席者は、現在の例において、領域１０３１からのツールを使用して、新しい画像をウィンドウ１０３６に移動させることができ、これが今度は同じ新しい画像をプレゼンテーションスペース９６９（再び図２９を参照）上のスレーブ画像の１つとして表示させる。
【０１３６】
さて図３５には典型的なツール領域１００２が図示され、それは第１のツールセクション１０５２、ターゲットセクション１０５４、パネルセクション１０５６、ソースセクション１０５８および第２のツールセクション１０６０を含んでいる。ラベルが示すように、ツールセクション１０５２および１０６０は、以下に記述される他のタイプのアイコンのみならず、対応する作業スペースセクション（再び図３２の１００４参照）内に表示される画像を修正するために使用することができる、異なる形式のツールに対応するスクリーン上で選択可能なアイコンを含んでいる。第１のツールセクション１０５２は、イレーサーアイコン１０６２、ポインターアイコン１０６４、ペンアイコン１０７０、ドロップダウン矢印アイコン１０６８および「現在のセッティング」インジケータ１０６６を含んでいる。ペンアイコン１０７０は表示された画像に情報を加えるために、ペンとしてユニット９０２と共に使用される機械的または電子スタイラスデバイスが使用されることをマスターユニット９０２に示すのに選択可能である。一旦ペンアイコン１０７０が選択されると、機械的または電子スタイラスは作業スペース領域１００４の画像にマーキングを付加するのに使用可能である。
【０１３７】
イレーサーアイコン１０６２は、機械的なスタイラスがマスターユニット表示画面から情報を除去するか消去するためのイレーサーとして扱われるようマスターユニット９０２に指示するのに選択可能である。一旦アイコン１０６２が選択されると、機械的なスタイラスを領域１００４内のスクリーン面周りで動かし、以前ペンツールで付加された情報を削除することができる。少なくともいくつかの実施形態では、スタイラス上のボタン（不図示）がイレーサーとしてスタイラスを使用したいという望みを示すために選択されることがある。スタイラスイレーサーボタンが選択され、マスターユニットがスタイラスの作動を検知すると、その作動は消去のための作動と受け取られる。
【０１３８】
入力としてオンスクリーンアイコンを使用するソフトウェアアプリケーションが作動中で、選択されかつ／または選択されなかった情報を表示画面上で移動し、画面情報を回転し、画面情報のサイズを変更したりしているとき、ポインターアイコン１０６４は、スタイラスがイレーサーあるいはペンとしてではなく、例えば作業ペース領域１００４内の情報を選択したり、作業スペース領域１００４内のオンスクリーンアイコンを選択したりするために、ポインティングデバイスとして使用されるべきであることをマスターユニット９０２に指示するために選択可能である。
【０１３９】
アイコン１０６２、１０６４あるいは１０７０のうちの１つが選択されている場合、少なくともいくつかの実施形態の中では、選択されたアイコンは、何らかの方法でハイライトされて選択されていることを示す。例えば、ペンアイコン１０７０が選択されていない場合、図３２が図示するように、ペンキャップがペン先をカバーしているように提示される。ペンアイコン１０７０が選択されると、図３５が示すようにキャップが取り除かれペン先が露出する。同様に、イレーサーアイコン１０６２およびポインターアイコン１０６４は、選択された時何らかの方法で視覚的に区別される。
【０１４０】
アイコン１０６８は、アイコン１０６２、１０６４あるいは１０７０のうち現在選択された１つに関連した１つ以上のドロップダウンメニューを開くのに選択可能である。したがって例えば、ペンアイコン１０７０が選択され次にアイコン１０６８が選択される場合、１つのドロップダウンメニューが開き、発表者がペンタイプ、太さ、線の効果（例えば、破線、実線等）を選択できるようにする。別の例を挙げると、イレーサーアイコン１０６２が選択され次にアイコン１０６８が選択される場合、ドロップダウンメニューが開き、発表者がイレーサー消去幅、どの情報をイレーサーが消すか（例えば、消去は特定の色マーキングに制限される）等のようなイレーサー特性を選択できるようにする。
【０１４１】
現在設定アイコン１０６６は、ラベルが示唆するように、ペンの色、線の太さ、線の効果など、あるいはイレーサー消去幅のような現在選択されたツールに関係する現在の特性を示す、オンスクリーンインジケーターである。
【０１４２】
図３５をさらに参照すると、ソースセクション１０５８は、複数のアイコンを含んでいて、その各々は、マスターユニット作業スペース領域１００４によって提示することができる情報のための異なるソースに相当する。図３５では、ソースアイコンは、各々４つのアイコンから成る３行の形で配列された１２の別々のアイコンを含んでいる。図示されたアイコンには３つの異なるタイプがある。すなわちコンピューターアイコン（例えば１１０２）、１１０３等、ビデオアイコン（そのうちの１つは図３５の１１００）、およびマスターユニット９０２と同種の別の装置に対応するイーゼルアイコン１０９８である。アイコン１１０２のような個別のコンピューターアイコンは、会議への接続に使用される個人用インターフェース装置９１１、９１３、９１５などの各々に対応する。したがって例えば、図２９のデバイス９１１、９１３、９１５などのそれぞれのために、個別のコンピューターソースアイコン１１０２が用意される。ここで、ある人が会議に接続し出席者になると、識別情報がある形（例えば出席者から受信するか、システムプロセッサを介して自動的に受信するか）で得られると仮定される。現在の例において、システムプロセッサは識別情報から出席者のイニシャルのような独自の識別子を取り出すと仮定されている。現在の例で、出席者イニシャルは個別のコンピューターアイコンとして提供され、その結果、個々の特定のアイコンに関連した出席者は容易に識別することができる。例えば図３５では、イニシャルＡＳＤはコンピューターアイコン１１０２に対応付けられ、一方、イニシャルＳＳＣはアイコン１１０３に対応付けられ、それぞれアイコン１１０２および１１０３に関連したインターフェース装置を使用する出席者の身元を示す。
【０１４３】
ここで、少なくともいくつかの実施形態中でコンピューターアイコンのうちの１つ（例えば１１０２）が選択されると、選択されたアイコンに関連したラップトップに現在表示されている情報は、マスターユニット９０２に同時に表示されると想定される。より具体的には、コンピューターアイコンのうちの１つが選択されると、関連するラップトップに対応するマスターユニットスクリーン上にウィンドウが開かれ、関連するラップトップに現在表示されている情報は、同時にマスターユニットに表示される。例えば再び図２９、図３５および図３６において、個人用インターフェース装置９１１および９１３はイニシャル「ＡＳＤ」および「ＳＳＣ」を持つ会議出席者によって使用され、そしてこの２名の出席者は、比較の目的のために他の出席者たちと売上情報を共有したいと仮定する。ここで、各出席者ＡＳＤおよびＳＳＣはインターフェース装置ソフトウェアを使用して専用のウィンドウ中で提示され比較される売上情報にアクセスし、出席者のインターフェース装置（図３４も参照）によって提供されるツール領域１０３１を使用して特定ユーザーに対応するスペース１０５８からアイコン（つまりアイコン１１０２あるいは１１０３）を選択し、そしてその後情報を最大化して（即ちインターフェース装置スクリーン全体をカバーするためにサイズを増加させて）マスターユニットスクリーンに売上情報を提示することができる。
【０１４４】
図３６において、上に記述されたような動作によって、典型的なウィンドウ１１７８および１１８１が開かれて画像１１７９および１１８３として出席者ＡＳＤとＳＳＣのための売上情報をそれぞれ表示する。図３６において、コンピューターアイコン１１０２が選択されると（つまり、ダブルクリックし作業スペース領域１０３２等にドラッグされると）、アイコン１１０２に関連したインターフェース装置によって現在表示されている画像に対応して、ウィンドウ１１７８が開かれ、画像１１７９がそこに表示される。図３６では、ユーザーＡＳＤは、ウィンドウ１１７８が単に半四半期の結果を示すように、彼女のラップトップコンピューター上の表示された半四半期の結果を含むウィンドウを最大化したと仮定する。同様に、アイコン１１０３が選択されると、ウィンドウ１１８１が開かれ、アイコン１１０３に関連したインターフェース装置によって現在表示されている画像に対応して画像１１８３がそのウィンドウに表示される。こうして、マスターユニット９０２によって、多重情報源に対応する多重ウィンドウが作業スペース領域１００４内に開かれる。
【０１４５】
再び図２９および図３６を参照すると、作業スペース領域１００４に表示されるウィンドウ１１７８および１１８１を含む情報は「移動」でき、スレーブプロジェクタユニット（つまりスペース９６９に向かって投影するユニット）によって表示することができるので、多数の個人用コンピューティング機器の「ライブビュー」（つまり個人用コンピューティング機器９１１、９１３、９１５等に現在表示されている情報）を、スペース９６９上に投影された多数のスレーブ画像上に示すことが可能である。例えば、図３６において、マスターユニットユーザーは、ウィンドウ１１７８および１１８１が領域１００４の上半分と下半分をカバーするように、ウィンドウ１１７８および１１８１（即ちウィンドウのコーナーをドラッグする）のサイズを増加させて、そのウィンドウを移動させ（例えば、ウィンドウ最上部のバーはウィンドウを移動させるために別の場所へドラッグされる）、そしてその後ウィンドウ１１７８および１１８１を含む画像をスレーブ領域９０４に移動させることができる。次に、マスターユニットユーザーはセクション１１５８（再度図３５を参照）からさらに２個のコンピューターアイコンを選んで、２台の他の個人用コンピューティング機器（例えば９１１、９１３、９１５等）に現在表示されている売上成績を表示し、これによって領域１００４に２つの他のウィンドウを開く。新しく開かれたウィンドウをそれぞれが領域１００４の半分を覆うようにサイズ変更した後、ユーザーは、新しいウィンドウを含む画像を図２９中のスレーブスペース９０６へ移動させてもよい。このプロセスはスペース９６９中に多数のライブウィンドウを表示するために数回繰り返すことができる。
【０１４６】
少なくともいくつかの実施形態では、セクション１０５８のアイコンは、機械的なスタイラスの先端でアイコンに触れて領域１００４にそのアイコンをドラッグすることにより選択可能となる。その他の場合、セクション１０５８のアイコンはアイコンに一、二度スタイラスの先端を軽く打ちつけることにより選択することができる。開いたウィンドウ（例えば１１７８）を閉じるために、各ウィンドウはスクリーン選択可能な終了アイコン１１８５（１つだけ図示）を含む。図示していないが、ウィンドウ１１７８、１１８１等のサイズは少なくともいくつかの実施形態中で変更でき、例えば、図３６中のウィンドウ１１７８および１１８１が作業スペース領域１００４の上半分および下半分を満たすようにサイズを変更できる。
【０１４７】
ウィンドウ（例えば１１７８と１１８１）が領域１００４に開かれる場合、ペンアイコン１０７０はウィンドウ上の画像、ウィンドウ間、および領域１００４内の他のスペースを含む領域１００４内のいかなる場所でもマークを付加するために使用可能である。例えば、図３６では、各ウィンドウ１１７８および１１８１内の情報の違いを強調するために、マーキング１１８７が、セクション１００４内に表示された情報に加えられている。ここではマーキング１１８７は、ウィンドウ１１７８および１１８１上とウィンドウ間のスペースに存在する。
【０１４８】
少なくともいくつかの実施形態中で、作業スペース領域１００４に表示した画像がウィンドウ１１７８、１１８１等を含み、セクション１００４内に別の画像を表示するか作成することができるように最小化される（つまり、作業スペース領域１００４から取り除かれるが、セクション１０５６中にパネルアイコンとして現われる）とき、開いたウィンドウは最小化された画像に引き続き関連していて、最小化された画像が再び最大化される（つまり、セクション１００４に表示される）場合、そのウィンドウは再び提示される。同様に、ウィンドウを含む画像が保存される場合、ウィンドウ情報は画像と共に保存され、画像が再アクセスされた場合、ウィンドウは再提示される。要するに、これらの実施形態では、領域１００４に提示された情報はすべて、最小化の際および／または後続のアクセスのための保存の際に維持される。
【０１４９】
図３６を再び参照すると、停止および再開アイコン１１９７および１１９９が、個人用コンピューティング機器のうちの１つに関連するウィンドウ１１７８、１１８１などの各々の一番上にクローズアイコン（例えば１１５８）に隣接して用意されている。停止アイコン１１９７は、対応するウィンドウに表示された情報を凍結するために選択可能である。例えば、アイコン１１９７が選択されている場合、ウィンドウ１１７８中に現在表示されている情報はどの情報がウィンドウ１１７８に関連するパーソナルコンピューティング機器に表示されるかに関係なく、維持される。アイコン１１９７が選択された後、ウィンドウ１１７８に関連した個人用コンピューティング機器に現在表示されている情報を反映するためにウィンドウ１１７８をアップデートするのに、再開アイコン１１９９を選択することができる。
【０１５０】
ビデオアイコン１１００に関して、発明の実施形態中のうち少なくともいくつかで、会議の発表者あるいは出席者によって会議中使用可能なストリームビデオクリップを提供することができるＤＶＤプレーヤー、カメラ、テーププレーヤー、ハードドライブ等のようなビデオソースの存在が考えられる。アイコン１１００は１つのビデオソースに対応し、選択された時ウィンドウ中に対応するビデオクリップを提供する。図３６では、ソースビデオアイコン１１００に対応するビデオウィンドウ１１８０が開いているところが示されている。このビデオウィンドウは、ビデオクリップ画像１１９０、ソース識別子情報１１８２、および休止アイコン１１８４、再生アイコン１１８６および閉鎖アイコン１１８８を含むコントロールバーを含んでいる。識別子情報１１８２は、ビデオのソースであるビデオ機器を管理する出席者を識別するイニシャルを提供する。ウィンドウ１１８０が開かれる場合、少なくともいくつかの実施形態では、クリップ１１９０の再生は自動的に開始される。クリップ１１９０はアイコン１１８４の選択により休止し、またアイコン１１８６の選択により再開することができる。ウィンドウ１１８０はアイコン１１８８の選択により閉じることができる。少なくともいくつかの実施形態中で、ウィンドウ制御１１８４、１１８６、１１８８等は、ウィンドウの動作（例えば、再生、休止等）を物理的に制御するために会議室制御システムに接続することがある。
【０１５１】
ここで、ウィンドウ１１７８および１１８１の場合でのように、少なくともいくつかの実施形態では、ウィンドウ１１８０は領域１００４内で移動されおよび／または大きさを変えることができる。さらに、ウィンドウ１１８０のような多数のビデオ型ウィンドウを一度に開くことができ、また多数のビデオクリップを一度に再生することができる。さらに、ペンツール１０７０を使用して、ビデオクリップおよび／または静止ビデオクリップ画像上にマーキングを作成することができる。少なくともいくつかの実施形態中で、ビデオ型ウィンドウを含む画像が最小化されかつ／または保存される場合、ウィンドウは画像に含まれており、画像が領域１００４上で再びアクセスされる場合再提示される。
【０１５２】
イーゼルアイコン１０９８はマスターユニット９０２と同種のインターフェースユニットに関係している。図２９を再び参照すると、デバイス９０７はマスターユニット９０２のように第２の大スケールインターフェース装置で、いくつかの異なる方法で使用され得る。まず、ユニット９０７は、事実上ユニット９０２の影として使用され、常に上述のユニット９０２に表示されるものを正確に表示することができる。次に、ユニット９０７は、個人用インターフェース装置９１１、９１３、９１５の１つのようにアプリケーションを実行しかつ／または画像を作成するために分離して使用されてもよい。この第２の場合、ユニット９０７は、インターフェース装置９１１、９１３、９１５等のようにソースとして使用することができ、またそれによって表示された画像は、マスターユニットアイコン１０９８が選択されている場合、ユニット９０２に複製することができる。図示されていないが、ユニット９０２および９０７の２台だけ以上のユニットがあってもよい。
【０１５３】
新しいソースを加えるために、セクションアイコン１１５８に空間的に対応付けられる「＋」アイコン１１０４が選択可能である。アイコン１１０４が選択されると、少なくともいくつかの実施形態では、加えられる新しいソースを識別するために使用可能なウィンドウ（不図示）が開く。いくつかの実施形態では、新しいソースのユーザーは、個人用インターフェース装置などを経由して会議への参加を試みることもでき、また自動的に承認されるか、何らかの方法であるいはパスワード入力などを経て現在の出席者によって受け入れられてもよい。いずれの場合も、新しいソースが加えられると、新しいソースアイコンがセクション１０５８に同様に加えられる。もしあるソースが会議からアクセスできなくなる場合、例えばインターフェース装置９１５を使用する出席者が会議への接続を断つ場合、関連するソースアイコンは、セクション１０５８から除去される。
【０１５４】
図３５を再び参照すると、パネル部１０５６は各画像、あるいはプレゼンテーション中に削除されなかったまたは閉じられなかった新しく開かれた画像に対応する個別のパネルアイコンを含んでいる。図３５では１２個の別々のパネルアイコンが図示されているが、各パネルアイコンには番号１〜１２のうちの１つが割り当てられており標識付けされている。パネルアイコンはそれに関連する画像のサムネイルスケッチをそれぞれ含んでいる。本例において、パネルアイコン１、２、３および５にはそれぞれに画像が対応付けられている一方、パネルアイコン４および６〜１２には何の情報も対応付けられていない（つまり、アイコン４および６〜１２に対応する空白ページが作成され、それらのページには画像は含まれていない）。新しい空白ページを作成するために、セクション１０５６に空間的に関連した「＋」アイコン１０９４が選択可能である。パネルアインを除去するには、パネルアイコンを選択し、以下に詳しく記述されるゴミ箱アイコン１０７４にそのパネルアイコンを移動させればよい。
【０１５５】
図２９および図３５をさらに再び参照すると、マスターユニット９０２に現在表示されている画像に対応するパネルアイコンは、セクション１０５６の他のパネルアイコンと視覚的に区別される。例えば、再び図３２および３５を参照すると、パネルアイコン３に対応する画像が作業スペース領域１００４に表示される場合、３番目のパネルアイコンが同パネルアイコンを囲む視覚的に区別可能な箱１０７９によって強調される。さらに、図３２に見られるように、マスターユニットに表示されている画像に対応するパネルアイコンのアイコン番号は、表示された画像の一部として示される。例えば図３２では、番号３が領域１００４に表示された画像の右上コーナーに図示されている。
【０１５６】
さらに図３５を参照すると、少なくともいくつかの実施形態の中で、マスタープレゼンテーションユニット９０２によって現在表示されている画像に対応するパネルアイコンを視覚的に区別することに加えて、インターフェースソフトウェアはスレーブユニットに現在示されているパネルアイコンを視覚的に区別する。この目的のために、図３５では、スレーブマーカー１０８２、１０８４、１０８６および１０８８が、現在表示されているスレーブ画像に対応する各パネルアイコンの上に提供される。図３３と呼応して、スレーブマーカーは、１、２、３および５とラベル付けされたパネルに関連した各々のパネルアイコンの上に示される。図示されていないが、少なくともいくつかの実施形態では、スレーブマーカー１０８２、１０８４、１０８６および１０８８は少なくとも多少半透明に見えるようになっており、スレーブマーカーが介在していても発表者と出席者はその下の情報を見ることができ、どのパネルがどのアイコンに相当するか概ね認識することができる。
【０１５７】
図２９をもう一度参照すると、少なくともいくつかの実施形態中では、２つ以上のサブシステム９００、９０１などが会議のためにお互いに接続される場合、サブシステム９００、９０１などは、ある時間に異なる数のスレーブ画像を含むことがあると考えられる（例えば、あるサブシステムが他のサブシステムより多くのスレーブハードウェアを含む場合もある）。例えば、システム９００が４枚のスレーブ画像を表示する一方、システム９０１は６枚のスレーブ画像、８枚のスレーブ画像などを表示する可能性もある（不図示）。少なくともいくつかの実施形態において、サブシステムが異なる数のスレーブ画像を表示する場合、共通に表示される画像に対応するパネルアイコンは、マスタープレゼンテーションユニット９０２によって視覚的に区別され、独自に表示されたスレーブ画像に対応するパネルアイコンは異なる方法で視覚的に区別される（つまり、画像が単に１台あるいはサブシステムのサブセットに表示される）、と考えられる。この目的のために図２９および３５をもう一度参照すると、本例では、パネルアイコン１、２、３および５に対応する画像は、サブシステム９００および９０１のようなサブシステムによって共通に表示される一方、パネルアイコン７および８に対応する画像はサブシステム９０１に関連したプロジェクタ８９９を介してのみ表示されると考えられる。ここで、共通に表示されるパネルは、１つのタイプのマーカーで印をつけられる（マーカー１０８２、１０８４、１０８６および１０８８を参照）一方、独自に表示されたパネルは、第２および異なる形式のマーカーで印をつけられる（１０９０と１０９２を参照）。
【０１５８】
再度図３３および図３５を参照すると、少なくともいくつかの実施形態において、スレーブ画像が表示されたとき、これに関連付けられたパネルアイコンの番号に対応した画像ラベルが各スレーブ画像の一部として提供される。例えば、図３３の画像１０２２、１０２４、１０２６および１０２８は、パネル１、２、３および５を示す図３５のマーカー１０８２、１０８４、１０８６および１０８８と一致して番号ラベル１、２、３および５をそれぞれ含む。
【０１５９】
表示されたスレーブ画像を変更するため発表者または会議出席者はマーカー１０８２、１０８４、１０８６あるいは１０８８の１つを選択して、セクション１０５６のパネルアイコンの別の１つにマーカーを移動させることができる。このように、例えば、発表者がパネルアイコン２からパネルアイコン１０にマーカー１０８４を移動させると、パネルアイコン１０に対応した画像が、図３３において画像１０２４が占めていた位置のプレゼンテーションスペース９６９に表示される。ここで、表示された画像は右上隅にラベル「１０」を含み、どの画像が現在表示されているかを示す。
【０１６０】
少なくともいくつかの実施形態において、パネルアイコンおよび「＋」アイコン１０９４に加えて、セクション１０５６のパネルアイコンに関連した画像のすべてに対応するセッションアイコン１０９１がセクション１０５６に提供される。
【０１６１】
再び図３５を参照すると、ツールセクション１０６０には保存アイコン１１０８、設定アイコン１１１０およびズームアイコン１１０６が含まれる。少なくともいくつかの実施形態において、マスターユニット９０２に生成された画像を別々に保存する必要がある。ここで、例えば、マスターユニット９０２に現在表示されている画像を保存するためにアイコン１１０８を選択することができ、少なくともいくつかの実施形態においては、セッション中の画像を保存する、他の画像を開く、保存せずにセッションを閉じる、またはセッション画像を印刷するための「保存する」、「開く」、「閉じる」および「印刷する」というアイコンを選択できる画面を含むメニューがそれぞれ開かれる。他の実施形態において、保存アイコン１１０８を選択すると、現在、セクション１０５６のパネルアイコンのいずれかに対応する画像のすべてがセッションデータベースの一部として保存され、後にセッションデータベースにアクセスしたとき、パネルのすべてが再び提示され、事実上、会議を中止したところから会議を再開することができる。さらに別の実施形態において、セッションアイコン１０９１を選択して、アイコン１１０８へドラッグするか、他の方法で同アイコンに関連付けてすべてのセッション画像を保存することができる。
【０１６２】
設定アイコン１１１０は、例えばマスターユニット９０２が休止モードに入るまでの時間、機械的なスタイラスがどのように作動するか（例えば、１打ちまたは２打ち動作等）、キーボードまたはマウスといった入力装置がどのように作動するか等の、現在のセッションのための設定を変更するためのツールにアクセスするために選択することができる。
【０１６３】
ズームアイコン１１０６は、ラベルが暗示するように、作業スペース領域１００４内に現在表示されている情報のサイズを変更するために使用することができる。この目的を達成するため、アイコン１１０６には選択可能なマイナスおよびプラスの端部およびスライディングボタン表示器が含まれている。アイコン１１０６のマイナス端を選択すると作業スペース領域１００４に現在表示されている画像のサイズが縮小され、プラス端を選択すると表示画像のサイズが拡大される。この目的を達成するため、さらに図３７を参照すると、パネルアイコン３に対応する初期画像１１５６が破線のボックス１１５８内に縮小されたサイズフォーマットで示される。これにより、追加情報を加えるために領域１００４内のスペース１１５７が解放される。図３７においては、ペンツール１０７０によって追加情報１１６０が加えられている。図示してはいないが、画像が拡大されて領域１００４に入りきらないほど大きくなった場合、左右および上下スクロール用のスクローリングアイコンを提供して画像の異なる部分にアクセスできるようにすることもできる。他の場合においては、情報が表示領域を超えて拡大されないように、作業スペース１００４内のデータの拡張を制限することもでき、これによりスクロールバーおよび／またはツールが不要となる。
【０１６４】
図３５を再度参照すると、目標スペース１０５４には封筒アイコン１０７２、プリンタアイコン１０７６およびごみ箱アイコン１０７４が含まれる。封筒アイコン１０７２は電子メール機能に対応し、これによりセクション１０５６のパネルアイコンが封筒アイコン１０７２に関連付けられると、パネルアイコンに関連付けられた画像がある宛先に送信される。例えば、少なくともいくつかの実施形態において、発表者がセクション１０５６のパネルアイコン１を選択して封筒アイコン１０７２にドラッグし、その後マスターユニットのソフトウェアが関連付けられた画像を送信すべき人のＥメールアドレスを要求することができる。他の実施形態においては、パネルアイコンを封筒アイコン１０７２に関連付けると、例えばセクション１０５８のアイコンに対応する情報源の１つに関連付けられた各出席者のように登録済みの会議出席者に関連付けられた画像がそれぞれ自動的に送信される。電子メール情報はルームウィザードのような別の装置に保存することもできる。さらに別の実施形態においては、画像が領域１００４に表示されている間にアイコン１０７２が選択されると、領域１００４の画像のコピーが１つ以上の宛先に電子メールで送信される。いくつかの実施形態において、セッションアイコン１０９１がアイコン７２にドラッグされ、またはアイコン１０７２に関連付けられると、そのセッションに関連付けられたすべての画像のコピーが１つ以上の宛先へ電子メールされる。他のメール経路指定スキームも考えられる。
【０１６５】
プリンタアイコン１０７６はプリンタに対応し、またラベルが示すように、セクション１０５６からパネルアイコンまたはセッションアイコン１０９１がプリンタアイコン１０７６に関連付けられると、パネルアイコンまたはセッションアイコン１０９１に対応する画像のハードコピーが印刷される。ここで、関連付けはパネルアイコンをプリンタアイコン１０７６にドラッグする形式をとってもよい。
【０１６６】
ごみ箱アイコン１０７４はセクション１０５６からパネルアイコンを削除するか取り除くために使用することができる。この目的を達成するため、セクション１０５６からパネルアイコンをごみ箱アイコン１０７４にドラッグするかまたは別の方法で関連付けると、パネルアイコンはセクション１０５６から取り除かれる。領域１００４のパネルアイコンまたは画像がアイコン１０７４に関連付けられると、少なくともいくつかの場合において、ページを廃棄するアニメーションまたはオーディオ演出を発生させることも考えられる。例えば、画像が捨てられると、大きなページをくしゃくしゃにするアニメーションを領域１００４に提示する、および／または紙をくしゃくしゃにするように聞こえる音声出力を提示してもよい。
【０１６７】
図３２を再度参照すると、ポインターアイコン１０６４に対応するポインターツールは、作業スペース領域１００４内の画面上のボタンアイコンを選択するのに使用できることに加えて他の目的に使用することができる。例えば、少なくともいくつかの発明の実施形態において、ポインターツール１０６４はサイズを変更する領域１００４の画像内の情報を選択するのに使用することができる。この目的を達成するため、図３２に、領域１００４に表示された情報の一部を含む直線で囲まれたスペース１００８を選択するのに用いたポインターアイコン１０１０を図示する。直線で囲まれたスペースを点線で示す。スペース１００８が選択された後、ポインターアイコン１０１０を用いて、スペース１００８まわりのボックスのコーナーを選択し、そのコーナーをスペース１００８の外側または内側にドラッグしてボックス内の画像部分のサイズを変更することもできる。
【０１６８】
別の例として、ポインターアイコン１０１０は、領域１００４内であるスペースを選択した後、そのスペース内の情報を領域１００４内の異なる位置に移動させるために使用することもできる。このように、例えば、図示はしていないが、図３２において、スペース１００８を選択した後、アイコン１０１０を用いてスペース１００８内の情報を領域１００４の左上コーナーから下の右下コーナーまで移動させ、そこに情報をドロップすることもできる。
【０１６９】
もう１つの例として、少なくともいくつかの実施形態において、ポインター１０１０を用いて、作業スペース領域１００４に表示された画像情報をツール領域１００２のパネルアイコンの１つおよび従ってパネルアイコンに関連付けられた画像に移動できるようにすることも考えられる。この点に関して、図３２をさらに参照すると、スペース１００８を確定した後、ポインターアイコン１０１０は、スペース１００８内の情報を上に移動させ、領域１００２のパネルアイコンの１つに対して関連付ける位置に移動させるために用いることができる。さらに図３８を参照して、アイコン１０１０に貼り付けられたように示されている領域１００８をパネルアイコン６まで移動させ、スペース１００８の情報をパネルアイコン６に関連付けられた画像に移動させる。図３９も参照すると、情報がパネルアイコン６に関連付けられた画像に移動した後、次回パネルアイコン６に関連付けられた画像がマスターユニット９０２に、またはスレーブ画像の１つとして表示されると、そこに移動した情報が画像の視覚的に区別される部分として提示される。図３９において、スペース１００８は、左上隅に周りを直線で囲んだ点線のボックスで示されており、情報と画像の残余が視覚的に区別されている。この時、ポインターアイコンは、領域１００４内の任意の位置にスペース１００８を移動させるために用いることができる。ポインターアイコンは、ローカル接続により、パーソナルコンピューター装置の「リモートビュー」上でクリック、ダブルクリック、ドラッグする等にも使用することができる。さらに、独立したキーボードを用いてパーソナルコンピューター装置に情報を入力することができる。
【０１７０】
図３０および図３１を再度参照して、上記のように少なくともいくつかの実施形態において、マスターユニット９５１の表示画面９５５を縦長や横長の向きに回転させること、またディスプレイを回転したときにいくつかの事象が発生する可能性があることが考えられる。まず、図面のように画面９５５を縦長の向きから横長の向きに回転したとき、画面上のアイコンまたはツールを情報の提示に最も良く適応するように再配置することができる。この目的を達成するため、図３２を再度参照して、また上記のように、可能な範囲内で、作業スペース領域１００４はマスターユニットの表示形式（つまり縦横比）と向きに関係なく典型的なフリップチャートページの寸法と同様の寸法を持つべきであることが認識されている。この点に関しては、典型的なフリップチャートページは通常３：２から４：３のフォーマットを有し、一方、マスターユニットの表示画面は典型的には４：３または１６：９のフォーマットのいずれか２つの異なるフォーマットを有する。少なくともいくつかの実施形態において、マスター表示画面が縦長および横長の向きにあるとき、一般に４：３または３：２のフォーマットで作業スペース領域１００４を提供するために、ツール領域を異なる向きにすることもできる。この点に関して、さらに図３２を参照すると、少なくともいくつかの実施形態において、１６：９フォーマットのマスターユニット画面９５５が縦長の向きにあるとき、ツール領域１００２はスクリーンショット１０００の上部端に沿って提示される。少なくともいくつかの場合において、ツール領域１００２は、２：３フォーマットの作業スペース１００４を残す１８：５フォーマット（つまり、幅１８×高さ５）を有する。この場合、少なくともいくつかの実施形態において、提示されるマスター画像は２：３フォーマットを有するので、表示される各スレーブ画像も２：３フォーマットを有する（一般に図３０を参照のこと）。
【０１７１】
図４０を参照し、１６：９フォーマットのマスターユニット画面を横長になるよう回転すると、少なくともいくつかの実施形態において、ツール領域１２０２は結果として生じるスクリーンショット１２００の左端に沿って提供され、その右に作業スペース領域１２１６が提供される。ここで、領域１２１６は４：３フォーマットで提示され、ツール領域１２０２は４：９フォーマットで提示される。図４０において、領域１００２（図３２をも参照のこと）に収容されていたツールアイコンを領域１２０２にすべて収容するため、ツールアイコンは再配置されている。しかしながら、ツールは画面が縦長の向きにあるときに提供されていたツールと同様の外観と雰囲気を有し、したがってその操作は直観的に行えるものとなっている。少なくともいくつかの実施形態において、マスターユニット画面が横長の向きに回転されると、そのスレーブ画像も縦長の向きから横長の向きに回転され、かつスレーブ画像のサイズが拡大され数が減った一組のスレーブ画像が提示される（図３３および図４１をも参照比較すること）。図３３および図４１に示す例においては、横長の向きに回転した後、図３３のように４つの縦長のスレーブ画像を提示するのではなくて、２つのスレーブ画像のみをスペース９６９上に提示し、各画像は横長の向きとなる。ちょうど図４０の領域１２１６が４：３のフォーマットとなるように、図４１のスレーブ画像もこの例においては４：３フォーマットとなる。
【０１７２】
少なくともいくつかの実施形態において、マスターユニット画面が縦長の向きと横長の向きの間で回転されると、ツール領域／作業スペース領域はスレーブ画像の回転と同様に自動的に再配置される。しかしながら、他の実施形態においては、発表者がプレゼンテーションを変更するため物理的な回転に加えて積極的な行動を取らねばならないということも考えられる。この点に関して再び図３５を参照すると、少なくともいくつかの実施形態において、縦長と横長を切り替えるために向き変更ボタンアイコン１１１２がツールセクション１０６０に提供されている。このように、ボタン１１１２が選択されかつ現在、作業スペース領域が縦長の向きにあるマスターユニット画面に情報が表示される場合、表示される情報は再配置されて作業スペース領域が横長になり、それに応じてツール領域が再配置される。
【０１７３】
図４０を再度参照すると、マスター画面が横長の向きにある場合のツールアイコンの少なくともいくつかに対する修正が関心事となる。まず、図３２も参照して、１−１２とラベルしたパネルアイコンを縦長の向きに提示する代わりに、図４０においてはパネルアイコン１−１２は、作業スペース領域１２１６の向きと同様に横長の向きに提示される。次に、マスター画面が縦長および横長の向きにあるときに表示されるスレーブ画像の数が異なる実施形態においては、パネルアイコン上のマーカーの数が表示画像のみを反映するよう自動的に変更される。この点に関し図４０においては、マスターユニット画面が縦長の向きから横長の向きに回転されたときに表示されるスレーブ画像の数が４つから２つに切り落とされる上記の例と一致して、２つのマーカー１２０４および１２０６のみが図４０に提供されて１および２とラベルされたパネルに関連づけられ、先にパネル３および４と関連づけられたマーカーアイコンが削除されている。
【０１７４】
さて図４２および図４３を参照すると、４：３フォーマット画面の縦長および横長の向きに対応する典型的なスクリーンショット１２２１および１２４０が図示されている。図４２において、縦長向きのスクリーンショット１２２１は、その左端に沿って比較的細長いツール領域１２２５と、ツール領域の右側の作業スペース領域１２２３を含む。ツール領域は１：１２フォーマットを有し、一方、作業スペース領域１２２３は２：３フォーマットを有する。図４３において、画面上のツールアイコンは２つの別個のサブグループに分割され、２つの別個のツール領域、すなわちスクリーンショット１２４０の左端に沿う第１の領域１２４２とスクリーンショット１２４０の下端に沿う第２の領域１２４６に配置される。図４３において、ソースアイコンは第２の領域１２４６内に、また他のすべてのツールアイコンは第１の領域１２４２に提供される。残りの領域１２４４は、この実施形態においては４：３フォーマットの作業スペース領域を形成する。少なくともいくつかの実施形態において、第１のツール領域１２４２は１：９フォーマットを、また第２の領域１２４６は１６：１フォーマットを有する。他のスクリーンショットフォーマットも考えられる。
【０１７５】
図４４を参照して、図３５に示した領域１００２と同様の第２の典型的なツール領域１３００を示す。ツール領域１３００に示したツールアイコンの多くは図３５に示したツールアイコンと同一か実質的に同一かつ同様の方法で動作するので、この説明を簡略化するため図４４に示すツールアイコンの多くを再びここに詳述することはしない。ツール領域１３００とツール領域１００２の主要な相違は、スレーブプレゼンテーションスペースまたはユニットに提示される画像に対応する領域１３００内のパネルアイコンまたはセッション画像表現と他のパネルアイコンまたはセッション画像表現（つまり現在提示されているスレーブ画像に関連づけられていないセッション画像表現）とを視覚的に区別する方法にある。図４４において、現在提示されているスレーブ画像は、１；２；３；４；５；および６；として識別され、それぞれスレーブプレゼンテーションスペース１３１０、１３１２、１３１４、１３１６、１３１８および１３２０に提示される。この点に関して、図３５および図４４を参照すると、図３５の現在表示されているスレーブ画像に関連づけられたパネルアイコンはトークンアイコン（例えば１０８３、１０８４等）を介してマークされ、一方ツール領域１３００では、現在提示されているスレーブ画像に関連づけられたパネルアイコンが、ボックスを形成するフィールド境界（これも１３０２とラベル付けされている）に囲まれたスレーブ表現領域１３０２内に提供されている。図示例において、スレーブ表現領域１３０２は、パネルアイコンに用意されたツール領域１３００内スペースの左上隅に提供されている。
【０１７６】
なお図４４を参照すると、スレーブ表現領域１３０２はさらに複数のスレーブ表現フィールド、すなわちスレーブ画像を表示できるスレーブ画像プレゼンテーションスペース用の個々のフィールドに分割されている。例えば、プレゼンテーションシステムが３つのプロジェクタを含んでおり、システムが合計６つのスレーブ画像を投影できるように、プロジェクタがそれぞれ２つの別個の画像を投影することができるとき、スレーブ表現領域１３０２は６つの別個のスレーブ表現フィールドを含んでいる。図４４において、この例と一致して、会議出席者が見る６つのスレーブ画像１ｉ、２ｉ、３ｉ、４ｉ、５ｉおよび６ｉを提示するための６つの別個のスレーブプレゼンテーションスペース１３１０、１３１２、１３１４、１３１６、１３１８および１３２０が示されている。ここで、スレーブ表現領域１３０２は、領域１３０２内に１列に並び、それぞれ数字１３０１、１３０３、１３０５、１３０７、１３０９および１３１１で識別される１から６の独立したスレーブ表現フィールドに分割されている。追加のセッション画像表現フィールド１３１３、１３１５、１３１７、１３１９、１３２１および１３２３は、現在提示されているスレーブ画像に関連づけられていないパネルアイコンのためにスレーブ表現領域１３０２の外側に提供される。図４４において、スレーブ表現領域１３０２内のパネルアイコンは数字１、２、３、４、５および６によって識別され、スレーブプレゼンテーションスペース１３１０、１３１２、１３１４、１３１６、１３１８および１３２０内にそれぞれ提示されるラベル１ｉ、２ｉ、３ｉ、４ｉ、５ｉおよび６ｉによって識別される現在提示されているスレーブ画像に対応する。
【０１７７】
ツール領域１３００内のアイコンの操作により、会議開催システムを介してどのスレーブ画像を提示するかを変更するのにいくつかの方法が考えられる。この目的を達成するため、図４５を参照して、提示されたスレーブ画像を変更する１つの方法は、マウスで制御するカーソル等を介してスレーブ表現領域１３０２内のパネルアイコンの１つを選択し、外側領域１３０２の別の位置に選択したアイコンまたは表現をドラッグすることである。図４５にドラッギング行為を示すと、パネルアイコン４をスレーブ表現フィールド１３０７からフィールド１３２５までドラッグして、矢印１３４０で示す外側領域１３０２に置く。アイコン４が解放されると、パネルアイコン４はパネルアイコン１２の隣のフィールド１３２５内に位置する。
【０１７８】
さらに図４５を参照して、パネルアイコン４がスレーブ表現領域１３０２から取り除かれると、フィールド１３０７は空になり、図示されるように、スレーブプレゼンテーションスペース１３１６内に先に提示された画像４ｉ（図４４および図４５を比較すること）は取り除かれ、ブランクのスペース１３１６となる。
【０１７９】
図４４を再度参照して、スレーブプレゼンテーションスペースを介して現在提示された画像を変更する別の方法は、マウス制御のポインティングアイコン等でスレーブ表現領域１３０２内のパネルアイコンの１つを選択し、領域１３０２内の別の位置へ選択したパネルアイコンをドラッグすることである。例えば、図示してはいないが、ポインティングアイコンを用いてパネルアイコン４を選択し、選択した表現をフィールド１３０１と１３０３の間の位置にドラッグすることができる。選択したパネルアイコンをフィールド１３０１と１３０３の間で解放すると、パネルアイコン４はフィールド１３０３内に配置され、パネルアイコン２と３は右に１フィールド移動されそれぞれフィールド１３０５と１３０７に入る。領域１３０２内のパネルアイコンがこのように再配置されるにつれ、プレゼンテーションスペース１３１２、１３１４および１３１６と共に提示される画像は同様に変更され、画像４ｉ、２ｉおよび３ｉがプレゼンテーションスペース１３１２、１３１４および１３１６内に提示される。
【０１８０】
さて図４６を参照して、現在提示されているスレーブ画像を変更する別の方法は、領域１３０２内の位置に表現領域１３０２の外側からパネルアイコンを移動させることである。例えば、図４６を参照して、ポインターアイコンを用いてパネルアイコン１１を選択し、選択したパネルアイコンを矢印１３４２が示すように領域１３０２内のフィールド１３０３と１３０５の間の位置にドラッグすることができる。ここで、さらに図４７を参照して、パネルアイコン１１がフィールド１３０３と１３０５の間で解放されると、パネルアイコン３はフィールド１３０５のその位置からフィールド１３０７に移動され、パネルアイコン１１はフィールド１３０５に位置づけられる。領域１３０２内では変更を反映して、スレーブプレゼンテーションスペース１３１４および１３１６に提示されているスレーブ画像は画像１１ｉおよび３ｉを入れるために更新される（図４７を参照のこと）。さらに、パネルアイコン１１がフィールド１３２１から移動されているので、フィールド１３２１の右側のパネルアイコンは、それぞれ左側に移動するパネルアイコン１２および４を示す矢印１３５０および１３５２が示すように左側に１フィールド移動する。このように、１つのパネルアイコンが表現領域１３０２の中に、空のフィールドの前の位置に移動すると、パネルアイコンがドラッグされる位置の右側の領域１３０２のパネルアイコンは右側に１フィールド移動し、右側の次の空のフィールドがパネルアイコンを１つ受け入れる。
【０１８１】
図４８を参照すると、領域１３０２の各スレーブ表現フィールドの個々のパネルアイコンに関して、別のパネルアイコンが領域１３０２内の特定の位置に移動されると、領域１３０２内の特定の位置の右側のフィールド内のパネルアイコンは右に１フィールド移動し、領域１３０２内の最も右側のパネルアイコンは領域１３０２から外に移動される。例えば図４８に示すように、パネルアイコン１２がフィールド１３２１から選択され領域１３０２内のフィールド１３０１と１３０３の間の位置へドラッグされ、パネルアイコン１２が解放されると、パネルアイコン２を右に１フィールド移動し、アイコン１１を右に１フィールド移動し、アイコン３を右に１フィールド移動する等々により、パネルアイコン１２のフィールド３０３をクリアする。パネルアイコンの移動のこの連鎖反応を多方向の矢印１３６２で図４９に示す。図４９に示すように、表現領域１３０２内のフィールド１３１１に当初位置していたパネルアイコン６は、領域１３０２外側のフィールド１３１３に移動する。図４９に見られるように、フィールド１３０１、１３０３、１３０５、１３０７、１３０９および１３１１内のパネルアイコンが変更されるにつれ、スレーブプレゼンテーションスペース１３１０、１３１２、１３１４、１３１６、１３１８および１３２０内に提示される画像も同様に変更される。このように、パネルアイコン１、１２、２、１１、３および５がフィールド１３０１、１３０３、１３０５、１３０７、１３０９および１３１１に表示されるので、対応する画像１ｉ、１２ｉ、２ｉ、１１ｉ、３ｉおよび５ｉがスペース１３１０、１３１２、１３１４、１３１６、１３１８および１３２０内にそれぞれ提示される。
【０１８２】
少なくともいくつかの応用例において、異なる会議開催スペースに位置する２つのプレゼンテーションシステムが会議出席者の２つの異なるグループ間のリモート会議開催を容易にするため接続している場合、上記のように、一方のシステムが他方より多くのスレーブプレゼンテーションスペースをサポートするということが考えられる。例えば、第１のプレゼンテーションシステムは３個のプロジェクタを包含し、各プロジェクタが２つの異なる画像を表示できるため合計６個のスレーブ画像を表示することができ、第２のシステムは４個のプロジェクタを包含し、各プロジェクタが２つの異なる画像を表示できるため合計８個のスレーブ画像を表示することができる。ここでは、少なくともいくつかの場合において、第１と第２の両方のシステムに共通のスレーブ画像に対応するパネルアイコンを共用または主要なスレーブ表現領域内に提示し、一方、システムの１つのみが提示する現在提示されているスレーブ画像に対応するパネルアイコンを第２のスレーブ表現領域に表示することも考えられる。この目的を達成するため、図５０を参照すると、第１のスレーブ表現領域１３０２の隣に示した第２のスレーブ表現領域１３６６は、一方のプレゼンテーションシステムの第７および第８のスレーブプレゼンテーションスペース１３２１ａおよび１３２３ａに対応する２つの追加のスレーブ表現フィールド１３６８および１３７０を含む。図５０において、第１のプレゼンテーションシステムに対応するスレーブプレゼンテーションスペース１３１０、１３１２、１３１４、１３１６、１３１８および１３２０は画像１ｉ、１２ｉ、２ｉ、１１ｉ、３ｉおよび５ｉをそれぞれ提示し、画像はそれぞれスレーブ表現領域１３０２のパネルアイコン１、１２、２、１１、３および５に関連づけられる。同様に、画像１ｉ、１２ｉ、２ｋ、１１ｉ、３ｉおよび５ｉは、第２のシステムを介してスレーブプレゼンテーションスペース１３１０ａ、１３１２ａ、１３１４ａ、１３１６ａ、１３１８ａおよび１３２０ａのそれぞれに提示され、一方、画像６ｉおよび７ｉは、第２のスレーブ表現領域１３６６のフィールド１３６８および１３７０に対応するプレゼンテーションスペース１３２１ａおよび１３２３ａに提示される。
【０１８３】
少なくともいくつかの実施形態において、２つのプレゼンテーションシステムが会議出席者の２つのグループ間のリモート会議開催を容易にするために接続されている場合、２つのシステムの接続の切り離しに際して、各システムは対向局側の接続の終了にもかかわらずセッションを継続してセッション画像のコピーを保存するということも考えられる。対向局側の接続が終了すると、第１のシステムのスレーブプレゼンテーションスペースのサポート数が第２のシステムより少ない場合、切り離しに際して、第２のスレーブ表現領域１３６６が取り除かれ、その中のパネルアイコンがもはや第１のシステムで視覚的に区別されないようになる。ここで、第２のシステムの場合には、主要なスレーブ表現領域１３０２は、サポートされたスレーブプレゼンテーションスペースのすべてに対応するパネルアイコンおよび関連づけられたフィールドを含むように拡大される。このように、例えば第１と第２のシステムが接続され、図５０に示すようにスレーブ表現領域１３０２がアイコンで占められている場合、切り離しに際して、第１のシステムは図４９に示すようにツール領域１３００を生成して表現領域１３０２に６個のパネルアイコンを包含する一方、第２のシステムは図５１に示すようにツール領域１３００を生成してスレーブ表現領域１３０２ａに８個のパネルアイコンおよび８個の個別のスレーブ表現フィールド（ラベルなし）を包含する。
【０１８４】
少なくともいくつかの実施形態において、コンピューターまたは第２の会議開催システムを会議への遠隔参加に用いる場合、少なくともいくつかの場合において、会議を容易にするために用いるコンピューター装置に接続した何らかの印刷リソースにセッション画像を印刷することが都合よいと考えられる。例えば、４人の人々が４箇所に遠隔設置されたラップトップを介して会議に参加し、各ラップトップがラップトップに隣接する（例えば同じオフィス内の）特定の主要なプリンタに関連づけられている場合、会議のリーダーが遠隔の各出席者のセッション画像のハードコピーを会議の終わりに配布したいということがある。
【０１８５】
セッション画像のハードコピーの遠隔配布を容易にするために、少なくともいくつかの発明の実施形態において、遠隔設置された装置を会議接続に用いるとき、会議を管理するサーバーは遠隔装置をポーリングして、装置に関連づけられたプリンタを識別し、ついで識別されたプリンタに関連づけられたネットワークアドレスを次の使用のために保存することが考えられる。その後、図５２を参照すると、会議中またはその後いつでも、システムユーザーはプリンタアイコン１０７６を選択して印刷ウィンドウ１３８０を開くことができる。典型的な印刷ウィンドウ１３８０は、会議開催セッションを容易にするために用いられる装置に関連付けられたプリンタのリスト１３８２、関連付けられた各プリンタ用の個別の選択フィールド１３８４およびプリントボタンアイコン１３８６を含む。ここで、会議を容易にするために用いられる装置に関連付けられたプリンタのサブセットに印刷するため、システムユーザーはリスト１３８２において印刷の対象とするプリンタに対応するフィールド１３８４のサブセットを単に選択し、次に印刷アイコン１３８６を選択して印刷用に選択された各プリンタにセッション画像の完全なコピーを送信する。
【０１８６】
さて図５３を参照すると、装置を会議に接続するときにネットワーク装置に関連付けられたプリンタを識別する方法１３９０が示されている。プロセスブロック１３９２において、会議はマスタープレゼンテーションユニットを介して開始される。ブロック１３９４において、会議開催サーバーは遠隔装置（例えばラップトップコンピューター、デスクトップコンピューター、第２のマスタープレゼンテーションユニット等）の接続要求用のマスタープレゼンテーションユニットに接続したネットワークをモニターする。決定ブロック１３９６において、接続要求が受信されていない場合、制御はモニターが継続されているブロック１３９４まで戻る。接続要求をブロック１３９６で受信した後、制御は会議開催サーバーが関連プリンタ用接続装置をポーリングするブロック１３９８に移る。ブロック１４００において、会議開催サーバーは次回の使用のために識別されたプリンタ用関連データベースにネットワークアドレスを保存し、制御はサーバーが追加装置からの会議への参加要求を引き続きモニターしているブロック１３９４まで戻る。
【０１８７】
図５４を参照して、会議を容易にするために用いられる装置に関連付けられたプリンタにセッション画像を印刷する方法を説明する。ブロック１４０４において、会議開催サーバーはプリントコマンドをモニターする。ブロック１４０６において、プリントコマンドが受信されていない場合、制御はモニターが継続されているブロック１４０４まで戻る。決定ブロック１４０６において、プリントコマンドが受信された後、制御はブロック１４０８に移り、図５３のブロック１４００で保存されたプリンタリストにアクセスし同リストを印刷ウィンドウ（図５２の１３８０を参照のこと）内に提供する。決定ブロック１４１０において、会議開催サーバーはプリントオプションがいつ選択されたかをモニターする。プリントオプションが選択されるまで、制御ループはブロック１４０８に戻る。プリントオプションが選択された後、制御はブロック１４１２に移り、会議開催サーバーは選択されたプリンタのすべてにセッション画像を印刷し、その後、制御はプリントコマンドのモニターを継続しているブロック１４０４まで戻る。
【０１８８】
会議開催セッションに接続されたすべての装置に印刷のためにセッション画像を送信することができることの他に、少なくともいくつかの実施形態において、局所および遠隔双方の会議出席者にセッション画像の電子コピーを直ちにかつ容易に配布することができるということは有益であると考えられる。この目的を達成するため、少なくともいくつかの場合においては、人が会議の出席に合意するか会議開催セッションに遠隔ログインすると、会議に関連付けられたプロセッサに出席者のＥメールアドレスを要求または取得して保存するようにプログラムすることが考えられる。図５５を参照して、少なくとも１つのセッション画像が生成された後にメールアイコン１０７２が選択されると、少なくともいくつかの場合において、セッション画像を特定のセッションに関連付けて先に保存したＥメールアドレスのすべてに電子的に配信することができる。他の場合にメールアイコン１０７２が選択されると、図５２の印刷ウィンドウ１３８０に類似したメールウィンドウ（図示せず）を開いてシステムユーザーがセッション画像の電子バージョンを受信する会議出席者のサブセットを選択することを可能にする。
【０１８９】
図５５をさらに再び参照して、典型的なシステム１４２０はマスタープレゼンテーションユニット１４２２、会議開催サーバー１４３２、会議室ウィザード１４３４、ネットワークサーバー１４３０、リモート接続を容易にするネットワーク１４２６および複数の遠隔設置ラップトップ１４２８ａ、１４２８ｂ、１４２８ｃおよび１４２８ｄを含む。マスターユニット１４２２は会議開催サーバー１４３２と接続し、会議開催サーバー１４３２はルームウィザード１４３４と接続する。ルームウィザード１４３４はネットワークサーバー１４３０と接続され、後者はネットワーク１４２６を介してリモートコンピューター１４２８ａから１４２８ｄに接続される。ここで、少なくともいくつかの場合において、ルームウィザード１４３４はマスタープレゼンテーションユニット１４２２を使用する会議室の会議を設定または予定するために用いられる。会議出席者はリモートコンピューター（例えば１４２８ａ、１４２８ｂ等）およびネットワーク１４２６を介して登録を行うので、ルームウィザード１４３４は各出席者のＥメールアドレスを受信して保存する。その後、セッション画像を出席者にＥメールで送信するとき、マスターユニット１４２２はルームウィザード１４３４に画像を送信し、同ウィザードは保存されたＥメールアドレスを介してセッション出席者に順に画像を配布する。
【０１９０】
さて図５６を参照して、会議出席者のＥメールアドレスを取得する方法１４４０を示す。ブロック１４４２において、会議イニシエーターはラップトップ１４２８ａのような遠隔装置を用いてルームウィザード１４３４と接続し会議を予定する。会議スケジューリングプロセスの一部として、イニシエーターはブロック１４４４で会議に招待したい他の人々を識別する。ブロック１４４６において、ルームウィザード１４３４は後で使用するために各会議招待者のＥメールアドレスを識別し保存する。
【０１９１】
図５７を参照して、会議出席者にセッション画像をＥメールする方法１４５０を示す。プロセスブロック１４５２において、サーバー１４３２はマスターユニット１４２２からの電子メールコマンドをモニターする。決定ブロック１４５４において、電子メールコマンドを受信するまで、制御はブロック１４５２まで戻る。電子メールコマンドをブロック１４５４で受信した後、制御はブロック１４５６に移り、サーバー１４３２がルームウィザード１４３４にセッション画像を送信する。ブロック１４５８において、ルームウィザード１４３４は、保存されたＥメールアドレスの会議出席者に対するセッション画像のコピーをＥメールで送信する。
【０１９２】
ここで、少なくともいくつかの場合において、ルームウィザード１４３４の機能または類似の機能を会議サーバー１４３２が実施することも考えられ、その結果ルームウィザード１４３４が不必要となることを認識すべきである。この目的を達成するため、ルームウィザード１４３４を介して会議のスケジュールを決める代わりに、会議あるいは会議システムの使用を会議サーバー１４３２が操作するソフトウェアを介して予定してもよい。
【０１９３】
上述したほとんどのシステムは、少なくとも単一のユニットが固定的に据え付けられた少なくとも１つのマスターおよびいくつかのスレーブプレゼンテーションスペースを包含する多数のプレゼンテーションスペースを含む個別のマスターおよびスレーブプレゼンテーションユニットまたは単一のプレゼンテーションユニットのいずれかを含む一方、少なくともある場合においては、マスタープレゼンテーションスペースおよび１つ以上のスレーブプレゼンテーションスペースの両方を包含する可搬式プレゼンテーションシステムを提供することが便利であると考えられる。この目的のため、図５８を参照して、典型的な可搬式プレゼンテーションシステム１４６０を示すと、同システムは、数字１４７４で集合的に識別されるキャスターまたは車輪を脚部材１４７０および１４７２の下端部に備え、脚部材１４７０および１４７２の上端部に取り付けた単一のプレゼンテーション筐体構造体１４６２を含んでいる。ここでは、マスタープレゼンテーションスペース１４６４および２つのスレーブプレゼンテーションスペース１４６６および１４６８が筐体構造体１４６２の最前面（ラベルなし）に提供されている。少なくともいくつかの実施形態において、プレゼンテーションスペース１４６４、１４６６および１４６８はすべて単一のフラットパネルのモニター画面に提供することもできる。他の実施形態において、３つのプレゼンテーションスペース１４６４、１４６６および１４６８の各々を個別の電子フラットパネル表示画面で提供することもできる。さらに別の実施形態において、マスタースペース１４６４を対話型のフラットパネル表示画面で提供し、スペース１４６６および１４６８をリアプロジェクタ装置で提供することもできる。さらに別の場合において、三つのスペース１４６４、１４６６および１４６８のすべてを、筐体構造体１４６２内に搭載した単一のプロジェクタ装置で提供してもよい。少なくともいくつかの場合においては、スペース１４６４内のポインティングデバイス（例えばスタイラスまたはユーザーの指）の位置を検出するために位置検出装置が提供される。
【０１９４】
さて図５９を参照して、第２の典型的な可搬式会議システム１４８０を示すと、同システムは単一の筐体構造体１４８２を含み、マスタープレゼンテーションスペース１４８４および２つのスレーブプレゼンテーションスペース１４８６および１４８８を筐体構造体１４８２の単一の前面（ラベルなし）に提供している。図５９において、スレーブプレゼンテーションスペース１４８６および１４８８は、図５８に示したシステムとは全く反対に垂直方向より水平方向に長く配置されている。
【０１９５】
少なくともいくつかの実施形態においては、何らかのタイプのポインティングデバイスをマスタープレゼンテーションユニットと接触させて直接対話するのに用いることも考えられる。例えば、装置の操作者は指の先端を用いて、画面上のアイコンを選択すること、作業スペース内に描画すること、作業スペース内のオブジェクトを消去すること、作業スペース内のオブジェクトを選択しドラッグすること等々ができ、あるいは同じ機能を果たすスタイラスまたはペン型装置を用いることもできる。
【０１９６】
指またはスタイラスタイプの装置をそれぞれ使用できる場合、少なくともいくつかの実施形態においては、指および他のポインティングデバイスのいずれが使用されて双方向機能を果たすかに応じて２重の検出技術および異なるアルゴリズムを用いることにより、オペレータとマスターユニットとの対話を向上できることが認められている。
【０１９７】
図６０を参照して、少なくともいくつかの実施形態において、マスタープレゼンテーションユニット１６０２の表示面１６０４との双方向性を感知する一次センサは、表面１６０４に平行で表面からわずかにギャップ１６１２（例えば１／８〜１／４インチ）をもって隔てられた光の平面１６１０を発生するレーザー１６０６または他のシステムを含む。これらのシステムにおいて、表面の対話および対話位置は、通常、光の平面１６１０への貫通および貫通が発生する位置を感知することにより判断される。
【０１９８】
光平面型感知システムが良好に作動する一方で、これらの型のシステムにはいくつかの欠点がある。光センサシステムがもっぱら使用されている場合の主要な１つの欠点は、表面１６０４との接触がなされる直前および直後に双方向性がしばしば感知されるということにある。この点に関して、表示面と対話するユーザーの殆どは、対話がシート表面との接触中のみに発生する紙フリップチャートのような従来の書込面との対話を模倣した双方向性を好む。ギャップ１６１２があるため、光平面感知システムは平面１６１０が貫通される度に、また表面１６０４との同時接触の発生があるか否かに関係なく動作を感知する。このように、指先またはスタイラスの先端が一書きする表面１６０４の方に（または離れる方に）移動するにつれ、その先端が表面１６０４との接触に先立ちまたはその後に平面１６１０内で動くとすれば、その一書きは接触中に発生する部分に加えて前方部分および／または後方部分を含む。今後、別段の記載がない限り、この非接触の動作を一般に「非接触動作」と呼ぶ。通常、非接触動作は短期間（例えば０．５〜１．０秒）発生するだけである。
【０１９９】
非接触動作はすべての場合において厄介であるが（例えば、言葉と文字が不適切に鉢合わせする傾向がある）、指先端とは対照的に、対話にスタイラス／ペン型装置を用いる場合そのような動作は特に厄介となることが認められている。この点に関して、スタイラス／ペン先と比較すると、指先端は相対的に鈍器であり、したがって指先端を使用するとき非接触動作はそれほど厄介なものとはならない。
【０２００】
少なくともいくつかの発明のシステムにおいては、貫通位置を感知する光平面感知システムの他に、表示面とのスタイラス／ペン先の接触を感知する第２の感知システムが使用されている。この目的のため、図６０を再び参照すると、第２の感知システムはスタイラス／ペン装置１６２０および受信機１６０８を含む。スタイラス装置１６２０は先端接触センサ１６２２および無線周波数タイプまたは別のタイプの発信機１６２４を含む。センサ１６２２は、そのラベルが示すように、装置１６２０の先端が例えば表示面１６０４のような表面といつ接触したかを感知する。表面１６０４が接触されると、発信機１６２４は、指先端以外の装置が表面１６０４と接触したことを示す無線周波数または別のタイプの信号を受信機に送信する。さらに、装置１６２０は、装置１６２０の種類（例えばペン、消去装置、ポインティングデバイス等）、カラー、線の太さ等の追加情報を送信することもできる。
【０２０１】
受信機１６０８と接続したプロセッサ１６３０および光平面感知システムの一部を形成する貫通センサ（個別のラベルなし）は、光平面感知システムを用いている位置と受信機１６０８からの信号を用いた接触の両方を識別するようにプログラムされている。このように、１つの発明の方法によれば、指が表面１６０４との対話に使用される場合、非接触動作が発生し得るが、送信スタイラス型の装置を使用すると非接触動作を排除することができる。
【０２０２】
スタイラスおよび指の双方向性を区別するために、少なくともいくつかの発明の実施形態においては、図６１に示す区別方法を実行するようにプログラムされたシステムプロセッサ（図６０の１６３０を参照のこと）を含む。ここで、プロセッサ１６３０はフィンガーモードおよびスタイラスモードを含む２つの対話方式のいずれか１つで動作するようにプログラムされていると仮定する。フィンガーモードの際、感知された表示面１６０４との双方向性はすべて対話型の結果をもたらす。対照的にスタイラスモード動作中は、スタイラスが「接点信号」を送信するときのみ対話型動作が発生し、表面（例えば表面１６０４）と接触する開口先端１６２２は対話型の結果をもたらす。
【０２０３】
ブロック１５６２を参照して、図６０に示すマスターユニットが最初に起動されると、マスターユニットプロセッサ１６３０はフィンガーモードに動作モードを設定する。ブロック１５６４において、タイマーＴは０に設定され、フラグ１とラベルされたフラグは０に設定され、閾値持続時間Ｔｒが例えば１秒に設定される。
【０２０４】
さらに図６０および図６１を参照して、ブロック１５６６において、光平面貫通が発生していない場合、プロセッサはブロック１５６８において制御をブロック１５６６まで戻す。光平面貫通がブロック１５６８で発生した後、制御はブロック１５７０に移る。
【０２０５】
ブロック１５７０において、プロセッサ１６３０は、現在設定されているモードがフィンガーモードであるかスタイラスモードであるかを判断する。スタイラスモードが設定されている場合、制御はブロック１５７０からブロック１５７２に移る。ブロック１５７２において、プロセッサ１６３０は貫通位置情報を保存する。ブロック１５７４において、プロセッサ１６３０はタイマーＴを始動する。ブロック１５７８において、プロセッサ１６３０は、図６０に示すスタイラス１６２０のような送信スタイラスからスタイラス信号が受信されたか否かを判断する。送信されたスタイラス信号を受信すると、ブロック１５６９に制御が移り保存された貫通データが削除される。ブロック１５７１において、現在の光平面貫通に対して、スタイラス信号が受信されていることを示すためにフラグ１を１に設定する。ブロック１５７３において、プロセッサ１６３０は現在の位置から線を描き始め、その後、制御はブロック１５７８まで戻る。スタイラス信号が引き続き受信される間、制御はブロック１５７８からブロック１５７３まで移り、線の描画が継続する。ブロック１５７８において、スタイラスのユーザーがスタイラス１６２０を持ち上げると、その先端はもはやディスプレイサービス１６０４とは接触していないので、制御は決定ブロック１５７８から決定ブロック１５７６に移る。フラグ１がスタイラス信号が先に表示面対話中に受信されたことを示す１に等しいとき、制御はブロック１５７６からブロック１５７７に移り、プロセッサ１６３０はマスターユニットに線の描画を停止させ、その後、制御はブロック１５６４まで戻り、タイマーＴおよびフラグ１をリセットする。ブロック１５６４の後、上記処理を継続する。
【０２０６】
さらに図６１を参照して、タイマーＴがブロック１５７４で始動され制御がブロック１５７８に移った後、プロセッサ１６３０がスタイラス信号を受信しない場合、制御はブロック１５７６に移る。制御はブロック１５７４からブロック１５７８に、その後ブロック１５７６に移り、現在の光平面貫通に相当するスタイラス信号が受信されず、従って制御がブロック１５７６から決定ブロック１５６５に移るので、フラグ１は１と等しくない。ブロック１５６５で、プロセッサ１６３０は貫通が継続しているか否かを判断する。貫通が終了している場合、制御はブロック１５６５から保存された貫通データを線の描画に用いるブロック１５７８に移る。ブロック１５７８の後、制御は説明のようにフィンガーモードがリセットされるブロック１５６２まで戻る。
【０２０７】
図６１を再び参照して、ブロック１５６５で貫通が継続している場合、制御はブロック１５８０に移る。タイマー値Ｔを閾値持続時間Ｔｒ-と比較する。ここで、スタイラスまたは指先あるいは別の何らかの装置が表示面１６０４との接触に用いられる度に、指先または装置が光平面１６１０を貫通するときと、指先または装置が表面１６０４と接触するときとの間に短い期間があり得ると認められている。閾値持続時間Ｔｒは、光平面レベルから表面接触レベルに移るのに適当な時間と等しくされる。例えば、ある場合には、持続時間Ｔｒは１秒、２秒、２分の１秒などとなる。閾値持続時間を越えると、プロセッサ１６３０は、光平面１６１０を貫通した先端または装置が送信スタイラス型装置以外の先端または装置であるかのように動作するようにプログラムされており、制御はブロック１５６１に移る。ブロック１５６１において、プロセッサ１６３０はモードをフィンガーモードに設定する。ブロック１５６３において、プロセッサ１６３０は記憶データを用いて貫通位置で線を描く。ブロック１５６３の後、制御は図６１のブロック１６３１に移る。
【０２０８】
再び図６１を参照して、ブロック１５７０において、システムがフィンガーモードにあるとき、制御はブロック１５７９に移り、現在の光平面貫通位置で線描画を開始する。ブロック１５７９の後、制御はブロック１６３１に移り、プロセッサ１６３０は貫通が継続しているか否かを判断する。貫通が終了している場合、制御はブロック１５７７に移り、プロセッサ１６３０は線描画を止め、その後、制御はブロック１５６４に移る。
【０２０９】
ブロック１６３１において、貫通が継続している間、制御はプロセッサ１６３０が現在の貫通位置でマスターユニットに線を引かせたブロック１６３２に移る。ブロック１６３４において、プロセッサ１６３０は、スタイラス信号が受信されているか否かを判断する。スタイラス信号が受信されていない場合、プロセッサ１６３０はフィンガーモードで動作し続け、制御は上記処理を繰り返すブロック１６３１まで戻る。ブロック１６３４において、スタイラス信号が受信されている場合、制御はプロセッサ１６３０がスタイラスモードを設定するブロック１６３６に移る。プロセッサ１６３０は現在の貫通位置まで現在描かれている線を消去し、その後、制御はブロック１５７１に移り、スタイラス信号が受信されていることを示すためにフラグ１が再び１に設定される。
【０２１０】
スタイラス／フィンガーモードを設定するアルゴリズムをスタイラスの先端がディスプレイの表面と接触するとき絶えず信号を送信するスタイラスの文脈において述べてきたが、他の実施形態においては、スタイラスは、スタイラスが初期接触を行うときと接触を終了するときのそれぞれでペンダウンおよびペンアップ信号を送信してもよいし、プロセッサは、ダウンおよびアップ信号の間の期間を接触期間と認めるようにプログラムされてもよい。
【０２１１】
別の発明の態様によれば、マスターユニットおよび多数のスレーブプレゼンテーションスペースを含むシステムは、ユニークなヘルプ機能を促進するために用いることができ、その場合、ヘルプ情報を、プレゼンテーションスペースのサブセットを介して、および／またはシステムの通常動作中に同時に提供して、会話型タスクを実行することができる。この目的を達成するため、図６２には、マスターユニット画面ショット１５０９および関連する第１から第６のスレーブプレゼンテーションスペース１５２２、１５２４、１５２６、１５２８、１５３０および１５３２を示す。ここにマスタースクリーンショットはとりわけ作業スペース領域１５１０、ツール領域１３００、スレーブ表現領域１３０２およびヘルプボタン１５１２を含む。少なくともいくつかの発明の実施形態を何らかの方法で示し、ヘルプボタン１５１０が選択されると、ヘルプウィンドウ１５１６が作業スペース領域１５１０内に開かれ、ヘルプトピックス、「ヘルプを閉じる」アイコン１５２１およびヘルプウィンドウを閉じるためのアイコン１５１８を何らかの方法で表示する。アイコン１５１８は、ウィンドウ１５１６が開かれた後にウィンドウを閉じるために選択することができる。アイコン１５１６が選択されるとウィンドウ１５１６が閉じる一方、少なくともいくつかの実施形態においては、アクセスされた別のヘルプ情報が何らかの提示フォーマットで留まってもよい。少なくともいくつかの場合において、ヘルプ情報をすべて閉じるために、またヘルプウィンドウを開く前に提示された情報を提示するために、ヘルプを閉じるアイコン１５２１を選択することができる。
【０２１２】
図６２において、ヘルプトピックスはリストフォーマット１５１４で表示され、トピックスはマウスまたは別の制御されたポインティングアイコン１５２０で選択することができる。アイコン１５２０があるトピック上に位置すると、そのトピックはトピックとの同調を示すために強調表示される。一旦トピックが選択されると、トピックは選択が発生したことを示すために異なる方法で強調表示される。
【０２１３】
リスト１５１４からトピックが選択された後、少なくともいくつかの実施形態において、システムプロセッサはヘルプデータベースにアクセスし、ヘルプ情報を検索して作業スペース領域１５１０またはスクリーンショット１５０９上に現れるウィンドウ内のヘルプ情報を提示する。ここで、また別に考えられる実施形態において、提示されたヘルプ情報は、選択されたときに別の関連情報、選択されたトピックと関連する動作を表示するアニメーション等に結びつくシンプルなテキスト、ハイパーリンクまたは他のリンクテキストを含むことができる。
【０２１４】
少なくともいくつかの場合において、システムユーザーは、ヘルプ情報を見ながらまたはアクセスしながらマスターユニットとスレーブユニットを含むシステムを同時に使用したいと思うことも考えられる。例えば、システムユーザーがパネルアイコンをスレーブ表現領域１３０２内外にどのように移動させるのか、またスレーブプレゼンテーションスペース（例えば１５２２、１５２４等）に提示される画像の動きの結果もたらされる効果を確信できない場合、パネルアイコンのドラッグと解除動作を同時に果たすことができる一方で、パネルアイコンを領域１３０２内外にどのように移動させることができるのか、またスレーブ画像に対してもたらされる効果を説明するヘルプ情報（例えばテキスト、アニメーション等）にユーザーがアクセスすることは有益となり得る。ヘルプ情報および対話型の動作に対する同時アクセスを容易にするため、少なくともいくつかの実施形態においては、ヘルプ情報がマスター作業スペース領域１５１０に提示されると、システムユーザーは、ヘルプ情報をマスター領域１５１０からスレーブプレゼンテーションスペース１５２２、１５２４等の１つに切り替えることができ、ついでヘルプ情報がスレーブスペースに提示されている間ある動作を果たすためにマスターユニットを用いることができる。
【０２１５】
ヘルプ情報が作業スペース領域内に直接位置しているのではなくて作業スペース領域１５１０の上に位置するウィンドウに提示される場合、少なくともいくつかの実施形態においては、ウィンドウを選択して（すなわちウィンドウのトップバーを選択して）、スレーブプレゼンテーションスペース１３０２内の１つのパネルアイコン上の位置にウィンドウをドラッグして、パネルアイコンを開放することによりウィンドウをスレーブプレゼンテーションスペースに切り替えることができる。一旦パネルアイコンが解放されると、ヘルプウィンドウはパネルアイコンに関連付けられたスレーブプレゼンテーションスペースに移動され、スレーブプレゼンテーションスペース内に現在存在する画像上にウィンドウとして出現する。
【０２１６】
切り替えられたヘルプウィンドウはスレーブプレゼンテーションスペースまたはヘルプウィンドウがその上に切り替えられた画像に関連付けることもできる。ヘルプウィンドウが切り替えられたスレーブプレゼンテーションスペースに関連付けられる場合、別の画像がスレーブスペースのまわりに移動されるので、ヘルプウィンドウが同時に移動されることはない。ヘルプウィンドウが当初その上に切り替えられた画像に関連付けられる場合、その画像は移動されるので、ヘルプウィンドウが同時に移動する。
【０２１７】
ウィンドウフォーマットにおいてヘルプ情報を提示する利点は、少なくともヘルプウィンドウがスレーブプレゼンテーションスペースの全体を占めることがない場合、少なくとも下にある何らかの画像の一部はなお見ることができるので、ある操作が下の画像に影響するとき、少なくともその影響の一部を、その効果を確認するために見ることができることにある。
【０２１８】
ヘルプ情報が作業スペース領域１５１０内に（その上にあるウィンドウ内ではなく）直接提示される少なくともいくつかの実施形態において、ヘルプ情報がスレーブプレゼンテーションスペースに切り替えられた場合、ヘルプ情報を別のスレーブ画像のように処理して既存の画像に代わるものとしてもよいし、または情報が切り替えられるスペースのいかなる初期画像も引き続きそのスペースに関連付けを残すオーバーレイの方法で処理することもできる。
【０２１９】
切り替えられた情報が別の切り替えられた画像のように処理される場合、切り替えに先立ってスレーブプレゼンテーションスペース内に提示されたいかなる画像も、スペースから取り除き、上記画像管理規則に従って再配置する。例えば、画像が当初スレーブプレゼンテーションスペース１５２２に提示されている場合、ヘルプ情報の画像がスレーブプレゼンテーションスペース１５２２と関連付けられたスレーブプレゼンテーションスペース１３０２内の第１のパネルアイコンの位置にドラッグされて解放されると（再び図６２を参照のこと）、スペース１５２２の初期画像はスペース１５２４に移動され、スペース１５２４内のいかなる初期画像もスペース１５２６に移動される等のことが起こる。
【０２２０】
切り替えられた画像がオーバーレイとして扱われる場合、切り替えに先立ってスレーブプレゼンテーションスペース内に提示されていたいかなる画像もそのスペースから取り除き、ヘルプ情報をスペース内に提示することができるが、取り除かれた画像はスレーブプレゼンテーションスペースの別の画像に再配置されず、切り替え行為はスレーブプレゼンテーションスペースに提示された他の画像をそのスペース内に移動させることはない。例えば、当初ある画像がスレーブプレゼンテーションスペース１５２２に提示されている場合、ヘルプ情報画像がスレーブプレゼンテーションスペース１５２２に関連付けられたスレーブプレゼンテーションスペース１３０２内の第１パネルアイコンの位置にドラッグされ解放されると（再び図６２を参照のこと）、ヘルプ情報を提示できるようにスペース１５２２内の初期画像はスペース１５２２から取り除かれる。
【０２２１】
いくつかの実施形態において、図６２を再び参照して、あるヘルプトピックがヘルプウィンドウ１５１６から選択されると、トピック情報をマスターユニットの作業スペース領域１５１０に提示せずに当初はスレーブプレゼンテーションスペースに提示してもよい。特定のトピックのヘルプ情報が単一のプレゼンテーションスペースが与えるスペースより大きなスペースを必要とする場合、ヘルプ情報を多数のスレーブプレゼンテーションスペースに提示することもできる。
【０２２２】
いくつかの実施形態において、あるヘルプトピックが選択され、ヘルプ情報が当初マスターユニットの作業スペース領域１５１０内に提示されているときに、追加のトピックが選択されると、先のヘルプトピックと関連する情報をスレーブプレゼンテーションスペースに表示することもできる。例えば、ユーザーが関連情報を得るために当初第１のヘルプトピックを選択し、ヘルプウィンドウが第１のトピックと関連する情報に加えて他に選択可能なヘルプサブトピックスを含む作業スペース領域１５１０の上に開かれる場合に、第２のヘルプトピックが追加のサブトピックスから選択されると、第１のトピックと関連する情報をあるウィンドウに、または別のフォーマットで第１のスレーブプレゼンテーションスペース１５２２に自動的に切り替えることができ、また第２のトピックと関連する情報を提示するために別のウィンドウを作業スペース領域１５１０内に開くこともできるし、または第２のヘルプトピック情報を当初のウィンドウに提示することもできる。同様に第３のヘルプトピックが追加のサブトピックスから選択されると、第２のトピックと関連する情報を別のウィンドウに、または別のフォーマットで第２のスレーブプレゼンテーションスペース１５２４に自動的に切り替えることができ、また第３のトピックと関連する情報を提示するために別のウィンドウを作業スペース領域１５１０内に開くこともできるし、または第３のヘルプトピック情報を当初のウィンドウに提示することもできる。
【０２２３】
スレーブプレゼンテーションスペースおよび／またはスレーブプレゼンテーションスペース内の画像の上に提供されるウィンドウにヘルプ情報が提示されるすべての場合において、単にヘルプ機能を停止することにより提示されている画像からヘルプ情報を取り除くことができる。少なくともいくつかの実施形態において、図６２のヘルプアイコン１５１２を単に選択してヘルプアイコンを閉じる１５２１を選択することによりヘルプ機能を停止することができる。
【０２２４】
いくつかの実施形態において、ヘルプ機能が停止すると、システムの状態はヘルプ機能の動作直前に存在していた状態に復帰する。ここで、例えば６つの画像がスレーブプレゼンテーションスペース１５２２から１５３２に提示され、ヘルプ機能を開始する前に作業スペース領域１５１０に１つの画像が表示されていた場合、ヘルプ機能を停止すると元々提示されていた７つの画像のすべてが再び提示される。
【０２２５】
別の実施形態において、ヘルプ機能を停止すると、ヘルプ機能が動作しているとき提示されていた情報に起こった何らかの変化は残留する。例えば、ヘルプの動作中、３個のヘルプ画像が通常の切り替えられた画像として取り扱われて（すなわち、プレゼンテーションスペース間で他の画像を移動させた）スレーブプレゼンテーションスペース１５２２、１５２４および１５２６に提示されている場合にヘルプ機能が停止されると、三つのスペース１５２２、１５２４および１５２６は空白のままとなる。
【０２２６】
少なくともいくつかの実施形態においては、あるシステムがヘルプ機能を支援し、ユーザーのためにそのシステムを介して関連動作をシミュレートするということも考えられる。例えば、再び、ユーザーがパネルアイコンのスレーブ表現領域１３０２（再び図４７を参照のこと）の内外への移動に関連するヘルプ情報を探してその動作と結果を表示しようとする場合、システムプロセッサは、ドラッグと解放の動作およびその動作の結果をマスターユニットとスレーブプレゼンテーションスペースに実際に表示することができる（すなわち、スレーブ画像を移動してもよいし、これに応じて変更してもよい）。このように、例えば、プロセッサはマスターユニットにパネルアイコンの１つを選択するためのツール領域１３００のパネルアイコンへのポインティングアイコンの動き、別の位置へのパネルアイコンのドラッグ、アイコンの解放およびアイコンの置き換えを表示させる一方、スレーブプレゼンテーションユニットに、表示されたスレーブ画像を変更させることができる。
【０２２７】
ヘルプ情報がウィンドウに提示される少なくともいくつかの実施形態において、ウィンドウを小さな付箋紙として提示し、新規のヘルプトピックスを開くときに、新しいメモをマスターユニットまたはスレーブプレゼンテーションスペース内に提示するということも考えられる。ここで、メモの体裁は、メモを介して提示される情報は恒久的なものではなく、提示された情報の下の画像は相変わらず存在していてヘルプ機能が停止された後も存在する、ということをシステムユーザーに示すものである。少なくともいくつかの場合において、付箋紙を単にヘルプナビゲーションに使用することもできる。例えば、ヘルプ機能が最初に開始されたとき一般的なヘルプトピックスを第１付箋紙に提示する。第１のメモの中からあるサブトピックが選択されたら、より具体的なトピックス等を含む第２のメモをマスターまたはスレーブスペースのいずれかに提示する。
【０２２８】
発明の別の態様によれば、マスターユニットまたはマスタープレゼンテーションユニットと共に用いられる他のインターフェース機器を、スレーブプレゼンテーションユニットの例えば輝度、コントラスト等の表示態様を調整するために使用して、プレゼンテーションユニットがそれぞれ同様の外観の画像を投影できるようにしてもよい。この点に関して、プレゼンテーションシステムが２台以上のプロジェクタを含む多くの事例において、異なるタイプのプロジェクタが使用されているので、あるいは同一のプロジェクタが使用されている場合プロジェクタの使用時間が実質的に異なるので、プロジェクタは異なる輝度レベル、カラーコントラスト等の画像を投影する（すなわち、複数のプロジェクタが用いられるので映像の質が毀損され、投影光の輝度が低下する等々）。
【０２２９】
異なる画像生成ソースを有する多数のプロジェクタまたは表示画面が情報の提示に用いられると、多くの場合、異なるプロジェクタまたは画面およびソースが異種の品質の画像を発生することになる。例えば、単一画像の第１および第２の例が第１および第２の別個のプロジェクタを介して第１および第２のプレゼンテーションスペースに提示される場合、画像が同一であるという事実にもかかわらず、しばしばハードウェア間の差のせいで画像が非常に異なる外観を呈することがある。第１および第２のプレゼンテーションスペースが異なる場所（すなわち別々の会議室）で用いられる場合、外観状の差異は容認することができるが、２つのスペースが隣接している場合、その差は顕著であり、多くの場合、当惑させられる。
【０２３０】
２つ以上の画像が隣接並置されて提示されるときに特に当惑させられる１つの画像特性が画像の輝度である。プロジェクタにより、画像輝度は、製造業者から製造業者、また同じタイプのプロジェクタ同士にあってさえ一方のプロジェクタが他方より古い場合かなり変化する（すなわち、プロジェクタの輝度はしばしば時間の経過により、またプロジェクタの使用と共に低下する）。
【０２３１】
図６３を参照して、プロジェクタの輝度をマスターディスプレイユニット１７００を介して調整できる典型的なシステムを示す。図６３において、３台のプロジェクタ１７０８、１７０６および１７０４がシステムプロセッサ／サーバー１７０２を介してマスターユニット１７００に接続され、第１のプロジェクタ１７０８はプレゼンテーションスペース１７３８と１７４０に２つの画像を、第２のプロジェクタ１７０６がスペース１７４２と１７４４に２つの画像を、第３のプロジェクタがスペース１７４６と１７４８に２つの画像を投影している。図が示すように、スペース１７３８および１７４０の画像は相対的に明るい画像であることを示すために空白で表示され、スペース１７４２および１７４４の画像はスペース１７３８および１７４０の画像より暗い画像であることを示すために左から右上方に向かう斜線で表示され、スペース１７４６および１７４８の画像はスペース１７４２および１７４４の画像より暗い画像であることを示すために二重交線で表示されている。画像輝度は画像を生成する具体的なプロジェクタの関数である。
【０２３２】
図６３において、知覚されるプロジェクタの輝度を調整するためにプロセッサ１７０２がプロジェクタ１７０８、１７０６および１７０４のそれぞれに制御信号を提供することが考えられる。この目的を達成するため、多くのプロジェクタの場合プロジェクタの電球光度を調整できないので、輝度は電球光度を変更して調整することはできない。これらの場合において、他のプロジェクタの設定を調整して、映像に知覚される輝度が修正されるような方法で映像特性を修正できることが認識されている。例えばある場合には、知覚された輝度を調整するために画像色を変更することができる。
【０２３３】
なお図６３を参照して、少なくともいくつかの発明の実施形態において、プロジェクタ調整アイコン１７２２（ここでは「プロジェクタアイコン」１７２２とも呼ぶ）をマスターユニットスクリーンショットのツール領域１３００に提供することもでき、この場合、作業スペース領域１７２５はツール領域１３００の下に存在する。アイコン１７２２が選択されると、プロジェクタ制御ウィンドウ１７２８がマスターユニット作業スペース領域１７２５に開き、このウィンドウはウィンドウ１７２８を閉じるのに使用するクローズアイコン１７２４を含む。アイコン１７２４の他に、ウィンドウ１７２８はまたサーバー１７０２にリンクしている各プロジェクタのそれぞれための個別のプロジェクタアイコン（数字１７２６で集合的に識別される３個のプロジェクタアイコン）とプロジェクタアイコン１７２６の各々１つに関連するスライディングバー調節ツール１７３０、１７３２および１７３４を含む。輝度に関する上記論考と矛盾することなく、システムユーザーは調整ツール１７３０、１７３２、１７３４のいずれかの上のスライディングバーを選択ドラッグして、関連する映像の知覚される輝度を上下に調整することができる。他のプロジェクタの調節（例えば、画像生成に用いる３色の具体的な調節−赤、緑、青等）をマスターユニット１７００を介して実行することも考えられる。具体的な青、緑および赤色を調整する場合、各色を別々に調整することができ、調整を行うときプロジェクタを制御して調節しているユーザーにフィードバックを提供するようにする。
【０２３４】
少なくともいくつかの実施形態において、カラー補正を用いていずれか１台のプロジェクタが生成した画像を修正することが考えられる。この目的を達成するため、少なくともいくつかの実施形態において、ユーザーが投影された画像の異なる部分を選択し、それぞれの部分の輝度を調整して、投影された画像の縁または中ほどの不揃いの輝度を補償するインターフェースを提供してもよい。ここでは、再び、少なくともいくつかの場合において、カラー補正は３台の各プロジェクタの赤、緑、青色の個々の調整を含み得る。
【０２３５】
さらに再度図６３を参照すると、これまで知覚されたプロジェクタの輝度調整にマスタープレゼンテーションユニットを用いるシステムについて記述したが、少なくともいくつかの実施形態において、プロセッサ１７０２に接続したラップトップ１７１２のように他のインターフェース機器を輝度調整に用いることも考えられる。ここでは、マスターユニットにプロジェクタ制御ウィンドウ１７２８を提供するのではなくて、制御ウィンドウ１７２８はラップトップのディスプレイまたは他のある接続したインターフェース機器に提供し、またウィンドウツールを同様の方法で作動させてもよい。
【０２３６】
少なくともいくつかの実施形態において、マスターユニットおよび関連するスレーブプレゼンテーションユニットを含む会議システムは、特定の会議室に関連付けられてもよいし、会議室がプロジェクタ特性を制御する方法と類似した方法でマスターユニットを介して制御される他の環境上の装置を含む特定の会議室に関連付けることもできる。
【０２３７】
図６４を参照して、プロジェクタおよび他の環境上の装置をマスターディスプレイユニット１７５０により制御できる典型的なシステムを示す。図６４において、図６３同様、３台のプロジェクタ１７０８、１７０６および１７０４がシステムプロセッサ／サーバー１７０２を介してマスターユニット１７００に接続されており、第１のプロジェクタ１７０８はプレゼンテーションスペース１７３８と１７４０に２つの画像を投影し、第２のプロジェクタ１７０６はスペース１７４２と１７４４に２つの画像を投影し、第３のプロジェクタはスペース１７４６と１７４８に２つの画像を投影することができる。ユニット１７５０を介して制御可能な他の機器は、会議用カメラおよび関連した表示用ハードウェア１７８０、音響設備１７８２、ブラインド１７８４、照明１７８６等を含むが、これに限定されるものではない。
【０２３８】
図６３において、プロジェクタ１７０８、１７０６および１７０４と同様に環境上の各機器はシステムプロセッサ／サーバー１７０２と接続され、後者は今度はマスターユニット１７５０に接続されている。図示したマスターユニットスクリーンショットはツール領域１３００とその下に作業スペース領域１７６６を含んでいる。ツール領域１３００内に、追加の環境アイコン（すなわち植物アイコン）１７５４が提供され、ルーム機器制御にアクセスするために選択することができる。この目的を達成するため、環境アイコン１７５４が選択されるとルーム制御ウィンドウ１７５２が作業スペース領域１７６６内に開く。
【０２３９】
典型的なルーム制御ウィンドウ１７５２は、ウィンドウを閉じるためのウィンドウクローズアイコン１７５６とルームブラインド１７８４用の開閉アイコン１７５８、会議カメラ１７８０用のオン・オフアイコン１７６０、音響設備１７８２を制御するオーディオオン・オフアイコン、各プロジェクタ１７０８、１７０６および１７０４の状態をそれぞれ制御するプロジェクタ・オン・オフアイコン１７６４、１７６６および１７６８、ならびにルームランプ１７８６の光度を制御するスライディング光量制御バーを含む機器制御ツールとを含む。各々のアイコン１７５８、１７６０、１７６２、１７６４、１７６６、１７７０はトグル式のアイコンであり、選択されると状態を変化させる（例えば、オンからオフ、またはその逆）。選択はウィンドウ１７５２を介してなされるので、プロセッサ１７０２が選択を行う。選択がなされた後、ユーザーはアイコン１７５６を選択してルーム制御ウィンドウ１７５２を閉じることができる。
【０２４０】
図６４に示した例では、プロジェクタ１７０８および１７０６が作動している（アイコン１７６４および１７６６を参照のこと）一方、アイコン１７６８はプロジェクタ１７０４が停止されていることを示す。制御アイコンの状態と一致して、プロジェクタ１７０８と１７０６のそれぞれは画像を投影しているところが示され、プロジェクタ１７０４は画像を投影していない。なお、プロジェクタの状態を反映して、ツール領域１３００のスレーブ表現領域１３０２は、先に述べたように６つの画像を囲むのではなく、プロジェクタ１７０８および１７０６が投影する４つの画像に対応する４つの画像を囲んでいるだけである。
【０２４１】
上記のものと同様の会議開催システムを用いる環境条件は、異なる会議のセッション中でも類似している場合が多いことが認められている。容易なシステムおよび会議室の使用を促進するため、いくつかの実施形態において、マスターユニット１７５０が初めて上記のようなユーザー選択を得るために起動されるときに、環境／ルーム制御ウィンドウ１７５２を提示するようにマスターユニット１７５０をプログラムすることができる。その後、マスターユニットが後に起動されたとき、環境機器が指定された選択と一致する状態を自動的に引き継ぐよう制御されるよう、指定された選択を将来の使用に備えて保存してもよい。少なくともいくつかの実施形態において、図６３に示すように、将来の使用に対する選択の保存を容易にするため、ルーム制御ウィンドウ１７５２は指定された選択を保存すべきであることを示す「アーカイブ」アイコンまたはそれと類似した他のツールを含む。選択が保存された後、次にマスターユニットが起動されるとき、機器は選択された状態を引き継ぐよう自動的に制御される。
【０２４２】
マスターユニットの起動後いつでも、ユニットのユーザーは現在の機器状態を変更するために環境アイコン１７５４を選択して、ルーム制御ウィンドウにアクセスすることができる。１台以上の機器状態が変更された後、アーカイブアイコン１７７４を選択することによりその状態を選択状態として維持するか、クローズアイコン１７５６を選択するだけで現在のセッションに用いることができる。その後、指定変更された機器状態は、現在のセッションの間維持されるが、将来のセッションのために保管されることはない（すなわち、新規の選択が保管されるまで、先に指定した選択が維持される）。
【０２４３】
少なくともいくつかの実施形態において、ルーム制御ウィンドウは、既存のルーム制御システムの制御を可能にするアクティブＸのプラグインを介して提供されてもよい。
【０２４４】
図５８および図５９に示した多数のディスプレイユニットがある場合、少なくともいくつかの実施形態においては、プレゼンテーションスペースが垂直または水平の方向性を引き継ぐことができるように、プレゼンテーションスペースを機械的または電子的に回転可能としてもよい。このように、例えば、スレーブディスプレイ１４６６および１４６８が垂直向きに表示されている図５８において、いくつかの実施形態では、ディスプレイ１４６６および１４６８を機械的な据え付けにより、図５９のスレーブディスプレイ１４８６および１４８８の向きのように水平の方向への回転を容易にすることもできる。他の場合においては電子的に回転を行ってもよい。同様に、少なくともいくつかの実施形態において、マスターユニットがユニットの右側または左側のいずれかに配置されるように、マスターユニットおよびスレーブプレゼンテーションスペースの位置を機械的または電子的に変更することもできる。
【０２４５】
再び図５５を参照して、いくつかの実施形態において、サーバー１４３２を、システムの使用およびマスターユニット１４２２に対する遠隔接続をモニターするようプログラムして、請求目的でネットワークを介してシステムおよび遠隔接続を追跡する別のサーバーに利用情報を定期的に送信することもできる。
【０２４６】
少なくともいくつかの典型的なシステムの別の態様によれば、多数の会議出席者が異なる場所に位置する場合、また１人以上の出席者がシステムを制御できる場合、特定の出席者が表示された画像を変更するか、マスタープレゼンテーションユニットと情報をやり取りするある動作を行ったとき、誰がシステムの制御をしているのか、誰が変更を行っているのかを示すために出席者に相当するアイコンを強調表示することもできる。この目的を達成するため、図６５に、図３８に関して上に述べたスクリーンショットと類似の典型的なマスター表示スクリーンショット１８００を示す。図６５において、遠隔地の各会議出席者に関連付けたアイコン１８０５を、特定のリモートユーザーに関連付けた１個のアイコン１８０６を含むツール領域１００２に提供する。アイコン１８０６に関連付けられたユーザーが１８０４に示すような言葉“SC DEALER DEVELOPMENT”の周りに楕円形を描くためにペン型カーソル１８０２を制御するリモートコンピューターを用いるとき、少なくともいくつかの場合において、楕円形が描画されているとき、アイコン１８０６を視覚的に区別させることもできる（例えば黄色にしたり、点滅させたり）。ここでユーザーが楕円形１８０４の描画をやめると、ユーザーが作業スペース１００４で他のある変更を止めれば、アイコン１８０６はもはや視覚的に区別しなくてもよい。
【０２４７】
別の場合において、ユーザーが楕円形１８０４の描画を開始するためにアイコン１８０６に関連付けられた遠隔装置を用いるとき、アイコン１８０６を視覚的に区別させ、別のユーザーが別のインターフェース機器（例えばマスターユニットまたは別のリモートコンピューター）を介してある画像変更動作を実行するまで引き続き視覚的に区別させることもできる。例えば、もし、アイコン１８０６に関連付けられた遠隔装置が楕円形１８０４の描画に使用され、他の遠隔装置がマスターユニットの画像変更に使用されず、または他のある機能を行うマスターと情報をやり取りするために使用されなければ、この場合アイコン１８０６はまるまる１０分間視覚的に区別される。ここで、区別されたアイコンは、マスタースペース画像を変更するかマスターユニットと情報をやり取りするために用いた最後のユーザーまたは遠隔装置を示す。
【０２４８】
特定ユーザーが各遠隔装置に関連付けられるさらに別の場合において、リモートユーザーがマスタースペース１００４に表示された画像を変更しているとき、ユーザーＩＤを提供することにより現在のユーザーを示すツールスペース１００２にユーザー識別子１８０７を提供することもできる（例えば図示されるように“John Smith”のようなユーザー名、ユーザーのイニシャル等）、あるいは同様のユーザー識別子ボックスをペンまたはカーソルアイコン回りに常に追従させ、ディスプレイ上で誰がカーソルを制御しているかを示すこともできる。
【０２４９】
さらに他のある場合において、ある特徴を示すことにより、一筆または画像上の他の画像オブジェクトが選択されているとき（例えば一筆／オブジェクト上にアイコンを浮遊させるか一筆／オブジェクトをクリックすることを介して）、画像に一筆またはオブジェクトを追加した人の身元を示すこともできる。ここで、身元は遠隔地のアイコンを強調表示することを含むいくつかの方法のいずれかにより示すことができ（例えば図６５のアイコン１８０５の１つ）、遠隔地のアイコンは、図６６のフィールド１８０７と類似したユーザー識別子を提供する、フィールド１８０７と類似したフィールドまたはボックスを一筆またはオブジェクトの選択に使用したポインティングアイコンに隣接するフィールドに一筆またはオブジェクトに隣接するフィールドを提供する（図６６の１８６９を参照のこと）等々により一筆書くかまたはオブジェクトを追加するために用いたリモートコンピューターと関連付けられている。一筆またはオブジェクトを作者／編集者に関連付ける他の方法も考えられる。
【０２５０】
ある場合には、特徴が示されたとき、画像情報のすべての作者が提供されるように特徴を提供することもできる。例えば図６６を参照して、この特徴が示されたとき、画像を形成する各オブジェクトに隣接してオブジェクトを追加した編集者がそのフィールド内で識別されるフィールド１８６９、１８７１、１８７３および１８７５を提供することができる。ここで、少なくともいくつかの場合において、編集者フィールドの提供に加えて、１人の編集者が追加したオブジェクトをすべて第１の色で提示し、第２の編集者が追加したオブジェクトをすべて第２の色で提示する、等のように編集者ごとにオブジェクトを色分けすることもできる。
【０２５１】
さらに他の１つの場合において、ある特定のユーザーがスペース１００４のマスター作業スペースの画像を変更するとき、他のユーザーが直近に画像に変更を加えた後に発生したその特定のユーザーが行った変更をすべて強調表示していくか、あるいは視覚的に区別することで、変更に使用した遠隔装置の素性ごとに互いに関連する変化を示すことも考えられる。例えば図６５において、他のあるユーザーが表示画像を変更した後に、アイコン１８０６に関連付けられたユーザーが楕円形１８０４を作成して現れるテキストをマスター作業スペース１００４内の楕円形１８０４の下に置くと仮定する。ここで、他のテキストは黒またはテキストを画像に追加したときにユーザーが選択した色で見えてもよいし、一方、楕円形１８０４およびアイコン１８０４に関連付けられたユーザーが追加したテキストは黄色で強調表示されて見えてもよいし、また他の追加テキストおよびグラフィックスは、他のある出席者が別の装置を用いて表示画像に変更を加えるまで黄色で強調表示されて見えてもよい。別の遠隔装置を用いて表示画像に変更を加えると、それまで黄色で強調表示されていた、アイコン１８０６に関連付けられた遠隔装置を用いてユーザーが行った変更は強調表示されず、別の出席者による新規の変化が視覚的にはっきりした方法で表示される。ここで、視覚的にはっきりした方法による直近の画像編集者による一連の変化の表示の他に、編集に用いた遠隔装置を上記の方法の一つで示すことができる（例えば、アイコン１８０５のうちの関連付けられている１つを強調表示する、識別フィールド１８０７を提供する等々）。
【０２５２】
ある場合には、特定の遠隔装置を用いて行なわれる変化およびマスターユニットを互いに視覚的に区別するモードがマスターユニットにあってもよい。例えばある場合には、会議に接続している遠隔装置にそれぞれ特定の色を付与することもできるし、遠隔装置を用いてなされたいかなる画像変化も装置に関連付けた色の画像で現わすこともできる。この目的を達成するため、図６６を参照して、マスターユニットのスクリーンショット１８２０を示すが、これはツールスペース１００２および画像が提供される作業スペース１００４を含む図６５に示したスクリーンショットと似ている。ここで、遠隔地のアイコン１８２６、１８３０、１８３２および１８３４にはそれぞれ異なる強調表示がなされている。例えば、アイコン１８２６は青い色調、アイコン１８３０は赤い色調、アイコン１８３２は緑の色調等々を持つことができる。遠隔地のアイコン１８２６に関連付けられたユーザーが作業スペース１００４に示された画像に変更を加えると、その変更は特定の遠隔地のアイコンに関連付けられた色、この場合は青で表示される。同様に、アイコン１８３０に関連付けられた装置を用いてもたらされた変更は、赤で表示される。少なくともいくつかの場合においては、この色分け機能をオン・オフすることが考えられる。例えば、色分け機能がオフであるとき、画像オブジェクトはすべて変更を行った編集者が選択したいかなる色でも表示される。次に、色分け機能がオンのとき、画像オブジェクトはすべて特定の遠隔装置アイコンに関連付けられた色で表示される。
【０２５３】
いくつかの実施形態において、すべての表示画像およびサムネール画像または単にマスターユニット画像に特定の会議出席者が行なったすべての変更を強調表示するか、または視覚的に他の画像特徴と区別するということが考えられる。ここで、例えば、ドロップダウン・メニュー（図示せず）を「マスター画像の変更を区別する」および「画像変更をすべて区別する」オプションを含む各リモートユーザーアイコン１８０５と関連付けることもできる。ここで、「マスター画像変更を区別する」オプションが特定の遠隔装置アイコンに対して選択されている場合、関連付けられた遠隔装置を用いてマスター画像に行なわれた変更が強調表示されるか、または視覚的に区別される。同様に、「画像変更をすべて区別する」オプションが特定の遠隔装置アイコンに対して選択されている場合、関連付けられる遠隔装置を用いて表示画像およびサムネール画像のすべてに行なわれた変更が強調表示されるか、または視覚的に区別される。
【０２５４】
別の態様によれば、少なくともいくつかの実施形態において、電子的にシステム会議に接続するために用いられる装置を使用して、印刷処理により書類を会議にアップロードすることが考えられる。この目的を達成するため、図６７を参照すると、図４４に関して述べたスペースと類似した、スレーブ表現領域１８５２および１つのリモートユーザーアイコン１８５４を含む複数のリモートユーザーアイコンを含むツールスペース１８５０が示されている。図６７に示すように、当初、画像はスレーブ表現領域１８５２に表示されない。遠隔地のアイコン１８５４に関連付けられた出席者がＭＳ  ＷｏｒｄＴＭのような他のあるアプリケーションから８ページの書類をロードしたいとすれば、出席者は印刷コマンドを選択し、次に画像を印刷する目標としてマスターユニットまたはイーゼルを含む会議システムを選択することができる。上記選択の後、８ページの文書のバージョンをリモートコンピューター内に生成し、会議システムに関連付けたウィンドウを介してリモートコンピューター上に提示することができる。さらに、８ページの文書のバージョンをマスターユニットまたはイーゼルに送信し、図６８に見られるような２つのセッション画像フィールド１８７４および１８７６と同様に、６つのスレーブ表現フィールド１８６０、１８６２、１８６４、１８６６、１８６８および１８７０をスペース１８５２内に投入することができる。画像は、表示用のスレーブプレゼンテーションスペースと同様にマスターユニット作業スペース１００４にも提示される。その後、画像変更および上述したセッション画像再配置処理のいずれかを表示画像に実施することができる。
【０２５５】
上の例において、アイコン１９０８に関連付けられたもう一人の出席者が２つの追加画像をアップロードしたいと望み、かつフィールド１８６２の第２の画像が図６８の強調表示で表示されるように現在マスターユニットに表示されているとすれば、２ページの文書が会議システムに印刷されるとき、２つの新規画像のバージョンが生成され、前画像にスペース１８６２から前に影響を及ぼして２つの新規画像のために場所を空けさせる。この影響の結果を新規画像９および１０がスペース１８６２および１８６４を占めている図６９に示すと、当初、スペース１８６２にあった画像２はスペース１８６６に動き、画像７および８は追加のセッション画像スペース１９００および１９０２に移動する。この印刷動作によって何らかの遠隔装置が他の遠隔装置と単純な方法で共有するために会議システムに対して文書を出版するのに使用されることを可能にする。
【０２５６】
さらに他のいくつかの実施形態において、図に関して上述したシステムに類似するプロジェクタシステムが考えられる。すなわち、図５８および図５９に関して上に述べたシステムと同様のプロジェクタシステムを、スレーブ表示スペースを含まず従来の外観を呈する（例えば、家具は画面を有しない）が、他の構造によりもたらされる平らで実質的に垂直な面を映写面として使用する、家具の形に設計することが考えられる。この目的を達成するため、典型的なシステム１９４０を図７０から図７２に示すと、２つのプロジェクタアセンブリ１９５４および１９５６がサイドキャビネットアセンブリ１９４２に含まれている。この実施形態において、サイドキャビネット１９４０は内部空間５０を形成する直線的な外壁構造１９４２を含み、少なくともシステム構成要素の一部、複数のドア（その２枚が番号１９４４で集合的に識別される）、内部壁および棚構造体１９５２、およびガラス上面部材１９４６を収容する。プロジェクタ１９５４および１９５６はガラス上面直下の最上棚に配置される。
【０２５７】
プロジェクタ１９５４および１９５６はそれぞれ同じようなデザインを有して同じような方法で動作するので、この説明を簡潔にするため、ここではプロジェクタ１９５６のみを詳細に述べる。図７２を参照すると、プロジェクタ１９５６は上面壁ウィンドウ１９５５、プロジェクタ装置１９７０および鏡１９７２を含む筐体（個別のラベルなし）を含んでいる。プロジェクタ装置１９７０および鏡１９７２は、ユニット１９７０が投影する画像を鏡１９７２およびウィンドウ１９５５を介して上方に、また一般にサイドキャビネット１９４０の後方に反射するように（すなわち、ドア１９４４が面する側の反対側のサイドキャビネットの辺に、および上面部材１９４６の後端の後部に、および一般に垂直に上方に、そこからスペース１８５１へ）筐体内に配置される。ここで、上面部材１９４６はガラスであるので、プロジェクタ１９５６および１９５６から上方に投影された画像は上面部材を通過する。ドア１９４４の反対側のサイドキャビネット１９４０の裏面は一般に平らな壁面につけられ、投影画像は壁面に現われる。ここで、サイドキャビネット１９４４内のプロジェクタは、スレーブ画像を提供する少なくともいくつかのアプリケーションのみに用いられ、上述の方法を容易にするために上述のものと類似したマスタープレゼンテーションユニットをサイドキャビネットアセンブリ１９４０と共に用いることが考えられる。図７２に示すように、少なくともいくつかの場合において、キャスターまたは車輪をサイドキャビネット１９４２の底部に備え、サイドキャビネットとその中にある構成部品をある場所から他の場所に移動して使用できることが考えられる。少なくともいくつかの場合において、プリンタ１９４３および他のシステム構成部品（例えば、マスターユニットサーバーまたはその他同種のもの（ラベルなし））をスペース１９５０内に備えることができる。
【０２５８】
少なくともいくつかの場合において、ガラス上面１９４６は、不透明または透明のいずれかに制御することができる高分子分散型液晶（ＰＤＬＣ）ウィンドウまたは部材を含んで構成することができる。ＰＤＬＣは電気的に制御された光散乱の原理に基づいて動作する。ＰＤＬＣは２枚の導電性ガラス間にはさまれたポリマー混合物に囲まれた液晶小滴から成る。電気が印加されていないとき、液晶の小滴は不規則に配列され不透明状態を作り出す。電気が印加されると、液晶は電界と平行に整列し、光が部材を通過して透明状態を作り出す。ここで、次にプロジェクタを画像の生成に使用していないとき、ガラス上面１９４６を非活性として上面部材を不透明にしてスペース１９５０内のプロジェクタおよび他の構成部品を隠すこともできる。プロジェクタを用いることになっているとき、電気をガラスに印加することによりガラスを透明とし、映像を通り抜けさせることができる。この点に関して、電源トランスおよび制御スイッチを図７２の１８４１として示す。少なくともいくつかの場合において、スレーブ画像を必要とするとき、不透明度制御スイッチをある方法で制御用マスターユニットに接続する。なお、不透明性を制御されるガラスがＰＤＬＣタイプのガラスであると説明しているが、可変不透明性を有する何らかのタイプの電子制御ガラスアセンブリを使用することができる。以後、別段の記載がなければ、制御可能な不透明性を有するガラスは一般に不透明性制御可能なガラスと呼ぶ。さらに、他の家具タイプとしては、プロジェクタを隠蔽し露出するための不透明性制御可能なガラスを含む机、テーブル、棚等が考えられる。
【０２５９】
さらに他の１つの態様によれば、マスターユニットインターフェースシステムの一部として自動スケーリング機能を含めることが考えられ、画像スペースに入るサイズを越えた画像サイズの拡大動作が実行されても、画像の周辺端への情報の追加適用を考慮して自動的に画像サイズを縮小する。
【０２６０】
この目的を達成するため、図７３を参照して、典型的なマスターユニットスクリーンショット２０００を示すと、同ショットはマスターユニット画像を表示する作業スペース１００４を含む。ここで、作業スペース１００４の端に沿って目に見えない境界またはフレームスペースを破線２００２で示す。例えば、フレームスペースは表示画像の４辺のそれぞれに沿って２インチのスペースを含み得る。表示画像が変更され変更動作がフレームスペースに情報を追加すると、その変更を示すことができるように画像を縮小する。例えば、図７３においてペンアイコン２００４が示され、マスター画像上に作成した曲線２００６が表示画像の下辺のライン２００２が示すフレームスペース内に伸びている。図７４を参照して、曲線がフレームスペースに入ると、追加された曲線２００６ａを含む表示画像は縮小されて移動し、ペンアイコン２００４も曲線２００６ａと共に移動する。
【０２６１】
ある場合には、図７４に示すように、縮小された画像が作業スペース１００４の中央に移動され、縮小された画像の４辺すべてのまわりに情報を追加することができる。他の場合において、図示しないが、縮小画像をスペースの左上隅または中央上部のような作業スペース１００４内の他の場所に移動してもよい。ある場合においては、画像の変更動作がフレームスペース２００２に入った位置から最も離れた作業スペース１００４内の位置に縮小画像を移動してもよい。例えば、曲線２００６が作業スペース１００４の下辺でスペースに入っている再び図７３を参照すると、ここで縮小画像は作業スペース１００４の中央上端に隣接するように移動される。同様に、描かれた曲線が作業スペース１００４の右端に沿ったスペース２００２に入った場合、その縮小画像は作業スペース１００４の左側中央端に沿って再配置されるよう移動される。
【０２６２】
少なくともいくつかの場合において、動的なサイズ変更が発生し得る。例えば、スペース２００２が画像変更動作を必要とするときに画像が当初３０％縮小されている場合に、変更動作がわずかだけスペース２００２に入り、その後、より小さな画像スペースの境界内で表示画像に対する変更が発生するとすれば、その後の画像変更につれて、全体画像を収容できる最大の画像を自動的に提供できるよう画像が大きな画像サイズに拡大される（例えば、原画像サイズを３０％ではなく１０％の縮小とする）。この場合、再拡大再縮小がシステムユーザーの画像との対話に悪影響を及ぼさないよう、画像に対する変更中に画像の再拡大再縮小を実施することができる。このように、例えば当初の３０％縮小の後に画像変更動作が原画像スペースから少しだけ外へ広がると、次の１５秒にわたる画像に対するその後の変更が原画像の境界＋元の境界外の小さな拡張の範囲内にあるとすれば、侵入画像修正動作が中断すると、できる限り大きな画像が自動的に提供されるよう画像を２０％だけ拡大する。
【０２６３】
さらに、少なくともいくつかの場合において、動作が境界スペースに入ると直ちに画像サイズの縮小が発生するのではなく、現在の動作が終了したときに発生して、縮小動作が不連続な動作にならないようにすることができる。例えば再び図７３を参照して、曲線が境界２００２を通過してフレームスペースに入るとすれば、曲線形成に用いられたスタイラスが持ち上げられた後のみにサイズ変更が発生する。ここで、少なくともいくつかの場合において、所望の曲線はフレームスペース内で完成されてもよく、または曲線が完成するフレーム境界２００２内のスペースの奥へ曲線を続けてもよい。一旦スタイラスが持ち上げられると現在の動作の終了が指示され、サイズ変更が発生する。
【０２６４】
ペンアイコンを用いて画像を変更し、変更動作がフレームスペース２００２に広がるとき、すぐに画像が再配置されると、ペンアイコンの配置が、動作が行われていた位置からずれる可能性がある。例えば、再び図７４を参照して、ユーザーが位置２００９にスタイラスを制御するペンアイコンをしている間に縮小画像２００８が再配置されると、曲線２００６ａが図に示す位置まで移動され誤表示が発生する。ここで、曲線を継続するにはユーザーがアイコン２００４の先端でアイコン制御スタイラスを再調整しなければならない。少なくともいくつかの場合において、アイコン２００４の先端での、したがって曲線２００６ａの終端での再調整は、いくつかのマスターユニットのスタイラス位置を検知する能力を考えると容易に実施することはできないと考えられる。少なくともいくつかの実施形態において、再調整動作が試みられている時にマスターユニットが縮小画像をわずかに移動して再調整を支援するという再調整機能が考えられる。
【０２６５】
この目的を達成するため、図７５を参照して、図７３および図７４に関する上記論考と一致する縮小画像２０１２を示す。ここで、縮小画像が（例えば作業スペース１００４の中央に−再び図７４を参照のこと）再配置された後、システムユーザーがペンアイコン制御スタイラスを再配置して、アイコン２００４を先端２０１６で図示のように縮小曲線２００６ａの終端２０１４の近くだが接してはいない（例えば２インチ離れた）位置に配置されるようにすると仮定する。マスターユニットがアイコン２００４の新しい位置および先端２０１６が終端２０１４の近くにあることを感知すると、曲線２００６ａの終端２０１４でペン先２０１４の再調整をユーザーが試みていると仮定してユニットをプログラムすることができる。再調整を支援するため、数字２０１８で集合的に識別される２本の点線が示すように、縮小画像２０１２をそっくりそのまま移し、曲線終端２０１４を図の２０１６に示すような先端２０１６の位置に位置させ、その後、ユーザーは望み通り曲線２００６ａを完成することができる。
【０２６６】
１つの他の態様によれば、少なくともいくつかの場合において、付箋紙機能が含まれることも考えられ、その場合、会議出席者は、削除されたり他の画像に移動したりしない限り画像と共に留まる小さな、いわゆる「付箋紙」をセッション画像に追加することができる。この目的を達成するため、図６５を参照すると、ツール領域１００２に１つ追加されたアイコン１８０９は「メモ」とラベルされ、これはマスターユニット作業スペース１００４の現在の表示画像にメモを追加するために選択することができる。アイコン１８０９が選択されると、作業スペース１００４内の現在表示されている画像の上にメモ画像１８０３が開く。メモ１８０３は選択して表示画像周りをドラッグすることにより、作業スペース１００４内であちこち移動することができる。メモと関連した削除ボタン１８１３を単に選択することによりメモ１８０３を閉じることができる。一旦メモ１８０３が開かれると、メモが削除されるか、別の画像に移動しないと、メモは画像に関連付けられたままとなる。メモ１８０３はポインターアイコンでメモを選択し、ツール領域１００２にある別の画像のサムネールにオブジェクトのようにメモをドラッグすることにより、別の画像に移動することができる。
【０２６７】
少なくともいくつかの場合において、ツールを提供することが考えられ、それによりセッション画像に関連付けられたすべてのメモを、サマリーページに見ることができ、また関連するメモを選択することによりマスターユニットを介してメモに関連付けられた画像にアクセスすることができる。この目的を達成するため、なお図６５を参照すると、１つの「メモサマリー」アイコン１８１１がツール領域１００２に提供され、これが選択されると、図７７のように示すメモサマリーのスクリーンショット２１００を発生させる。図７７は、現在のセッション画像セットに関連付けられた複数のメモをメモ１８０３、１８１７および１８１９等を含む作業スペース１００４に示す。１つのメモが選択されると（例えばポインティングスタイラス装置でダブルタップ）、少なくともいくつかの実施形態において、選択されたメモに関連付けられた画像がスペース１００２に提供される。図７７に示すように、メモスクリーンショットがスペース１００４に提供されると、１つの「クローズメモサマリー」アイコン１８２１がツール領域１００２に提供され、これを選択してメモスクリーンショットを閉じ、作業スペース１００４内に先に表示されていた画像を置き換えることができる。少なくともいくつかの実施形態において、図示してはいないが、メモに関連付けた日付、時間および作者の情報をデータベースに保存することも考えられ、それにより図７７の画像２１００と類似したサマリー画面ショット内の特定の日付と時間および／または特定の作者に対応するメモにアクセスすることができる。この目的を達成するため、例えば１つの事例において、作者特定のメモにアクセスできるようにプルダウンメニューをメモオプションを含むツール領域１００２の各遠隔装置アイコン１８０５と関連付けてもよい。別の場合において、プルダウンメニューを、サマリーフォーマットのどのメモにアクセスすべきかを一連の日付／時間で指定できるように選択可能な「メモサマリー」アイコン１８１１に関連付けてもよい。
【０２６８】
他の態様によれば、少なくともいくつかの場合において、セッション画像に何らかの構造を配置するためにセッションの初めにアクセスすることができるシステムデータベースに予め用意したセッションテンプレートを保存することも考えられる。例えば、少なくともいくつかの場合において、セッションテンプレートは、会社のシンボルマークを含むシングルページを含むことができる。ここで、テンプレートがシングルページである場合、テンプレートが用いられるときに、セッションセット内のすべての画像がロゴを含むように、または他の何かがテンプレートに含まれるように、新しい画像が生成される度にテンプレートを提供してもよい。その後、画像は上記いずれの方法でも変更することができる。他の場合において、テンプレートは、セッションが開始されると、セッション画像セットにおける第１または最終ページとして提供される複数ページ（例えば初期画像）を含むこともできる。例えば、会社は組織の規則を実施したいと望むことがあり、その場合、各セッション画像集合の最初の３ページは、セッションタイトル、参加者のリスト、セッション日時情報、参加者の日時情報、議論のトピックス等のような標準セッション情報を含む。ここで、新しいセッションが開始される度に、最初の３ページを含む新しいセッションテンプレートのインスタンスを開くことができ、これはマスターユニットが収集した情報を含むか、またはユーザーがテンプレートに追加すべき情報を要求する。セッション中に生成された追加画像は、この複数ページテンプレートの例においては当初ブランクとする。いくつかの場合には、ユーザーが異なるテンプレートタイプのいずれかを選択できるように、多数の単一および複数ページテンプレートをシステムが支援することも考えられる。他のテンプレートタイプも考えられる。少なくともいくつかの場合において、１セットのセッション画像内のセッション情報の位置を修正できないように、最初または最終のテンプレート画像の順序を変更できないようにすることも考えられる。
【０２６９】
上記システムは、会議セッション中に数人の人を一緒に接続するのに用いられると特に有用となるが、少なくともいくつかの場合においては、セッション画像はオフラインでアクセスされ、見られかつ／または編集され、ついでオンラインでのアクセスのために元の状態に戻すこともできる。この目的を達成するため、少なくともいくつかの場合において、遠隔装置のユーザーがマスターユニットに関連付けられたサーバーにログオンし、複数の画像を含むセッションをダウンロードし、次いでマスターユニットサーバーを切断することも考えられる。その後、遠隔装置のユーザーは、遠隔装置を用いて上記いずれかの方法でセッション画像を編集することができる。編集後、リモートユーザーはマスターユニットサーバーに再アクセスし、会議セッション中の次のアクセスのために、または独立した検討または編集のための別の遠隔装置ユーザーによるアクセスのためにセッション画像および編集をアップロードすることができる。
【０２７０】
さらに別の態様によれば、いくつかのシステムにカスタマイズ可能なヘルプ画面を含ませてもよく、このヘルプ画面は、情報技術（ＩＴ）部が、ヘルプが必要とされる時にＩＴ部と連絡をとるための電話番号または電子メールリンクのようなカスタマイズされたヘルプ情報を提供することを可能にする。例えば、はじめにマスターユニットを起動して新しいセッションを開始する度に、ＩＴ部連絡先を含むヘルプスプラッシュスクリーンをマスター作業スペースに提供することができる。別の例として、選択された時にシステムユーザーに対して論題の情報を提供することの他に、ヘルプボタン１８２９（図６５を参照のこと）をカスタマイズされたＩＴ部連絡スクリーンショット（図示せず）にアクセスするために選択可能とすることもできる。
【０２７１】
さらに別の態様によれば、いくつかのシステムにシステムニュースボタン１８３１（図６５を参照のこと）を含ませてもよく、これはダウンロード可能なシステムコンテンツ（例えばテンプレート、マスターユニット用の新規ソフトウェアツール等）へのアクセスに選択可能とし、また新しいシステム特徴およびシステムを最も効率的に用いる方法についてのニュースを提供するために選択可能とする。ここで、少なくともいくつかの場合において、ボタン１８３１が選択されたとき、ニューストピックのリストおよびダウンロード可能なコンテンツのリストを、当該技術分野で知られた何らかの方法で選択することができるマスターユニットを介して提供することも考えられる。
【０２７２】
少なくともいくつかのアプリケーションにおいて、上記システムはライトウェイト・ディレクトリー・アクセス・プロトコル（ＬＤＡＰ）に対応することもでき（例えば、アクティブディレクトリー（ＡＤ）アウェアとすることができる）、その結果、システム管理者は実体（例えば会社）が支援するシステムアプリケーションに誰がアクセスできるかを容易に管理できるようになる。他のアクティブディレクトリー・アウェアアプリケーションのように、管理者は、アクセスシステムセッションへの権限を与えたり取り上げたりするほか、セッション画像を開きかつ／または編集することができる。
【０２７３】
本発明は様々な変更および代替形態を許すが、ここに特定の実施形態を図面に例示して詳述した。しかしながら、この発明は開示された特定の形態に制限されることを意図したものでない。例えば、上に典型的なシステムを図３１および一緒に接続される２つのサブシステム９００および９０１を含む他の図に関して述べたが、少なくともいくつかの発明の実施形態において、必要とするサブシステムが１つだけの場合もある。同様に、他のシステム構成要素に接続した１台以上の個人用インターフェース機器９１１、９１３、１９５等を含む実施形態を上に述べたが、少なくともいくつかの実施形態において、装置９１１のようなインターフェース機器は接続されなくともよい。
【０２７４】
さらに、少なくともいくつかの実施形態において、マスターユニットのユーザーに、マスターユニット上の表示画面ツール領域または複数の領域が提供される場所を選択できるようにするということも考えられる。例えば、少なくともいくつかの場合において、マスターユニットのユーザーがマスターユニット表示画面の下端近くに表示画面の底の近くでツール領域を新しい方向に再配向させるボタン（図示せず）を選択可能とすると、車椅子の人が容易にツールに手を伸ばすことができるようになる。
【０２７５】
このように、本発明は特許請求の範囲によって述べられるような発明の趣旨および適用範囲内にある変更、等価物および他の選択肢をすべて対象とする。本発明の適用範囲を公知とするため、特許請求の範囲を作成した。
【図面の簡単な説明】
【０２７６】
【図１】図１は、マスタープレゼンテーションユニットおよび第１と第２のスレーブプレゼンテーションユニットを含む、本発明の一実施形態による典型的なフリップチャートに類似のシステムの斜視図である。
【図２】図２は、図１のマスタープレゼンテーションユニットの拡大斜視図である。
【図３】図３は、図２のマスターユニットの模式的な部分的断面図である。
【図４】図４は、図１のスレーブユニットのうちの１つの斜視図である。
【図５】図５は、図４のスレーブプレゼンテーションユニットの模式的な部分断面図である。
【図６】図６は、図１のマスターユニットと一緒に使用される可能性のあるスレーブユニットの第２の実施形態の斜視図である。
【図７】図７は、図５に似ているが、別の典型的なスレーブプレゼンテーションユニットのデザインを示す図である。
【図８】図８は、図７に似ているが、さらに別のスレーブプレゼンテーションユニットを示す図である。
【図９】図９は、図７に似ているが、さらにもう１つのスレーブプレゼンテーションユニットを示す図である。
【図１０ａ】図１０ａは、図１に示される携帯型インターフェースユニットの斜視図である。
【図１０ｂ】図１０ｂは、図１０ａのインターフェースユニットの一実施形態を構築する構成要素についての模式図である。
【図１１】図１１は、図１に似ているが、異なる形式のスレーブプレゼンテーションユニットを含むシステムを示す図である。
【図１２】図１２は、図１に似ているが、フラットパネルディスプレイを含むスレーブプレゼンテーションユニットを示す図である。
【図１３】図１３は、図１から図１２までに示されるシステムのうちの任意の１つと共に使用される可能性のある、本発明の一態様に係る切り替え方法を示すフローチャートである。
【図１４】図１４は、図１３に示された方法の一部の代わりに用いられる可能性のある、スレーブユニットから画像を回収しマスターユニットによって画像を再提示するためのサブプロセスを示す図である。
【図１５】図１５は、スレーブユニットが一義的に識別可能な場合、マスターユニットからスレーブユニットへ画像を切り替え、その後、スレーブユニットから画像を回収する方法を示す図である。
【図１６】図１６は、マスタープレゼンテーションユニットおよびスレーブプレゼンテーションユニットによって現在表示されている画像が迅速に保存され、続いて再アクセスされ再提示される方法を図示するフローチャートである。
【図１７】図１７は、図２に似ているが、異なる表現の制御ボタンを含むマスターユニットを示す図である。
【図１８】図１８は、表面スペースをフリップチャート動作を模倣するのに用いることができる複数のプレゼンテーション表面に分割する単一のプレゼンテーションユニットを含む、本発明のある態様と一致するシステムの平面図である。
【図１９】図１９は、図１８に似ているが、提示された画像を異なる方法で管理する、異なるシステムを示す図である。
【図２０】図２０は、３台のプロジェクタおよび関連する映写幕／アセンブリを含む、本発明の他の実施形態の斜視図である。
【図２１】図２１は、マスターユニットがイーゼル型アセンブリの形をしておりスレーブユニットが壁に取り付けられた、さらに他の実施形態を示す図である。
【図２２】図２２は、離れた場所にあるマスターおよびスレーブユニットを用いるプレゼンテーションを遠隔制御するためにインターフェースユニットを使用するシステムを示す模式図である。
【図２３】図２３は、主画像および２つの切り替えられた画像を投影する１台のプロジェクタを含むもう１つの典型的な発明のシステムを図示する模式図である。
【図２４】図２４は、複数の可搬フラットパネルディスプレイを含み、そのディスプレイのうちの１つをマスターディスプレイ、他のものあるいはそのサブセットをスレーブディスプレイとして選択することができる、他の典型的なシステムを図示する模式図である。
【図２５】図２５は、本発明の少なくともいくつかの態様による別の方法を図示するフローチャートである。
【図２６】図２６は、図２４に似ているが、可搬ユニットの１つがマスターユニットとして選択された後のシステムを示す図である。
【図２７】図２７は、図２６に似ているが、スレーブユニットが選択された後のシステムを示す図である。
【図２８】図２８は、単一フラットパネルディスプレイ可搬ユニットおよび切り替えられた画像を投影するための複数のプロジェクタを含む別の実施形態を示す図である。
【図２９】図２９は、広域ネットワークによって接続される、図２８の構成のような２つのサブシステムを含むシステムについての模式図である。
【図３０】図３０は、フラットパネルディスプレイが縦長の向きと横長の向きとの間の回転のために取り付けられている、図２８に図示されたシステムのようなシステムの模式図であり、図３０では、ディスプレイは縦長に示されている。
【図３１】図３１は、図３０に似ているが、ディスプレイが横長の状態のシステムを示す図である。
【図３２】図３２は、本発明の少なくとも１つの実施形態によるマスターユニットによって提示され得る、縦横比１６：９の縦長のスクリーンショットの模式図である。
【図３３】図３３は、本発明の少なくともいくつかの態様によるスレーブプレゼンテーションスペースによって提示され得る４つのスレーブ画像の模式図である。
【図３４】図３４は、図２９に図示されたラップトップコンピューターの１つによって提供され得るスクリーンショットの模式図である。
【図３５】図３５は、図３２のツール領域を非常に詳しく図示する模式図である。
【図３６】図３６は、図３２の図に似ているが、作業スペース領域中に提供された付加情報を示す模式図である。
【図３７】図３７は、図３２に似ているが、縮小された最初の画像と作業スペース領域中に付加された付加情報とを示す図である。
【図３８】図３８は、図３２のダイヤグラムに似ているが、情報の一部の作業スペース領域からパネルアイコンへ移動に対応する活動を示す模式図である。
【図３９】図３９は、図３８に似ているが、情報が動かされた先の作業スペース領域中の画像を示す図である。
【図４０】図４０は、図３２のダイヤグラムに似ているが、ディスプレイユニットが縦長の向きから横長の向きへ回転されたあとの、縦横比１６：９のスクリーンショットを図示する模式図である。
【図４１】図４１は、図３３に似ているが、横長のスレーブ画像を示す図である。
【図４２】図４２は、図３２のダイヤグラムに似ているが、縦横比４：３の縦長のスクリーンショットを図示する模式図である。
【図４３】図４３は、図４２に似ているが、縦横比４：３の横長のスクリーンショットを図示する図である。
【図４４】図４４は、図３５に図示された領域に似た別の典型的なツール領域のほか、ツール領域のパネルアイコンに関連する６個のスレーブプレゼンテーションスペースを図示する模式図である。
【図４５】図４５は、図４４に似ているが、ツール領域および関連するスレーブプレゼンテーションスペースを異なる状態で示す図である。
【図４６】図４６は、図４４のツール領域を異なる状態で示す図である。
【図４７】図４７は、図４４に似ているが、ツール領域およびスレーブプレゼンテーションスペースを他の状態で示す図である。
【図４８】図４８は、図４６に似ているが、ツール領域を他の状態で示す図である。
【図４９】図４９は、図４４に似ているが、ツール領域およびスレーブプレゼンテーションスペースをさらに他の状態で示す図である。
【図５０】図５０は、本発明の少なくともいくつかの実施形態による２つの接続された遠隔システムに対応するスレーブプレゼンテーションスペースの２つの異なるセットのほか、第１および第２のスレーブ表現領域を含む図４４のツール領域の別のバージョンを示す図である。
【図５１】図５１は、比較的大きなスレーブ表現領域を含むツール領域を示す図である。
【図５２】図５２は、本発明の少なくともいくつかの実施形態による印刷ウィンドウを含むスクリーンショットである。
【図５３】図５３は、ネットワーク化されたコンピューター装置に関連したプリンタを識別する方法を示すフローチャートである。
【図５４】図５４は、本発明の少なくともいくつかの実施形態によるプリント方法を図示するフローチャートである。
【図５５】図５５は、会議の画像の電子コピーの配布を容易にするルームウィザードを図示する模式図である。
【図５６】図５６は、会議参加者のＥメールアドレスを識別し保存する方法を図示するフローチャートである。
【図５７】図５７は、会議出席者のもとへ電子版の会議の画像を送信する方法を図示するフローチャートである。
【図５８】図５８は、典型的な可搬内蔵型会議プレゼンテーションユニットの斜視図である。
【図５９】図５９は、図５８に似ているが、他の可搬実施形態を示す図である。
【図６０】図６０は、ディスプレイユニット、光検出装置、無線受信器を図示し、また対話機能がディスプレイ面と対話するために使用されるオブジェクトの機能である、ディスプレイ面との対話を容易にする方法を図示する模式図である。
【図６１】図６１は、少なくともいくつかの発明実施形態によるヘルプの特性である。
【図６２】図６２は、マスターユニットのスクリーンショット、およびヘルプ機能が使用される複数のスレーブプレゼンテーションスペースを図示する模式図である。
【図６３】図６３は、プロジェクタ輝度調節がマスターユニットのスクリーンショットによって容易にされる場合のシステムを図示する模式図である。
【図６４】図６４は、マスターユニットのスクリーンショットが室内あるいは周囲の装置に対して使用されるシステムの模式図である。
【図６５】図６５は、マスタープレゼンテーションユニットによって実行される可能性のあるいくつかの追加的特性を図示するスクリーンショットである。
【図６６】図６６は図６５に似ているが、追加的な特性および少なくともいくつかの実施形態の態様を示す図である。
【図６７】図６７は、異なる条件の下ではあるが、図４４に図示された領域と同種のツール領域の模式図である。
【図６８】図６８は、異なる条件の下ではあるが図６７に類似している。
【図６９】図６９は、さらに他の条件のセットの下ではあるが図６７に類似している。
【図７０】図７０は、本発明の少なくとも１つの実施形態によるプロジェクタアセンブリを含むサイドキャビネットの斜視図である。
【図７１】図７１は、上部部材とドア部材を取り除いた、図７０のサイドキャビネットアセンブリを示す図である。
【図７２】図７２は、壁構造に隣接する図７０のサイドキャビネットアセンブリを側面から見た図であり、プロジェクタアセンブリが点線で示されている。
【図７３】図７３は、図６５中の画像に似ているスクリーンショットであるが、枠または境界線が点線で示されており、これは作業スペースに表示された画像のサイズがいつ縮小されるべきかを決定する目的で使用されて、ユーザーが画像の周辺端部に沿って追加情報を加えることを可能にする。
【図７４】図７４は図７３中の画像に似ているスクリーンショットであり、作業スペースに提示された画像のサイズを縮小することにより、ユーザーが周辺端部において画像に追加情報を加えることを可能にすることを示す図である。
【図７５】図７５は、サイズが縮小された画像と、ユーザーが直近の最新画像変更動作によりスタイラスの先端を再配置するのを助け、画像変更動作を継続することができるようにする、移動動作と、を図示する模式図である。
【図７６】図７６は図７５に似ているが、縮小した画像がスタイラスの先端に合うように移動させられたことを示す模式図である。
【図７７】図７７は、少なくともいくつかの考えられる実施形態と一致しているメモサマリーページを図示するスクリーンショットである。
【図１】
2008546101.tif 000003
【図２】
2008546101.tif 000004
【図３】
2008546101.tif 000005
【図４】
2008546101.tif 000006
【図５】
2008546101.tif 000007
【図６】
2008546101.tif 000008
【図７】
2008546101.tif 000009
【図８】
2008546101.tif 000010
【図９】
2008546101.tif 000011
【図１０ａ】
2008546101.tif 000012
【図１０ｂ】
2008546101.tif 000013
【図１１】
2008546101.tif 000014
【図１２】
2008546101.tif 000015
【図１３】
2008546101.tif 000016
【図１４】
2008546101.tif 000017
【図１５】
2008546101.tif 000018
【図１６】
2008546101.tif 000019
【図１７】
2008546101.tif 000020
【図１８】
2008546101.tif 000021
【図１９】
2008546101.tif 000022
【図２０】
2008546101.tif 000023
【図２１】
2008546101.tif 000024
【図２２】
2008546101.tif 000025
【図２３】
2008546101.tif 000026
【図２４】
2008546101.tif 000027
【図２５】
2008546101.tif 000028
【図２６】
2008546101.tif 000029
【図２７】
2008546101.tif 000030
【図２８】
2008546101.tif 000031
【図２９】
2008546101.tif 000032
【図３０】
2008546101.tif 000033
【図３１】
2008546101.tif 000034
【図３２】
2008546101.tif 000035
【図３３】
2008546101.tif 000036
【図３４】
2008546101.tif 000037
【図３５】
2008546101.tif 000038
【図３６】
2008546101.tif 000039
【図３７】
2008546101.tif 000040
【図３８】
2008546101.tif 000041
【図３９】
2008546101.tif 000042
【図４０】
2008546101.tif 000043
【図４１】
2008546101.tif 000044
【図４２】
2008546101.tif 000045
【図４３】
2008546101.tif 000046
【図４４】
2008546101.tif 000047
【図４５】
2008546101.tif 000048
【図４６】
2008546101.tif 000049
【図４７】
2008546101.tif 000050
【図４８】
2008546101.tif 000051
【図４９】
2008546101.tif 000052
【図５０】
2008546101.tif 000053
【図５１】
2008546101.tif 000054
【図５２】
2008546101.tif 000055
【図５３】
2008546101.tif 000056
【図５４】
2008546101.tif 000057
【図５５】
2008546101.tif 000058
【図５６】
2008546101.tif 000059
【図５７】
2008546101.tif 000060
【図５８】
2008546101.tif 000061
【図５９】
2008546101.tif 000062
【図６０】
2008546101.tif 000063
【図６１】
2008546101.tif 000064
【図６２】
2008546101.tif 000065
【図６３】
2008546101.tif 000066
【図６４】
2008546101.tif 000067
【図６５】
2008546101.tif 000068
【図６６】
2008546101.tif 000069
【図６７】
2008546101.tif 000070
【図６８】
2008546101.tif 000071
【図６９】
2008546101.tif 000072
【図７０】
2008546101.tif 000073
【図７１】
2008546101.tif 000074
【図７２】
2008546101.tif 000075
【図７３】
2008546101.tif 000076
【図７４】
2008546101.tif 000077
【図７５】
2008546101.tif 000078
【図７６】
2008546101.tif 000079
【図７７】
2008546101.tif 000080
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
１組のセッション画像を提示するプレゼンテーションシステムにおいて、
制御インターフェースと；
マスタースペースを含むマスタープレゼンテーションユニットと；
スレーブプレゼンテーションスペースを含むスレーブプレゼンテーションユニットと；
プロセッサと；
前記プロセッサ、前記インターフェース、前記マスターユニットおよび前記スレーブユニットを接続するネットワークと；を備え、
前記プロセッサは、
前記マスタースペースに複数のセッション画像のためのセッション画像表現を同時に提示するように；
前記スレーブプレゼンテーションユニットに前記少なくとも１つのセッション画像を提示するように；かつ
前記スレーブプレゼンテーションユニットに提示された前記画像に関連付けられた前記セッション画像表現と前記マスタースペースのその他のセッション画像表現とを視覚的に区別するようにプログラムされた、
プレゼンテーションシステム。
【請求項２】
前記スレーブプレゼンテーションユニットは、複数のスレーブプレゼンテーションスペースを含み、前記プロセッサは、前記スレーブプレゼンテーションスペースに異なるセッション画像を提示し、かつ前記マスタースペースの前記スレーブプレゼンテーションスペースに提示された前記画像に関連付けられた前記セッション画像表現を視覚的に区別するようにプログラムされた、請求項１記載のシステム。
【請求項３】
マーカーアイコンを前記各画像表現と空間的に関連付けることにより、前記プロセッサが視覚的に前記セッション画像表現を区別する、請求項２記載のシステム。
【請求項４】
前記インターフェースは、ユーザーが前記マーカーアイコンを異なる画像表現に移動させることを可能にし、前記プロセッサは、マーカーアイコンが第１の画像表現から第２の画像表現に移動したとき、前記スレーブプレゼンテーションユニットが、前記第２の表現に関連付けられた前記画像を、前記マーカーに関連付けられた前記スレーブプレゼンテーションスペースに表示するようプログラムされた、請求項３記載のシステム。
【請求項５】
前記マスターユニットはさらに作業スペース領域に前記セッション画像の１つを提示し、かつ前記セッション画像表現は前記作業スペース領域に提示された前記セッション画像に対応する画像表現を含む、請求項４記載のシステム。
【請求項６】
前記作業スペース領域に提示された前記セッション画像に対応する前記画像表現は、前記マスタープレゼンテーションスペースの他の画像表現と視覚的に区別されている、請求項５記載のシステム。
【請求項７】
前記インターフェースは、ユーザーが１つのインターフェース装置を介して１つのマーカーアイコンを選択し第１画像表現から第２の画像表現に前記マーカーアイコンをドラッグすることにより、前記マーカーアイコンを異なる画像表現に移動できる、請求項４記載のシステム。
【請求項８】
前記プロセッサは、スレーブ画像に関連付けられた前記マスタースペースのスレーブ表現領域内の前記スレーブプレゼンテーションユニットに提示された前記画像に関連付けられた前記セッション画像表現を表示することにより、前記スレーブプレゼンテーションユニットに提示された画像に関連付けられた前記セッション画像表現とその他のセッション画像表現とを視覚的に区別する、請求項１記載のシステム。
【請求項９】
スレーブ画像に関連付けられた前記マスタースペースの前記スレーブ表現領域は、前記マスタースペースの他の部分と視覚的に区別される、請求項８記載のシステム。
【請求項１０】
スレーブ画像に関連付けられた前記マスタースペースの前記スレーブ表現領域は、前記スレーブ表現領域を囲むフィールド境界で視覚的に区別される、請求項９記載のシステム。
【請求項１１】
前記プロセッサは、スレーブ画像に関連付けられた前記マスタースペースのスレーブ表現領域内の前記スレーブプレゼンテーションユニットに提示された前記画像に関連付けられた前記セッション画像表現を表示することにより、前記スレーブプレゼンテーションユニットに提示された前記画像に関連付けられた前記セッション画像表現とその他のセッション画像表現とを視覚的に区別する、請求項２記載のシステム。
【請求項１２】
スレーブ画像に関連付けられた前記マスタースペースの前記スレーブ表現領域は、前記マスタースペースの他の部分とを視覚的に区別される、請求項１１記載のシステム。
【請求項１３】
スレーブ画像に関連付けられた前記マスタースペースの前記スレーブ表現領域は、前記スレーブ表現領域を囲むフィールド境界で視覚的に区別される、請求項１２記載のシステム。
【請求項１４】
前記インターフェースは、前記スレーブ表現領域の外側に存在するセッション画像表現を選択して前記スレーブ表現領域の中にドラッグし、前記スレーブプレゼンテーションユニットに表示される画像の変更を示すのに使用可能である、請求項１１記載のシステム。
【請求項１５】
前記マスター表示領域内の前記スレーブ表現領域は、前記スレーブプレゼンテーションユニットに関連付けられた各スレーブプレゼンテーションスペース毎に個別のスレーブ表現フィールドを含み、前記スレーブ表現領域内の前記スレーブ表現フィールドの相対的な並置関係は、前記関連付けられたスレーブプレゼンテーションスペースの相対的な並置関係と同様である、請求項１４記載のシステム。
【請求項１６】
移動されたセッション画像表現が特定のスレーブ表現フィールドにドラッグされ解放されると、前記移動された画像表現は、前記特定のスレーブ表現フィールドに提示され、前記移動されたセッション画像表現に関連付けられた前記画像は、前記特定のスレーブ表現フィールドに関連付けられた前記スレーブプレゼンテーションスペースに表示される、請求項１５記載のシステム。
【請求項１７】
前記移動された画像セッション表現が前記特定のスレーブ表現フィールドにドラッグされるのに先立ち最初のセッション画像表現が前記特定のスレーブ表現フィールドに提示されるとき、前記移動された画像セッション表現が解放されると、前記最初のセッション画像表現は前記スレーブ表現領域の外側に提示され、前記最初のセッション画像表現に関連付けられた画像は前記スレーブプレゼンテーションスペースから取り除かれる、請求項１６記載のシステム。
【請求項１８】
前記スレーブプレゼンテーションスペースは第１ないし第ｎのスペースを含み、前記スレーブ表現フィールドは第１ないし第ｎのフィールドを含み、移動されたセッション画像表現が第Ｍのスレーブ表現フィールドに提示されるときに最初のセッション画像表現が前記第Ｍのスレーブ表現フィールドに存在すると、前記最初のセッション画像表現は第（Ｍ＋１）のフィールドに移動され、前記最初のセッション画像表現に関連付けられた前記画像は前記第（Ｍ＋１）のスレーブプレゼンテーションスペース内に提示される、請求項１５記載のシステム。
【請求項１９】
前記移動された画像セッション表現が前記特定のスレーブ表現フィールドに近接して続く位置にドラッグされているのに先立ち最初のセッション画像表現が前記特定のスレーブ表現フィールドに提示されるとき、前記移動された画像セッション表現が解放されると、前記最初のセッション画像表現は隣接したスレーブ表現フィールドに提示され、前記最初のセッション画像表現に関連付けられた前記画像は前記隣接したスレーブ表現フィールドに関連付けられた前記スレーブプレゼンテーションスペースに提示される、請求項１６記載のシステム。
【請求項２０】
前記マスター表示領域内の前記スレーブ表現領域は、前記スレーブプレゼンテーションユニットに関連付けられた各スレーブプレゼンテーションスペース毎に個別のスレーブ表現フィールドを含み、前記スレーブ表現領域内の前記スレーブ表現フィールドの相対的な並置関係は、前記関連付けられたスレーブプレゼンテーションスペースの相対的な並置関係と同様である、請求項１１記載のシステム。
【請求項２１】
前記インターフェースは、前記スレーブ表現領域の内側に存在するセッション画像表現を前記スレーブ表現領域から取り除くために選択し、前記スレーブプレゼンテーションユニットに表示する画像の変更を示すのに使用することができる、請求項２０記載のシステム。
【請求項２２】
セッション画像表現が前記スレーブ表現領域から取り除くために選択されると、前記選択されたセッション画像表現は前記スレーブ表現領域から取り除かれて前記スレーブ表現領域の外側に提示され、前記選択されたセッション画像表現に関連付けられた前記画像は前記スレーブプレゼンテーションスペースから取り除かれる、請求項２１記載のシステム。
【請求項２３】
マスタープレゼンテーションスペースおよび複数のスレーブプレゼンテーションスペースを含むプレゼンテーションシステムと、前記マスターおよびスレーブプレゼンテーションスペースに画像を提示するプレゼンテーションシステムと、を使用する方法において、
複数のセッション画像のためのセッション画像表現をマスタースペース内に同時に提示するステップと；
前記スレーブプレゼンテーションスペースに少なくとも１つのセッション画像を提示するステップと；
前記スレーブプレゼンテーションスペースに提示された少なくとも１つのセッション画像に関連付けられた前記セッション画像表現と前記マスタースペース内のその他のセッション画像表現とを視覚的に区別するステップと、を含む方法。
【請求項２４】
前記少なくとも１つのセッション画像を提示するステップは前記スレーブプレゼンテーションスペースに複数の画像を提示することを含み、前記視覚的に区別するステップは前記マスタースペース内の前記スレーブプレゼンテーションスペースに提示された前記画像に関連付けられた前記セッション画像表現のすべてを視覚的に区別することを含む、請求項２３記載の方法。
【請求項２５】
前記視覚的に区別するステップは、前記スレーブプレゼンテーションユニットに提示された前記画像に関連付けられた前記セッション画像表現を、スレーブ画像に関連付けられた前記マスタースペースの１つのスレーブ表現領域内に表示することを含む、請求項２４記載の方法。
【請求項２６】
スレーブ画像に関連付けられた前記マスタースペースの前記スレーブ表現領域と前記マスタースペースの他の部分とを視覚的に区別することをさらに含む、請求項２５記載の方法。
【国際調査報告】
2008546101.tif 000081
2008546101.tif 000082
2008546101.tif 000083